(57)【特許請求の範囲】
【請求項１】
画面有効化方法であって、
電子デバイスの表示画面が無効化状態にあるとき、前記電子デバイスのタッチスクリーン上で実行された圧力操作の第１圧力値を検出する段階であって、前記表示画面は、第１部分および第２部分を含む、段階と、
前記第１圧力値が予め設定された圧力操作閾値より大きい、またはそれに等しいとき、前記表示画面の前記第１部分に、第１表示属性に従って、第１画面表示データを表示する段階であって、前記第２部分は、無効化状態のままであり、または、黒色で表示され、前記第１表示属性は少なくとも、表示輝度を含む、段階と
を備え、
第１画面表示データを表示する前記段階の前に、前記画面有効化方法は、
前記第１圧力値および予め設定された第１データ対応関係に従って、前記第１画面表示データを決定する段階であって、前記第１データ対応関係は、前記圧力値と前記画面表示データとの間の対応関係を含む、段階をさらに備える画面有効化方法。
【請求項２】
第１画面表示データを表示する前記段階の前に、前記画面有効化方法は、
前記第１圧力値と、予め設定された第１表示属性対応関係とに従って、前記第１表示属性を決定する段階であって、前記第１表示属性対応関係は、前記圧力値と前記表示属性との間の対応関係を含む、段階をさらに備える、請求項１に記載の画面有効化方法。
【請求項３】
画面有効化方法であって、
電子デバイスの表示画面が無効化状態にあるとき、前記電子デバイスのタッチスクリーン上で実行された圧力操作の第１圧力値を検出する段階であって、前記表示画面は、第１部分および第２部分を含む、段階と、
前記第１圧力値が予め設定された圧力操作閾値より大きい、またはそれに等しいとき、前記表示画面の前記第１部分に、第１表示属性に従って、第１画面表示データを表示する段階であって、前記第２部分は、無効化状態のままであり、または、黒色で表示され、前記第１表示属性は少なくとも、表示輝度を含む、段階と
を備え、
第１画面表示データを表示する前記段階の前に、前記画面有効化方法は、
前記第１圧力値と、予め設定された第１表示属性対応関係とに従って、前記第１表示属性を決定する段階であって、前記第１表示属性対応関係は、前記圧力値と前記表示属性との間の対応関係を含む、段階をさらに備える、画面有効化方法。
【請求項４】
第１画面表示データを表示する前記段階の前に、前記画面有効化方法は、
前記第１圧力値が前記予め設定された圧力操作閾値より大きい、またはそれに等しいときに対応する、前記圧力操作が実行された前記タッチスクリーンの第１接触位置を取得する段階と、
前記第１接触位置に従って、前記第１接触位置に関連付けられる、前記第１部分の位置を決定する段階とをさらに備える、請求項１から３のいずれか一項に記載の画面有効化方法。
【請求項５】
第１画面表示データを表示する前記段階の後で、前記画面有効化方法は、
前記タッチスクリーン上で実行された前記圧力操作の圧力持続期間を取得する段階と、
前記圧力持続期間が予め設定された最小持続期間閾値を超過したとき、前記圧力操作の取得された第２圧力値と、第１表示属性対応関係とに従って、第２表示属性を決定する段階であって、前記第１表示属性対応関係は、前記圧力値と前記表示属性との間の対応関係を含む、段階と、
前記表示画面の前記第１部分に、前記第２表示属性に従って、前記第１画面表示データを表示する段階とをさらに備える、請求項１から４のいずれか一項に記載の画面有効化方法。
【請求項６】
画面有効化方法であって、
電子デバイスの表示画面が無効化状態にあるとき、前記電子デバイスのタッチスクリーン上で実行された圧力操作の第１圧力値を検出する段階であって、前記表示画面は、第１部分および第２部分を含む、段階と、
前記第１圧力値が予め設定された圧力操作閾値より大きい、またはそれに等しいとき、前記表示画面の前記第１部分に、第１表示属性に従って、第１画面表示データを表示する段階であって、前記第２部分は、無効化状態のままであり、または、黒色で表示され、前記第１表示属性は少なくとも、表示輝度を含む、段階と
を備え、
第１画面表示データを表示する前記段階の後で、前記画面有効化方法は、
前記タッチスクリーン上で実行された前記圧力操作の圧力持続期間を取得する段階と、
前記圧力持続期間が予め設定された最小持続期間閾値を超過したとき、前記圧力操作の取得された第２圧力値と、第１表示属性対応関係とに従って、第２表示属性を決定する段階であって、前記第１表示属性対応関係は、前記圧力値と前記表示属性との間の対応関係を含む、段階と、
前記表示画面の前記第１部分に、前記第２表示属性に従って、前記第１画面表示データを表示する段階とをさらに備える、画面有効化方法。
【請求項７】
第１画面表示データを表示する前記段階の後で、前記画面有効化方法は、
前記タッチスクリーン上で実行された前記圧力操作の圧力持続期間を取得する段階と、
前記圧力持続期間が予め設定された最小持続期間閾値を超過したとき、前記圧力操作の取得された第２圧力値と、第１データ対応関係とに従って、第２画面表示データを決定する段階であって、前記第１データ対応関係は、前記圧力値と前記画面表示データとの間の対応関係を含む、段階と、
前記表示画面の前記第１部分に、前記第１表示属性に従って、前記第２画面表示データを表示し、前記第１画面表示データの表示を停止する段階とをさらに備える、請求項１から４のいずれか一項に記載の画面有効化方法。
【請求項８】
画面有効化方法であって、
電子デバイスの表示画面が無効化状態にあるとき、前記電子デバイスのタッチスクリーン上で実行された圧力操作の第１圧力値を検出する段階であって、前記表示画面は、第１部分および第２部分を含む、段階と、
前記第１圧力値が予め設定された圧力操作閾値より大きい、またはそれに等しいとき、前記表示画面の前記第１部分に、第１表示属性に従って、第１画面表示データを表示する段階であって、前記第２部分は、無効化状態のままであり、または、黒色で表示され、前記第１表示属性は少なくとも、表示輝度を含む、段階と
を備え、
第１画面表示データを表示する前記段階の後で、前記画面有効化方法は、
前記タッチスクリーン上で実行された前記圧力操作の圧力持続期間を取得する段階と、
前記圧力持続期間が予め設定された最小持続期間閾値を超過したとき、前記圧力操作の取得された第２圧力値と、第１データ対応関係とに従って、第２画面表示データを決定する段階であって、前記第１データ対応関係は、前記圧力値と前記画面表示データとの間の対応関係を含む、段階と、
前記表示画面の前記第１部分に、前記第１表示属性に従って、前記第２画面表示データを表示し、前記第１画面表示データの表示を停止する段階とをさらに備える、画面有効化方法。
【請求項９】
第１画面表示データを表示する前記段階の後で、前記画面有効化方法は、
前記タッチスクリーン上で実行された前記圧力操作の圧力持続期間を取得する段階と、
前記圧力持続期間が予め設定された最小持続期間閾値を超過したとき、前記圧力操作の取得された第２圧力値と、第１表示属性対応関係とに従って、第２表示属性を決定する段階であって、前記第１表示属性対応関係は、前記圧力値と前記表示属性との間との対応関係を含む、段階と、
取得された前記第２圧力値と、第１データ対応関係とに従って、第２画面表示データを決定する段階であって、前記第１データ対応関係は、圧力値と画面表示データとの間の対応関係を含む、段階と、
前記表示画面の前記第１部分に、前記第２表示属性に従って、前記第２画面表示データを表示し、前記第１画面表示データの表示を停止する段階とをさらに備える、請求項１から４のいずれか一項に記載の画面有効化方法。
【請求項１０】
画面有効化方法であって、
電子デバイスの表示画面が無効化状態にあるとき、前記電子デバイスのタッチスクリーン上で実行された圧力操作の第１圧力値を検出する段階であって、前記表示画面は、第１部分および第２部分を含む、段階と、
前記第１圧力値が予め設定された圧力操作閾値より大きい、またはそれに等しいとき、前記表示画面の前記第１部分に、第１表示属性に従って、第１画面表示データを表示する段階であって、前記第２部分は、無効化状態のままであり、または、黒色で表示され、前記第１表示属性は少なくとも、表示輝度を含む、段階と
を備え、
第１画面表示データを表示する前記段階の後で、前記画面有効化方法は、
前記タッチスクリーン上で実行された前記圧力操作の圧力持続期間を取得する段階と、
前記圧力持続期間が予め設定された最小持続期間閾値を超過したとき、前記圧力操作の取得された第２圧力値と、第１表示属性対応関係とに従って、第２表示属性を決定する段階であって、前記第１表示属性対応関係は、前記圧力値と前記表示属性との間との対応関係を含む、段階と、
取得された前記第２圧力値と、第１データ対応関係とに従って、第２画面表示データを決定する段階であって、前記第１データ対応関係は、圧力値と画面表示データとの間の対応関係を含む、段階と、
前記表示画面の前記第１部分に、前記第２表示属性に従って、前記第２画面表示データを表示し、前記第１画面表示データの表示を停止する段階とをさらに備える、画面有効化方法。
【請求項１１】
前記表示画面の前記第１部分に、第１表示属性に従って、第１画面表示データを表示する前記段階は、
前記表示画面の予め設定された前記第１部分に、予め設定された第１表示輝度に従って、予め設定された前記第１画面表示データを表示する段階であって、前記第１表示属性対応関係は、前記圧力値と前記表示輝度との間の対応関係を含み、前記圧力値の増加は、前記表示輝度の増加に対応しており、前記第１データ対応関係は、圧力値と画面表示データとの間の対応関係を含み、前記圧力値の増加は、前記画面表示データの増加に対応している、段階を含み、
前記圧力操作の取得された第２圧力値と前記第１表示属性対応関係とに従って、前記第２表示属性を決定する前記段階は、
前記圧力操作の取得された前記第２圧力値と、前記第１表示属性対応関係とに従って、第２表示輝度を決定する段階を含み、
前記表示画面の前記第１部分に、前記第２表示属性に従って、前記第２画面表示データを表示し、前記第１画面表示データの表示を停止する前記段階は、
前記表示画面の前記第１部分に、前記第２表示輝度に従って、前記第２画面表示データを表示し、前記第１画面表示データの表示を停止する段階を含む、請求項９または１０に記載の画面有効化方法。
【請求項１２】
第１画面表示データを表示する前記段階の後で、前記画面有効化方法は、
前記タッチスクリーン上で実行された前記圧力操作の圧力持続期間を取得する段階と、
前記圧力持続期間が予め設定された最小持続期間閾値を超過したとき、前記第１圧力値と、前記圧力持続期間と、予め設定された第２表示属性対応関係とに従って、第２表示属性を決定する段階であって、前記第２表示属性対応関係は、前記第１圧力値と、前記圧力持続期間と、前記表示属性との間の対応関係を含む、段階と、
前記表示画面の前記第１部分に、前記第２表示属性に従って、前記第１画面表示データを表示する段階とをさらに備える、請求項１から４のいずれか一項に記載の画面有効化方法。
【請求項１３】
画面有効化方法であって、
電子デバイスの表示画面が無効化状態にあるとき、前記電子デバイスのタッチスクリーン上で実行された圧力操作の第１圧力値を検出する段階であって、前記表示画面は、第１部分および第２部分を含む、段階と、
前記第１圧力値が予め設定された圧力操作閾値より大きい、またはそれに等しいとき、前記表示画面の前記第１部分に、第１表示属性に従って、第１画面表示データを表示する段階であって、前記第２部分は、無効化状態のままであり、または、黒色で表示され、前記第１表示属性は少なくとも、表示輝度を含む、段階と
を備え、
第１画面表示データを表示する前記段階の後で、前記画面有効化方法は、
前記タッチスクリーン上で実行された前記圧力操作の圧力持続期間を取得する段階と、
前記圧力持続期間が予め設定された最小持続期間閾値を超過したとき、前記第１圧力値と、前記圧力持続期間と、予め設定された第２表示属性対応関係とに従って、第２表示属性を決定する段階であって、前記第２表示属性対応関係は、前記第１圧力値と、前記圧力持続期間と、前記表示属性との間の対応関係を含む、段階と、
前記表示画面の前記第１部分に、前記第２表示属性に従って、前記第１画面表示データを表示する段階とをさらに備える、画面有効化方法。
【請求項１４】
第１画面表示データを表示する前記段階の後で、前記画面有効化方法は、
前記タッチスクリーン上で実行された前記圧力操作の圧力持続期間を取得する段階と、
前記圧力持続期間が予め設定された最小持続期間閾値を超過したとき、前記第１圧力値と、前記圧力持続期間と、予め設定された第２データ対応関係とに従って、第２画面表示データを決定する段階であって、前記第２データ対応関係は、前記第１圧力値と、前記圧力持続期間と、前記画面表示データとの間の対応関係を含む、段階と、
前記表示画面の前記第１部分に、前記第１表示属性に従って、前記第２画面表示データを表示し、前記第１画面表示データの表示を停止する段階とをさらに備える、請求項１から４のいずれか一項に記載の画面有効化方法。
【請求項１５】
画面有効化方法であって、
電子デバイスの表示画面が無効化状態にあるとき、前記電子デバイスのタッチスクリーン上で実行された圧力操作の第１圧力値を検出する段階であって、前記表示画面は、第１部分および第２部分を含む、段階と、
前記第１圧力値が予め設定された圧力操作閾値より大きい、またはそれに等しいとき、前記表示画面の前記第１部分に、第１表示属性に従って、第１画面表示データを表示する段階であって、前記第２部分は、無効化状態のままであり、または、黒色で表示され、前記第１表示属性は少なくとも、表示輝度を含む、段階と
を備え、
第１画面表示データを表示する前記段階の後で、前記画面有効化方法は、
前記タッチスクリーン上で実行された前記圧力操作の圧力持続期間を取得する段階と、
前記圧力持続期間が予め設定された最小持続期間閾値を超過したとき、前記第１圧力値と、前記圧力持続期間と、予め設定された第２データ対応関係とに従って、第２画面表示データを決定する段階であって、前記第２データ対応関係は、前記第１圧力値と、前記圧力持続期間と、前記画面表示データとの間の対応関係を含む、段階と、
前記表示画面の前記第１部分に、前記第１表示属性に従って、前記第２画面表示データを表示し、前記第１画面表示データの表示を停止する段階とをさらに備える、画面有効化方法。
【請求項１６】
第１画面表示データを表示する前記段階の後で、前記画面有効化方法は、
前記タッチスクリーン上で実行された前記圧力操作の圧力持続期間を取得する段階と、
前記圧力持続期間が予め設定された最小持続期間閾値を超過したとき、前記第１圧力値と、前記圧力持続期間と、予め設定された第２表示属性対応関係とに従って、第２表示属性を決定する段階であって、前記第２表示属性対応関係は、前記第１圧力値と、前記圧力持続期間と、前記表示属性との間の対応関係を含む、段階と、
前記第１圧力値と、前記圧力持続期間と、予め設定された第２データ対応関係に従って、第２画面表示データを決定する段階であって、前記第２データ対応関係は、前記第１圧力値と、前記圧力持続期間と、前記画面表示データとの間の対応関係を含む、段階と、
前記表示画面の前記第１部分に、前記第２表示属性に従って、前記第２画面表示データを表示し、前記第１画面表示データの表示を停止する段階とをさらに備える、請求項１から４のいずれか一項に記載の画面有効化方法。
【請求項１７】
画面有効化方法であって、
電子デバイスの表示画面が無効化状態にあるとき、前記電子デバイスのタッチスクリーン上で実行された圧力操作の第１圧力値を検出する段階であって、前記表示画面は、第１部分および第２部分を含む、段階と、
前記第１圧力値が予め設定された圧力操作閾値より大きい、またはそれに等しいとき、前記表示画面の前記第１部分に、第１表示属性に従って、第１画面表示データを表示する段階であって、前記第２部分は、無効化状態のままであり、または、黒色で表示され、前記第１表示属性は少なくとも、表示輝度を含む、段階と
を備え、
第１画面表示データを表示する前記段階の後で、前記画面有効化方法は、
前記タッチスクリーン上で実行された前記圧力操作の圧力持続期間を取得する段階と、
前記圧力持続期間が予め設定された最小持続期間閾値を超過したとき、前記第１圧力値と、前記圧力持続期間と、予め設定された第２表示属性対応関係とに従って、第２表示属性を決定する段階であって、前記第２表示属性対応関係は、前記第１圧力値と、前記圧力持続期間と、前記表示属性との間の対応関係を含む、段階と、
前記第１圧力値と、前記圧力持続期間と、予め設定された第２データ対応関係に従って、第２画面表示データを決定する段階であって、前記第２データ対応関係は、前記第１圧力値と、前記圧力持続期間と、前記画面表示データとの間の対応関係を含む、段階と、
前記表示画面の前記第１部分に、前記第２表示属性に従って、前記第２画面表示データを表示し、前記第１画面表示データの表示を停止する段階とをさらに備える、画面有効化方法。
【請求項１８】
第１画面表示データを表示する前記段階の後で、前記画面有効化方法は、
予め設定された期間内に、前記表示画面上で実行された第１操作を取得する段階と、
前記第１圧力値と、前記第１操作と、予め設定された第３表示属性対応関係とに従って、第２表示属性を決定する段階であって、前記第３表示属性対応関係は、前記第１圧力値と、前記第１操作と、前記表示属性との間の対応関係を含む、段階と、
前記表示画面の前記第１部分において、前記第２表示属性に従って、前記第１画面表示データを表示する段階とをさらに備える、請求項１から４のいずれか一項に記載の画面有効化方法。
【請求項１９】
画面有効化方法であって、
電子デバイスの表示画面が無効化状態にあるとき、前記電子デバイスのタッチスクリーン上で実行された圧力操作の第１圧力値を検出する段階であって、前記表示画面は、第１部分および第２部分を含む、段階と、
前記第１圧力値が予め設定された圧力操作閾値より大きい、またはそれに等しいとき、前記表示画面の前記第１部分に、第１表示属性に従って、第１画面表示データを表示する段階であって、前記第２部分は、無効化状態のままであり、または、黒色で表示され、前記第１表示属性は少なくとも、表示輝度を含む、段階と
を備え、
第１画面表示データを表示する前記段階の後で、前記画面有効化方法は、
予め設定された期間内に、前記表示画面上で実行された第１操作を取得する段階と、
前記第１圧力値と、前記第１操作と、予め設定された第３表示属性対応関係とに従って、第２表示属性を決定する段階であって、前記第３表示属性対応関係は、前記第１圧力値と、前記第１操作と、前記表示属性との間の対応関係を含む、段階と、
前記表示画面の前記第１部分において、前記第２表示属性に従って、前記第１画面表示データを表示する段階とをさらに備える、画面有効化方法。
【請求項２０】
第１画面表示データを表示する前記段階の後で、前記画面有効化方法は、
予め設定された期間内に、前記表示画面上で実行された第１操作を取得する段階と、
前記第１圧力値と、前記第１操作と、予め設定された第３データ対応関係とに従って、第２画面表示データを決定する段階であって、前記第３データ対応関係は、前記第１圧力値と、前記第１操作と、前記画面表示データとの間の対応関係を含む、段階と、
前記表示画面の前記第１部分に、前記第１表示属性に従って、前記第２画面表示データを表示し、前記第１画面表示データの表示を停止する段階とをさらに備える、請求項１から４のいずれか一項に記載の画面有効化方法。
【請求項２１】
画面有効化方法であって、
電子デバイスの表示画面が無効化状態にあるとき、前記電子デバイスのタッチスクリーン上で実行された圧力操作の第１圧力値を検出する段階であって、前記表示画面は、第１部分および第２部分を含む、段階と、
前記第１圧力値が予め設定された圧力操作閾値より大きい、またはそれに等しいとき、前記表示画面の前記第１部分に、第１表示属性に従って、第１画面表示データを表示する段階であって、前記第２部分は、無効化状態のままであり、または、黒色で表示され、前記第１表示属性は少なくとも、表示輝度を含む、段階と
を備え、
第１画面表示データを表示する前記段階の後で、前記画面有効化方法は、
予め設定された期間内に、前記表示画面上で実行された第１操作を取得する段階と、
前記第１圧力値と、前記第１操作と、予め設定された第３データ対応関係とに従って、第２画面表示データを決定する段階であって、前記第３データ対応関係は、前記第１圧力値と、前記第１操作と、前記画面表示データとの間の対応関係を含む、段階と、
前記表示画面の前記第１部分に、前記第１表示属性に従って、前記第２画面表示データを表示し、前記第１画面表示データの表示を停止する段階とをさらに備える、画面有効化方法。
【請求項２２】
第１画面表示データを表示する前記段階の後で、前記画面有効化方法は、
予め設定された期間内に、前記表示画面上で実行された第１操作を取得する段階と、
前記第１圧力値と、前記第１操作と、予め設定された第３表示属性対応関係とに従って、第２表示属性を決定する段階であって、前記第３表示属性対応関係は、前記第１圧力値と、前記第１操作と、前記表示属性との間の対応関係を含む、段階と、
前記第１圧力値と、前記第１操作と、予め設定された第３データ対応関係とに従って、第２画面表示データを決定する段階であって、前記第３データ対応関係は、前記第１圧力値と、前記第１操作と、前記画面表示データとの間の対応関係を含む、段階と、
前記表示画面の前記第１部分に、前記第２表示属性に従って、前記第２画面表示データを表示し、前記第１画面表示データの表示を停止する段階とをさらに備える、請求項１から４のいずれか一項に記載の画面有効化方法。
【請求項２３】
画面有効化方法であって、
電子デバイスの表示画面が無効化状態にあるとき、前記電子デバイスのタッチスクリーン上で実行された圧力操作の第１圧力値を検出する段階であって、前記表示画面は、第１部分および第２部分を含む、段階と、
前記第１圧力値が予め設定された圧力操作閾値より大きい、またはそれに等しいとき、前記表示画面の前記第１部分に、第１表示属性に従って、第１画面表示データを表示する段階であって、前記第２部分は、無効化状態のままであり、または、黒色で表示され、前記第１表示属性は少なくとも、表示輝度を含む、段階と
を備え、
第１画面表示データを表示する前記段階の後で、前記画面有効化方法は、
予め設定された期間内に、前記表示画面上で実行された第１操作を取得する段階と、
前記第１圧力値と、前記第１操作と、予め設定された第３表示属性対応関係とに従って、第２表示属性を決定する段階であって、前記第３表示属性対応関係は、前記第１圧力値と、前記第１操作と、前記表示属性との間の対応関係を含む、段階と、
前記第１圧力値と、前記第１操作と、予め設定された第３データ対応関係とに従って、第２画面表示データを決定する段階であって、前記第３データ対応関係は、前記第１圧力値と、前記第１操作と、前記画面表示データとの間の対応関係を含む、段階と、
前記表示画面の前記第１部分に、前記第２表示属性に従って、前記第２画面表示データを表示し、前記第１画面表示データの表示を停止する段階とをさらに備える、画面有効化方法。
【請求項２４】
前記第１圧力値が予め設定された圧力操作閾値より大きい、またはそれに等しいとき、前記表示画面の前記第１部分に、第１表示属性に従って、第１画面表示データを表示する前記段階は、
前記第１圧力値が前記予め設定された圧力操作閾値より大きい、またはそれに等しいとき、前記第１圧力値が前記予め設定された圧力操作閾値より大きい、またはそれに等しいときに対応する、前記圧力操作が実行された前記タッチスクリーンの第１接触位置を取得する段階と、
前記第１接触位置に従って、前記第１接触位置に関連付けられる、前記第１部分の第１位置を決定する段階と、
前記第１部分の前記第１位置と、予め設定されたロック画面テーマインタフェースとに従って、前記第１画面表示データを決定する段階であって、前記第１画面表示データは、前記第１部分の前記第１位置に対応する、前記ロック画面テーマインタフェース上の画面表示データである、段階と、
前記表示画面の前記第１部分の前記第１位置に、前記第１画面表示データを表示する段階とを含む、請求項１に記載の画面有効化方法。
【請求項２５】
第１画面表示データを表示する前記段階の後で、前記画面有効化方法は、
前記圧力操作が前記タッチスクリーン上で連続的に実行されるプロセスにおける接触が移動する場合、前記圧力操作の前記接触の移動が停止したときに対応する第２接触位置を取得する段階と、
前記第２接触位置に従って、前記第２接触位置に関連付けられる、前記第１部分の第２位置を決定する段階と、
前記第１部分の前記第２位置と、予め設定された前記ロック画面テーマインタフェースとに従って、第２画面表示データを決定する段階であって、前記第２画面表示データは、前記第１部分の前記第２位置に対応する、前記ロック画面テーマインタフェース上の画面表示データである、段階と、
前記表示画面の前記第１部分の前記第２位置に、前記第２画面表示データを表示する段階とをさらに備える、請求項２４に記載の画面有効化方法。
【請求項２６】
電子デバイスの表示画面が無効化状態にあるとき、前記電子デバイスのタッチスクリーン上で実行された圧力操作の第１圧力値を検出する検出モジュールであって、前記表示画面は、第１部分および第２部分を含む、検出モジュールと、
前記第１圧力値が予め設定された圧力操作閾値より大きい、またはそれに等しいとき、前記表示画面の前記第１部分に、第１表示属性に従って、第１画面表示データを表示すると決定する処理モジュールであって、前記第１表示属性は少なくとも、表示輝度を含む、処理モジュールと、
前記表示画面の前記第１部分に、前記第１表示属性に従って、前記第１画面表示データを表示する表示モジュールであって、前記第２部分は、無効化状態のままである、または、黒色で表示される、表示モジュールと
を備え、
前記処理モジュールはさらに、
前記第１圧力値と、予め設定された第１データ対応関係とに従って、前記第１画面表示データを決定し、前記第１データ対応関係は、前記圧力値と前記画面表示データとの間の対応関係を含む、画面有効化装置。
【請求項２７】
前記処理モジュールはさらに、
前記第１圧力値と、予め設定された第１表示属性対応関係とに従って、前記第１表示属性を決定し、前記第１表示属性対応関係は、前記圧力値と前記表示属性との間の対応関係を含む、請求項２６に記載の画面有効化装置。
【請求項２８】
電子デバイスの表示画面が無効化状態にあるとき、前記電子デバイスのタッチスクリーン上で実行された圧力操作の第１圧力値を検出する検出モジュールであって、前記表示画面は、第１部分および第２部分を含む、検出モジュールと、
前記第１圧力値が予め設定された圧力操作閾値より大きい、またはそれに等しいとき、前記表示画面の前記第１部分に、第１表示属性に従って、第１画面表示データを表示すると決定する処理モジュールであって、前記第１表示属性は少なくとも、表示輝度を含む、処理モジュールと、
前記表示画面の前記第１部分に、前記第１表示属性に従って、前記第１画面表示データを表示する表示モジュールであって、前記第２部分は、無効化状態のままである、または、黒色で表示される、表示モジュールと
を備え、
前記処理モジュールはさらに、
前記第１圧力値と、予め設定された第１表示属性対応関係とに従って、前記第１表示属性を決定し、前記第１表示属性対応関係は、前記圧力値と前記表示属性との間の対応関係を含む、画面有効化装置。
【請求項２９】
前記検出モジュールはさらに、
前記第１圧力値が前記予め設定された圧力操作閾値より大きい、またはそれに等しいときに対応する、前記圧力操作が実行された前記タッチスクリーンの第１接触位置を取得する、
前記処理モジュールはさらに、
前記第１接触位置に従って、前記第１接触位置に関連付けられる、前記第１部分の位置を決定する、請求項２６から２８のいずれか一項に記載の画面有効化装置。
【請求項３０】
前記検出モジュールはさらに、
前記タッチスクリーン上で実行された前記圧力操作の圧力持続期間を取得し、
前記処理モジュールはさらに、
前記圧力持続期間が予め設定された最小持続期間閾値を超過したとき、前記圧力操作の取得された第２圧力値と、第１表示属性対応関係とに従って、第２表示属性を決定し、前記第１表示属性対応関係は、前記圧力値と前記表示属性との間の対応関係を含み、
前記表示モジュールはさらに、
前記表示画面の前記第１部分に、前記第２表示属性に従って、前記第１画面表示データを表示する、請求項２６から２９のいずれか一項に記載の画面有効化装置。
【請求項３１】
電子デバイスの表示画面が無効化状態にあるとき、前記電子デバイスのタッチスクリーン上で実行された圧力操作の第１圧力値を検出する検出モジュールであって、前記表示画面は、第１部分および第２部分を含む、検出モジュールと、
前記第１圧力値が予め設定された圧力操作閾値より大きい、またはそれに等しいとき、前記表示画面の前記第１部分に、第１表示属性に従って、第１画面表示データを表示すると決定する処理モジュールであって、前記第１表示属性は少なくとも、表示輝度を含む、処理モジュールと、
前記表示画面の前記第１部分に、前記第１表示属性に従って、前記第１画面表示データを表示する表示モジュールであって、前記第２部分は、無効化状態のままである、または、黒色で表示される、表示モジュールと
を備え、
前記検出モジュールはさらに、
前記タッチスクリーン上で実行された前記圧力操作の圧力持続期間を取得し、
前記処理モジュールはさらに、
前記圧力持続期間が予め設定された最小持続期間閾値を超過したとき、前記圧力操作の取得された第２圧力値と、第１表示属性対応関係とに従って、第２表示属性を決定し、前記第１表示属性対応関係は、前記圧力値と前記表示属性との間の対応関係を含み、
前記表示モジュールはさらに、
前記表示画面の前記第１部分に、前記第２表示属性に従って、前記第１画面表示データを表示する、画面有効化装置。
【請求項３２】
前記検出モジュールはさらに、
前記タッチスクリーン上で実行された前記圧力操作の圧力持続期間を取得し、
前記処理モジュールはさらに、
前記圧力持続期間が予め設定された最小持続期間閾値を超過したとき、前記圧力操作の取得された第２圧力値と、第１データ対応関係とに従って、第２画面表示データを決定し、前記第１データ対応関係は、前記圧力値と前記画面表示データとの間の対応関係を含み、
前記表示モジュールはさらに、
前記表示画面の前記第１部分に、前記第１表示属性に従って、前記第２画面表示データを表示し、前記第１画面表示データの表示を停止する、請求項２６から２９のいずれか一項に記載の画面有効化装置。
【請求項３３】
電子デバイスの表示画面が無効化状態にあるとき、前記電子デバイスのタッチスクリーン上で実行された圧力操作の第１圧力値を検出する検出モジュールであって、前記表示画面は、第１部分および第２部分を含む、検出モジュールと、
前記第１圧力値が予め設定された圧力操作閾値より大きい、またはそれに等しいとき、前記表示画面の前記第１部分に、第１表示属性に従って、第１画面表示データを表示すると決定する処理モジュールであって、前記第１表示属性は少なくとも、表示輝度を含む、処理モジュールと、
前記表示画面の前記第１部分に、前記第１表示属性に従って、前記第１画面表示データを表示する表示モジュールであって、前記第２部分は、無効化状態のままである、または、黒色で表示される、表示モジュールと
を備え、
前記検出モジュールはさらに、
前記タッチスクリーン上で実行された前記圧力操作の圧力持続期間を取得し、
前記処理モジュールはさらに、
前記圧力持続期間が予め設定された最小持続期間閾値を超過したとき、前記圧力操作の取得された第２圧力値と、第１データ対応関係とに従って、第２画面表示データを決定し、前記第１データ対応関係は、前記圧力値と前記画面表示データとの間の対応関係を含み、
前記表示モジュールはさらに、
前記表示画面の前記第１部分に、前記第１表示属性に従って、前記第２画面表示データを表示し、前記第１画面表示データの表示を停止する、画面有効化装置。
【請求項３４】
前記検出モジュールはさらに、
前記タッチスクリーン上で実行された前記圧力操作の圧力持続期間を取得し、
前記処理モジュールはさらに、
前記圧力持続期間が予め設定された最小持続期間閾値を超過したとき、前記圧力操作の取得された第２圧力値と、第１表示属性対応関係とに従って、第２表示属性を決定し、前記第１表示属性対応関係は、前記圧力値と前記表示属性との間の対応関係を含み、かつ、取得された前記第２圧力値と、第１データ対応関係とに従って、第２画面表示データを決定し、前記第１データ対応関係は、前記圧力値と前記画面表示データとの間の対応関係を含み、
前記表示モジュールはさらに、
前記表示画面の前記第１部分に、前記第２表示属性に従って、前記第２画面表示データを表示し、前記第１画面表示データの表示を停止する、請求項２６から２９のいずれか一項に記載の画面有効化装置。
【請求項３５】
電子デバイスの表示画面が無効化状態にあるとき、前記電子デバイスのタッチスクリーン上で実行された圧力操作の第１圧力値を検出する検出モジュールであって、前記表示画面は、第１部分および第２部分を含む、検出モジュールと、
前記第１圧力値が予め設定された圧力操作閾値より大きい、またはそれに等しいとき、前記表示画面の前記第１部分に、第１表示属性に従って、第１画面表示データを表示すると決定する処理モジュールであって、前記第１表示属性は少なくとも、表示輝度を含む、処理モジュールと、
前記表示画面の前記第１部分に、前記第１表示属性に従って、前記第１画面表示データを表示する表示モジュールであって、前記第２部分は、無効化状態のままである、または、黒色で表示される、表示モジュールと
を備え、
前記検出モジュールはさらに、
前記タッチスクリーン上で実行された前記圧力操作の圧力持続期間を取得し、
前記処理モジュールはさらに、
前記圧力持続期間が予め設定された最小持続期間閾値を超過したとき、前記圧力操作の取得された第２圧力値と、第１表示属性対応関係とに従って、第２表示属性を決定し、前記第１表示属性対応関係は、前記圧力値と前記表示属性との間の対応関係を含み、かつ、取得された前記第２圧力値と、第１データ対応関係とに従って、第２画面表示データを決定し、前記第１データ対応関係は、前記圧力値と前記画面表示データとの間の対応関係を含み、
前記表示モジュールはさらに、
前記表示画面の前記第１部分に、前記第２表示属性に従って、前記第２画面表示データを表示し、前記第１画面表示データの表示を停止する、画面有効化装置。
【請求項３６】
前記処理モジュールはさらに、
前記第１圧力値が前記予め設定された圧力操作閾値より大きい、またはそれに等しいとき、前記表示画面の予め設定された前記第１部分に、予め設定された第１表示輝度に従って、予め設定された前記第１画面表示データを表示すると決定し、前記第１表示属性対応関係は、前記圧力値と前記表示輝度との間の対応関係を含み、前記圧力値の増加は、前記表示輝度の増加に対応しており、前記第１データ対応関係は、前記圧力値と前記画面表示データとの間の対応関係を含み、前記圧力値の増加は、前記画面表示データの増加に対応しており、
前記処理モジュールはさらに、
前記圧力操作の取得された前記第２圧力値と、前記第１表示属性対応関係とに従って、第２表示輝度を決定し、
前記表示モジュールはさらに、
前記表示画面の前記第１部分に、前記第２表示輝度に従って、前記第２画面表示データを表示し、前記第１画面表示データの表示を停止する、請求項３４または３５に記載の画面有効化装置。
【請求項３７】
前記検出モジュールはさらに、
前記タッチスクリーン上で実行された前記圧力操作の圧力持続期間を取得し、
前記処理モジュールはさらに、
前記圧力持続期間が予め設定された最小持続期間閾値を超過したとき、前記第１圧力値と、前記圧力持続期間と、予め設定された第２表示属性対応関係とに従って、第２表示属性を決定し、前記第２表示属性対応関係は、前記第１圧力値と、前記圧力持続期間と、前記表示属性との間の対応関係を含み、
前記表示モジュールはさらに、
前記表示画面の前記第１部分に、前記第２表示属性に従って、前記第１画面表示データを表示する、請求項２６から２９のいずれか一項に記載の画面有効化装置。
【請求項３８】
電子デバイスの表示画面が無効化状態にあるとき、前記電子デバイスのタッチスクリーン上で実行された圧力操作の第１圧力値を検出する検出モジュールであって、前記表示画面は、第１部分および第２部分を含む、検出モジュールと、
前記第１圧力値が予め設定された圧力操作閾値より大きい、またはそれに等しいとき、前記表示画面の前記第１部分に、第１表示属性に従って、第１画面表示データを表示すると決定する処理モジュールであって、前記第１表示属性は少なくとも、表示輝度を含む、処理モジュールと、
前記表示画面の前記第１部分に、前記第１表示属性に従って、前記第１画面表示データを表示する表示モジュールであって、前記第２部分は、無効化状態のままである、または、黒色で表示される、表示モジュールと
を備え、
前記検出モジュールはさらに、
前記タッチスクリーン上で実行された前記圧力操作の圧力持続期間を取得し、
前記処理モジュールはさらに、
前記圧力持続期間が予め設定された最小持続期間閾値を超過したとき、前記第１圧力値と、前記圧力持続期間と、予め設定された第２表示属性対応関係とに従って、第２表示属性を決定し、前記第２表示属性対応関係は、前記第１圧力値と、前記圧力持続期間と、前記表示属性との間の対応関係を含み、
前記表示モジュールはさらに、
前記表示画面の前記第１部分に、前記第２表示属性に従って、前記第１画面表示データを表示する、画面有効化装置。
【請求項３９】
前記検出モジュールはさらに、
前記タッチスクリーン上で実行された前記圧力操作の圧力持続期間を取得し、
前記処理モジュールはさらに、
前記圧力持続期間が予め設定された最小持続期間閾値を超過したとき、前記第１圧力値と、前記圧力持続期間と、予め設定された第２データ対応関係とに従って、第２画面表示データを決定し、前記第２データ対応関係は、前記第１圧力値と、前記圧力持続期間と、前記画面表示データとの間の対応関係を含み、
前記表示モジュールはさらに、
前記表示画面の前記第１部分に、前記第１表示属性に従って、前記第２画面表示データを表示し、前記第１画面表示データの表示を停止する、請求項２６から２９のいずれか一項に記載の画面有効化装置。
【請求項４０】
電子デバイスの表示画面が無効化状態にあるとき、前記電子デバイスのタッチスクリーン上で実行された圧力操作の第１圧力値を検出する検出モジュールであって、前記表示画面は、第１部分および第２部分を含む、検出モジュールと、
前記第１圧力値が予め設定された圧力操作閾値より大きい、またはそれに等しいとき、前記表示画面の前記第１部分に、第１表示属性に従って、第１画面表示データを表示すると決定する処理モジュールであって、前記第１表示属性は少なくとも、表示輝度を含む、処理モジュールと、
前記表示画面の前記第１部分に、前記第１表示属性に従って、前記第１画面表示データを表示する表示モジュールであって、前記第２部分は、無効化状態のままである、または、黒色で表示される、表示モジュールと
を備え、
前記検出モジュールはさらに、
前記タッチスクリーン上で実行された前記圧力操作の圧力持続期間を取得し、
前記処理モジュールはさらに、
前記圧力持続期間が予め設定された最小持続期間閾値を超過したとき、前記第１圧力値と、前記圧力持続期間と、予め設定された第２データ対応関係とに従って、第２画面表示データを決定し、前記第２データ対応関係は、前記第１圧力値と、前記圧力持続期間と、前記画面表示データとの間の対応関係を含み、
前記表示モジュールはさらに、
前記表示画面の前記第１部分に、前記第１表示属性に従って、前記第２画面表示データを表示し、前記第１画面表示データの表示を停止する、画面有効化装置。
【請求項４１】
前記検出モジュールはさらに、
前記タッチスクリーン上で実行された前記圧力操作の圧力持続期間を取得し、
前記処理モジュールはさらに、
前記圧力持続期間が予め設定された最小持続期間閾値を超過したとき、前記第１圧力値と、前記圧力持続期間と、予め設定された第２表示属性対応関係とに従って、第２表示属性を決定し、前記第２表示属性対応関係は、前記第１圧力値と、前記圧力持続期間と、前記表示属性との間の対応関係を含み、かつ、前記第１圧力値と、前記圧力持続期間と、予め設定された第２データ対応関係とに従って、第２画面表示データを決定し、前記第２データ対応関係は、前記第１圧力値と、前記圧力持続期間と、前記画面表示データとの間の対応関係を含み、
前記表示モジュールはさらに、
前記表示画面の前記第１部分に、前記第２表示属性に従って、前記第２画面表示データを表示し、前記第１画面表示データの表示を停止する、請求項２６から２９のいずれか一項に記載の画面有効化装置。
【請求項４２】
電子デバイスの表示画面が無効化状態にあるとき、前記電子デバイスのタッチスクリーン上で実行された圧力操作の第１圧力値を検出する検出モジュールであって、前記表示画面は、第１部分および第２部分を含む、検出モジュールと、
前記第１圧力値が予め設定された圧力操作閾値より大きい、またはそれに等しいとき、前記表示画面の前記第１部分に、第１表示属性に従って、第１画面表示データを表示すると決定する処理モジュールであって、前記第１表示属性は少なくとも、表示輝度を含む、処理モジュールと、
前記表示画面の前記第１部分に、前記第１表示属性に従って、前記第１画面表示データを表示する表示モジュールであって、前記第２部分は、無効化状態のままである、または、黒色で表示される、表示モジュールと
を備え、
前記検出モジュールはさらに、
前記タッチスクリーン上で実行された前記圧力操作の圧力持続期間を取得し、
前記処理モジュールはさらに、
前記圧力持続期間が予め設定された最小持続期間閾値を超過したとき、前記第１圧力値と、前記圧力持続期間と、予め設定された第２表示属性対応関係とに従って、第２表示属性を決定し、前記第２表示属性対応関係は、前記第１圧力値と、前記圧力持続期間と、前記表示属性との間の対応関係を含み、かつ、前記第１圧力値と、前記圧力持続期間と、予め設定された第２データ対応関係とに従って、第２画面表示データを決定し、前記第２データ対応関係は、前記第１圧力値と、前記圧力持続期間と、前記画面表示データとの間の対応関係を含み、
前記表示モジュールはさらに、
前記表示画面の前記第１部分に、前記第２表示属性に従って、前記第２画面表示データを表示し、前記第１画面表示データの表示を停止する、画面有効化装置。
【請求項４３】
前記検出モジュールはさらに、
予め設定された期間内に、前記表示画面上で実行された第１操作を取得し、
前記処理モジュールはさらに、
前記第１圧力値と、前記第１操作と、予め設定された第３表示属性対応関係とに従って、第２表示属性を決定し、前記第３表示属性対応関係は、前記第１圧力値と、前記第１操作と、前記表示属性との間の対応関係を含み、
前記表示モジュールはさらに、
前記表示画面の前記第１部分に、前記第２表示属性に従って、前記第１画面表示データを表示する、請求項２６から２９のいずれか一項に記載の画面有効化装置。
【請求項４４】
電子デバイスの表示画面が無効化状態にあるとき、前記電子デバイスのタッチスクリーン上で実行された圧力操作の第１圧力値を検出する検出モジュールであって、前記表示画面は、第１部分および第２部分を含む、検出モジュールと、
前記第１圧力値が予め設定された圧力操作閾値より大きい、またはそれに等しいとき、前記表示画面の前記第１部分に、第１表示属性に従って、第１画面表示データを表示すると決定する処理モジュールであって、前記第１表示属性は少なくとも、表示輝度を含む、処理モジュールと、
前記表示画面の前記第１部分に、前記第１表示属性に従って、前記第１画面表示データを表示する表示モジュールであって、前記第２部分は、無効化状態のままである、または、黒色で表示される、表示モジュールと
を備え、
前記検出モジュールはさらに、
予め設定された期間内に、前記表示画面上で実行された第１操作を取得し、
前記処理モジュールはさらに、
前記第１圧力値と、前記第１操作と、予め設定された第３表示属性対応関係とに従って、第２表示属性を決定し、前記第３表示属性対応関係は、前記第１圧力値と、前記第１操作と、前記表示属性との間の対応関係を含み、
前記表示モジュールはさらに、
前記表示画面の前記第１部分に、前記第２表示属性に従って、前記第１画面表示データを表示する、画面有効化装置。
【請求項４５】
前記検出モジュールはさらに、
予め設定された期間内に、前記表示画面上で実行された第１操作を取得し、
前記処理モジュールはさらに、
前記第１圧力値と、前記第１操作と、予め設定された第３データ対応関係とに従って、第２画面表示データを決定し、前記第３データ対応関係は、前記第１圧力値と、前記第１操作と、前記画面表示データとの間の対応関係を含み、
前記表示モジュールはさらに、
前記表示画面の前記第１部分に、前記第１表示属性に従って、前記第２画面表示データを表示し、前記第１画面表示データの表示を停止する、請求項２６から２９のいずれか一項に記載の画面有効化装置。
【請求項４６】
電子デバイスの表示画面が無効化状態にあるとき、前記電子デバイスのタッチスクリーン上で実行された圧力操作の第１圧力値を検出する検出モジュールであって、前記表示画面は、第１部分および第２部分を含む、検出モジュールと、
前記第１圧力値が予め設定された圧力操作閾値より大きい、またはそれに等しいとき、前記表示画面の前記第１部分に、第１表示属性に従って、第１画面表示データを表示すると決定する処理モジュールであって、前記第１表示属性は少なくとも、表示輝度を含む、処理モジュールと、
前記表示画面の前記第１部分に、前記第１表示属性に従って、前記第１画面表示データを表示する表示モジュールであって、前記第２部分は、無効化状態のままである、または、黒色で表示される、表示モジュールと
を備え、
前記検出モジュールはさらに、
予め設定された期間内に、前記表示画面上で実行された第１操作を取得し、
前記処理モジュールはさらに、
前記第１圧力値と、前記第１操作と、予め設定された第３データ対応関係とに従って、第２画面表示データを決定し、前記第３データ対応関係は、前記第１圧力値と、前記第１操作と、前記画面表示データとの間の対応関係を含み、
前記表示モジュールはさらに、
前記表示画面の前記第１部分に、前記第１表示属性に従って、前記第２画面表示データを表示し、前記第１画面表示データの表示を停止する、画面有効化装置。
【請求項４７】
前記検出モジュールはさらに、
予め設定された期間内に、前記表示画面上で実行された第１操作を取得し、
前記処理モジュールはさらに、
前記第１圧力値と、前記第１操作と、予め設定された第３表示属性対応関係とに従って、第２表示属性を決定し、前記第３表示属性対応関係は、前記第１圧力値と、前記第１操作と、前記表示属性との間の対応関係を含み、かつ、前記第１圧力値と、前記第１操作と、予め設定された第３データ対応関係とに従って、第２画面表示データを決定し、前記第３データ対応関係は、前記第１圧力値と、前記第１操作と、前記画面表示データとの間の対応関係を含み、
前記表示モジュールはさらに、
前記表示画面の前記第１部分に、前記第２表示属性に従って、前記第２画面表示データを表示し、前記第１画面表示データの表示を停止する、請求項２６から２９のいずれか一項に記載の画面有効化装置。
【請求項４８】
電子デバイスの表示画面が無効化状態にあるとき、前記電子デバイスのタッチスクリーン上で実行された圧力操作の第１圧力値を検出する検出モジュールであって、前記表示画面は、第１部分および第２部分を含む、検出モジュールと、
前記第１圧力値が予め設定された圧力操作閾値より大きい、またはそれに等しいとき、前記表示画面の前記第１部分に、第１表示属性に従って、第１画面表示データを表示すると決定する処理モジュールであって、前記第１表示属性は少なくとも、表示輝度を含む、処理モジュールと、
前記表示画面の前記第１部分に、前記第１表示属性に従って、前記第１画面表示データを表示する表示モジュールであって、前記第２部分は、無効化状態のままである、または、黒色で表示される、表示モジュールと
を備え、
前記検出モジュールはさらに、
予め設定された期間内に、前記表示画面上で実行された第１操作を取得し、
前記処理モジュールはさらに、
前記第１圧力値と、前記第１操作と、予め設定された第３表示属性対応関係とに従って、第２表示属性を決定し、前記第３表示属性対応関係は、前記第１圧力値と、前記第１操作と、前記表示属性との間の対応関係を含み、かつ、前記第１圧力値と、前記第１操作と、予め設定された第３データ対応関係とに従って、第２画面表示データを決定し、前記第３データ対応関係は、前記第１圧力値と、前記第１操作と、前記画面表示データとの間の対応関係を含み、
前記表示モジュールはさらに、
前記表示画面の前記第１部分に、前記第２表示属性に従って、前記第２画面表示データを表示し、前記第１画面表示データの表示を停止する、画面有効化装置。
【請求項４９】
前記検出モジュールはさらに、
前記第１圧力値が前記予め設定された圧力操作閾値より大きい、またはそれに等しいとき、前記第１圧力値が前記予め設定された圧力操作閾値より大きい、またはそれに等しいときに対応する、前記圧力操作が実行された前記タッチスクリーンの第１接触位置を取得し、
前記処理モジュールはさらに、
前記第１接触位置に従って、前記第１接触位置に関連付けられる、前記第１部分の第１位置を決定し、
前記第１部分の前記第１位置と、予め設定されたロック画面テーマインタフェースとに従って、前記第１画面表示データを決定し、前記第１画面表示データは、前記第１部分の前記第１位置に対応する、前記ロック画面テーマインタフェース上の画面表示データであり、
前記表示モジュールはさらに、
前記表示画面の前記第１部分の前記第１位置に、前記第１画面表示データを表示する、請求項２６に記載の画面有効化装置。
【請求項５０】
前記検出モジュールさらに、
前記圧力操作が前記タッチスクリーン上で連続的に実行されるプロセスにおける接触が移動する場合、前記圧力操作の前記接触の移動が停止したときに対応する第２接触位置を取得し、
前記処理モジュールはさらに、
前記第２接触位置に従って、前記第２接触位置に関連付けられる、前記第１部分の第２位置を決定し、前記第１部分の前記第２位置と、予め設定された前記ロック画面テーマインタフェースとに従って、第２画面表示データを決定し、前記第２画面表示データは、前記第１部分の前記第２位置に対応する、前記ロック画面テーマインタフェース上の画面表示データであり、
前記表示モジュールはさらに、
前記表示画面の前記第１部分の前記第２位置に、前記第２画面表示データを表示する、請求項４９に記載の画面有効化装置。
【請求項５１】
電子デバイスであって、
プロセッサと、
前記プロセッサによる実行のためのプログラムを記憶するメモリであって、前記プログラムは、命令を含み、前記命令が前記プロセッサにより実行されたとき、請求項１から２５のいずれか一項に記載の画面有効化方法を前記電子デバイスに実行させる、メモリと
を備える電子デバイス。
【請求項５２】
命令を備えるコンピュータプログラムであって、前記コンピュータプログラムが電子デバイスにおいて実行されたとき、請求項１から２５のいずれか一項に記載の画面有効化方法を前記電子デバイスに実行させる、コンピュータプログラム。
【発明の詳細な説明】
【技術分野】
【０００１】
本願発明の実施形態は、通信技術に関し、特に、画面有効化方法および装置、ならびに電子デバイスに関する。
【背景技術】
【０００２】
現在、携帯電話の画面を有効化する方式は主に、ユーザにより、携帯電話上の物理ボタン（例えば、オン／オフボタン）を押下して画面を点灯させることで実行される。多くの場合、ユーザは、時間、日付、天気、および通知などの情報を見るために、携帯電話を使用する必要があるので、携帯電話を毎日数十回点灯させ、情報を見た後に携帯電話の画面を無効化する。結果として、携帯電話の画面は、毎日数十回、点灯したり無効化されたりする。
【０００３】
物理ボタンは一般的に、フレーム上、または携帯電話の上部に配置され、従って、ユーザは、物理ボタンを見付けて押下して初めて画面を有効化または無効化できる。大画面の携帯電話が普及しているため、片手操作中に物理ボタンを見付けることが不都合である。
【発明の概要】
【０００４】
本願発明の実施形態は、画面有効化方法および装置、ならびに電子デバイスを提供し、これにより、電子デバイスの使用によるユーザの情報閲覧利便性を向上させる。
【０００５】
第１態様によれば、本願発明の実施形態は、画面有効化方法を提供し、該方法は、電子デバイスの表示画面が無効化状態にあるとき、電子デバイスのタッチスクリーン上で実行された圧力操作の第１圧力値を検出する段階であって、表示画面は、第１部分および第２部分を含む、段階と、第１圧力値が予め設定された圧力操作閾値より大きい、またはそれに等しいとき、表示画面の第１部分に、第１表示属性に従って、第１画面表示データを表示する段階であって、第２部分は、無効化状態のままであり、または黒色で表示され、第１表示属性は少なくとも、表示輝度を含む、段階とを備える。
【０００６】
第１態様の第１の可能な実装方式において、第１画面表示データを表示する段階の前に、方法はさらに、第１圧力値と、予め設定された第１データ対応関係とに従って、第１画面表示データを決定する段階であって、第１データ対応関係は、圧力値と画面表示データとの間の対応関係を含む、段階を備える。
【０００７】
第１態様または第１態様の第１の可能な実装方式に関連して、第２の可能な実装方式において、第１画面表示データを表示する段階の前に、方法はさらに、第１圧力値と予め設定された第１表示属性対応関係とに従って、第１表示属性を決定する段階であって、第１表示属性対応関係は、圧力値と、表示属性との間の対応関係を含む、段階を備える。
【０００８】
第１態様または第１態様の第１もしくは第２の可能な実装方式のいずれか１つに関連して、第３の可能な実装方式において、第１画面表示データを表示する段階の前に、方法はさらに、第１圧力値が予め設定された圧力操作閾値より大きい、またはそれに等しいときに対応する、圧力操作が実行されたタッチスクリーンの第１接触位置を取得する段階と、第１接触位置に従って、第１接触位置に関連付けられる、第１部分の位置を決定する段階とを含む。
【０００９】
第１態様または第１態様の第１から第３の可能な実装方式のいずれか１つに関連して、第４の可能な実装方式において、第１画面表示データを表示する段階の後で、方法はさらに、タッチスクリーン上で実行された圧力操作の圧力持続期間を取得する段階と、圧力持続期間が予め設定された最小持続期間閾値を超過したとき、圧力操作の取得された第２圧力値と、第１表示属性対応関係とに従って、第２表示属性を決定する段階であって、第１表示属性対応関係は、圧力値と表示属性との間の対応関係を含む、段階と、表示画面の第１部分に、第２表示属性に従って、第１画面表示データを表示する段階とを備える。
【００１０】
第１態様または第１態様の第１から第３の可能な実装方式のいずれか１つに関連して、第５の可能な実装方式において、第１画面表示データを表示する段階の後で、方法はさらに、タッチスクリーン上で実行された圧力操作の圧力持続期間を取得する段階と、圧力持続期間が予め設定された最小持続期間閾値を超過したとき、圧力操作の取得された第２圧力値と、第１データ対応関係とに従って、第２画面表示データを決定する段階であって、第１データ対応関係は、圧力値と画面表示データとの間の対応関係を含む、段階と、表示画面の第１部分に、第１表示属性に従って、第２画面表示データを表示し、第１画面表示データの表示を停止する段階とを備える。
【００１１】
第１態様または第１態様の第１から第３の可能な実装方式のいずれか１つに関連して、第６の可能な実装方式において、第１画面表示データを表示する段階の後で、方法はさらに、タッチスクリーン上で実行された圧力操作の圧力持続期間を取得する段階と、圧力持続期間が予め設定された最小持続期間閾値を超過したとき、圧力操作の取得された第２圧力値と、第１表示属性対応関係とに従って、第２表示属性を決定する段階であって、第１表示属性対応関係は、圧力値と表示属性との間の対応関係を含む、段階と、取得された第２圧力値と第１データ対応関係とに従って、第２画面表示データを決定する段階であって、第１データ対応関係は、圧力値と画面表示データとの間の対応関係を含む、段階と、表示画面の第１部分に、第２表示属性に従って、第２画面表示データを表示し、第１画面表示データの表示を停止する段階とを備える。
【００１２】
第１態様の第６の可能な実装方式に関連して、第７の可能な実装方式において、表示画面の第１部分に、第１表示属性に従って、第１画面表示データを表示する段階は、表示画面の予め設定された第１部分に、予め設定された第１表示輝度に従って、予め設定された第１画面表示データを表示する段階であって、第１表示属性対応関係は、圧力値と表示輝度との間の対応関係を含み、圧力値の増加は、表示輝度の増加に対応しており、第１データ対応関係は、圧力値と画面表示データとの間の対応関係を含み、圧力値の増加は、画面表示データの増加に対応している、段階を含み、圧力操作の取得された第２圧力値と、第１表示属性対応関係とに従って、第２表示属性を決定する段階は、圧力操作の取得された第２圧力値と、第１表示属性対応関係とに従って、第２表示輝度を決定する段階を含み、表示画面の第１部分に、第２表示属性に従って、第２画面表示データを表示し、第１画面表示データの表示を停止する段階は、表示画面の第１部分に、第２表示輝度に従って、第２画面表示データを表示し、第１画面表示データの表示を停止する段階を含む。
【００１３】
第１態様または第１態様の第１から第３の可能な実装方式のいずれか１つに関連して、第８の可能な実装方式において、第１画面表示データを表示する段階の後で、方法はさらに、タッチスクリーン上で実行された圧力操作の圧力持続期間を取得する段階と、圧力持続期間が予め設定された最小持続期間閾値を超過したとき、第１圧力値と、圧力持続期間と、予め設定された第２表示属性対応関係とに従って、第２表示属性を決定する段階であって、第２表示属性対応関係は、第１圧力値と、圧力持続期間と、表示属性との間の対応関係を含む、段階と、表示画面の第１部分に、第２表示属性に従って、第１画面表示データを表示する段階とを備える。
【００１４】
第１態様または第１態様の第１から第３の可能な実装方式のいずれか１つに関連して、第９の可能な実装方式において、第１画面表示データを表示する段階の後で、方法はさらに、タッチスクリーン上で実行された圧力操作の圧力持続期間を取得する段階と、圧力持続期間が予め設定された最小持続期間閾値を超過したとき、第１圧力値と、圧力持続期間と、予め設定された第２データ対応関係とに従って、第２画面表示データを決定する段階であって、第２データ対応関係は、第１圧力値と、圧力持続期間と、画面表示データとの間の対応関係を含む、段階と、表示画面の第１部分に、第１表示属性に従って、第２画面表示データを表示し、第１画面表示データの表示を停止する段階とを備える。
【００１５】
第１態様または第１態様の第１から第３の可能な実装方式のいずれか１つに関連して、第１０の可能な実装方式において、第１画面表示データを表示する段階の後で、方法はさらに、タッチスクリーン上で実行された圧力操作の圧力持続期間を取得する段階と、圧力持続期間が予め設定された最小持続期間閾値を超過したとき、第１圧力値と、圧力持続期間と、予め設定された第２表示属性対応関係とに従って、第２表示属性を決定する段階であって、第２表示属性対応関係は、第１圧力値と、圧力持続期間と、表示属性との間の対応関係を含む、段階と、第１圧力値と、圧力持続期間と、予め設定された第２データ対応関係とに従って、第２画面表示データを決定する段階であって、第２データ対応関係は、第１圧力値と、圧力持続期間と、画面表示データとの間の対応関係を含む、段階と、表示画面の第１部分に、第２表示属性に従って、第２画面表示データを表示し、第１画面表示データの表示を停止する段階とを備える。
【００１６】
第１態様または第１態様の第１から第３の可能な実装方式のいずれか１つに関連して、第１１の可能な実装方式において、第１画面表示データを表示する段階の後で、方法はさらに、予め設定された期間内に、表示画面上で実行された第１操作を取得する段階と、第１圧力値と、第１操作と、予め設定された第３表示属性対応関係とに従って、第２表示属性を決定する段階であって、第３表示属性対応関係は、第１圧力値と、第１操作と、表示属性との間の対応関係を含む、段階と、表示画面の第１部分に、第２表示属性に従って、第１画面表示データを表示する段階とを備える。
【００１７】
第１態様または第１態様の第１から第３の可能な実装方式のいずれか１つに関連して、第１２の可能な実装方式において、第１画面表示データを表示する段階の後で、方法はさらに、予め設定された期間内に、表示画面上で実行された第１操作を取得する段階と、第１圧力値と、第１操作と、予め設定された第３データ対応関係とに従って、第２画面表示データを決定する段階であって、第３データ対応関係は、第１圧力値と、第１操作と、画面表示データとの間の対応関係を含む、段階と、表示画面の第１部分に、第１表示属性に従って、第２画面表示データを表示し、第１画面表示データの表示を停止する段階とを備える。
【００１８】
第１態様または第１態様の第１から第３の可能な実装方式のいずれか１つに関連して、第１３の可能な実装方式において、第１画面表示データを表示する段階の後で、方法はさらに、予め設定された期間内に、表示画面上で実行された第１操作を取得する段階と、第１圧力値と、第１操作と、予め設定された第３表示属性対応関係とに従って、第２表示属性を決定する段階であって、第３表示属性対応関係は、第１圧力値と、第１操作と、表示属性との間の対応関係を含む、段階と、第１圧力値と、第１操作と、予め設定された第３データ対応関係とに従って、第２画面表示データを決定する段階であって、第３データ対応関係は、第１圧力値と、第１操作と、画面表示データとの間の対応関係を含む、段階と、表示画面の第１部分に、第２表示属性に従って、第２画面表示データを表示し、第１画面表示データの表示を停止する段階とを備える。
【００１９】
第１態様の第１４の可能な実装態様において、第１圧力値が予め設定された圧力操作閾値より大きい、またはそれに等しいとき、表示画面の第１部分に、第１表示属性に従って、第１画面表示データを表示する段階は、第１圧力値が予め設定された圧力操作閾値より大きい、またはそれに等しいとき、第１圧力値が予め設定された圧力操作閾値より大きい、またはそれに等しいときに対応する、圧力操作が実行されたタッチスクリーンの第１接触位置を取得する段階と、第１接触位置に従って、第１接触位置に関連付けられる、第１部分の第１位置を決定する段階と、第１部分の第１位置と、予め設定されたロック画面テーマインタフェースとに従って、第１画面表示データを決定する段階であって、第１画面表示データは、第１部分の第１位置に対応する、ロック画面テーマインタフェース上の画面表示データである、段階と、表示画面の第１部分の第１位置に、第１画面表示データを表示する段階とを含む。
【００２０】
第１態様の第１４の可能な実装態様に関連して、第１５の可能な実装方式において、第１画面表示データを表示する段階の後で、方法はさらに、圧力操作がタッチスクリーン上で連続的に実行されるプロセスにおける接触が移動する場合、圧力操作の接触の移動が停止したときに対応する第２接触位置を取得する段階と、第２接触位置に従って、第２接触位置に関連付けられる、第１部分の第２位置を決定する段階と、第１部分の第２位置と、予め設定されたロック画面テーマインタフェースとに従って、第２画面表示データを決定する段階であって、第２画面表示データは、第１部分の第２位置に対応する、ロック画面テーマインタフェース上の画面表示データである、段階と、表示画面の第１部分の第２位置に、第２画面表示データを表示する段階とを備える。
【００２１】
第２態様によれば、本願発明の実施形態は、画面有効化装置を提供し、該装置は、電子デバイスの表示画面が無効化状態にあるとき、電子デバイスのタッチスクリーン上で実行された圧力操作の第１圧力値を検出するよう構成される検出モジュールであって、表示画面は、第１部分および第２部分を含む、検出モジュールと、第１圧力値が予め設定された圧力操作閾値より大きい、またはそれに等しいとき、表示画面の第１部分に、第１表示属性に従って、第１画面表示データを表示すると決定するよう構成される処理モジュールであって、第１表示属性は少なくとも、表示輝度を含む、処理モジュールと、表示画面の第１部分に、第１表示属性に従って、第１画面表示データを表示するよう構成される表示モジュールであって、第２部分は、無効化状態のままである、または、黒色で表示される、表示モジュールとを備える。
【００２２】
第２態様の第１の可能な実装方式において、処理モジュールはさらに、第１圧力値と、予め設定された第１データ対応関係とに従って、第１画面表示データを決定するよう構成され、ここで、第１データ対応関係は、圧力値と画面表示データとの間の対応関係を含む。
【００２３】
第２態様または第２態様の第１の可能な実装方式に関連して、第２の可能な実装方式において、処理モジュールはさらに、第１圧力値と、予め設定された第１表示属性対応関係とに従って、第１表示属性を決定するよう構成され、ここで、第１表示属性対応関係は、圧力値と表示属性との間の対応関係を含む。
【００２４】
第２態様または第２態様の第１もしくは第２の可能な実装方式のいずれか１つに関連して、第３の可能な実装方式において、検出モジュールはさらに、第１圧力値が予め設定された圧力操作閾値より大きい、またはそれに等しいときに対応する、圧力操作が実行されたタッチスクリーンの第１接触位置を取得するよう構成され、処理モジュールはさらに、第１接触位置に従って、第１接触位置に関連付けられる、第１部分の位置を決定するよう構成される。
【００２５】
第２態様または第２態様の第１から第３の可能な実装方式のいずれか１つに関連して、第４の可能な実装方式において、検出モジュールはさらに、タッチスクリーン上で実行された圧力操作の圧力持続期間を取得するよう構成され、処理モジュールはさらに、圧力持続期間が予め設定された最小持続期間閾値を超過したとき、圧力操作の取得された第２圧力値と、第１表示属性対応関係とに従って、第２表示属性を決定するよう構成され、ここで、第１表示属性対応関係は、圧力値と表示属性との間の対応関係を含み、表示モジュールはさらに、表示画面の第１部分に、第２表示属性に従って、第１画面表示データを表示するよう構成される。
【００２６】
第２態様または第２態様の第１から第３の可能な実装方式のいずれか１つに関連して、第５の可能な実装方式において、検出モジュールはさらに、タッチスクリーン上で実行された圧力操作の圧力持続期間を取得するよう構成され、処理モジュールはさらに、圧力持続期間が予め設定された最小持続期間閾値を超過したとき、圧力操作の取得された第２圧力値と、第１データ対応関係とに従って、第２画面表示データを決定するよう構成され、ここで、第１データ対応関係は、圧力値と画面表示データとの間の対応関係を含み、表示モジュールはさらに、表示画面の第１部分に、第１表示属性に従って、第２画面表示データを表示し、第１画面表示データの表示を停止するよう構成される。
【００２７】
第２態様または第２態様の第１から第３の可能な実装方式のいずれか１つに関連して、第６の可能な実装方式において、検出モジュールはさらに、タッチスクリーン上で実行される圧力操作の圧力持続期間を取得するよう構成され、処理モジュールはさらに、圧力持続期間が予め設定された最小持続期間閾値を超過したとき、圧力操作の取得された第２圧力値と、第１表示属性対応関係とに従って、第２表示属性を決定するよう構成され、第１表示属性対応関係は、圧力値と表示属性との間の対応関係を含み、かつ、取得された第２圧力値と第１データ対応関係とに従って、第２画面表示データを決定するよう構成され、第１データ対応関係は、圧力値と画面表示データとの間の対応関係を含み、表示モジュールはさらに、表示画面の第１部分に、第２表示属性に従って、第２画面表示データを表示し、第１画面表示データの表示を停止するよう構成される。
【００２８】
第２態様の第６の可能な実装方式に関連して、第７の可能な実装方式において、処理モジュールはさらに、第１圧力値が予め設定された圧力操作閾値より大きい、またはそれに等しいとき、表示画面の予め設定された第１部分に、予め設定された第１表示輝度に従って、予め設定された第１画面表示データを表示すると決定するよう構成され、第１表示属性対応関係は、圧力値と表示輝度との間の対応関係を含み、圧力値の増加は、表示輝度の増加に対応しており、第１データ対応関係は、圧力値と画面表示データとの間の対応関係を含み、圧力値の増加は、画面表示データの増加に対応しており、処理モジュールはさらに、圧力操作の取得された第２圧力値と、第１表示属性対応関係とに従って、第２表示輝度を決定するよう構成され、表示モジュールはさらに、表示画面の第１部分に、第２表示輝度に従って、第２画面表示データを表示し、第１画面表示データの表示を停止するよう構成される。
【００２９】
第２態様または第２態様の第１から第３の可能な実装方式のいずれか１つに関連して、第８の可能な実装方式において、検出モジュールはさらに、タッチスクリーン上で実行された圧力操作の圧力持続期間を取得するよう構成され、処理モジュールはさらに、圧力持続期間が予め設定された最小持続期間閾値を超過したとき、第１圧力値と、圧力持続期間と、予め設定された第２表示属性対応関係とに従って、第２表示属性を決定するよう構成され、第２表示属性対応関係は、第１圧力値と、圧力持続期間と、表示属性との間の対応関係を含み、表示モジュールはさらに、表示画面の第１部分に、第２表示属性に従って、第１画面表示データを表示するよう構成される。
【００３０】
第２態様または第２態様の第１から第３の可能な実装方式のいずれか１つに関連して、第９の可能な実装方式において、検出モジュールはさらに、タッチスクリーン上で実行された圧力操作の圧力持続期間を取得するよう構成され、処理モジュールはさらに、圧力持続期間が予め設定された最小持続期間閾値を超過したとき、第１圧力値と、圧力持続期間と、予め設定された第２データ対応関係とに従って、第２画面表示データを決定するよう構成され、第２データ対応関係は、第１圧力値と、圧力持続期間と、画面表示データとの間の対応関係を含み、表示モジュールはさらに、表示画面の第１部分に、第１表示属性に従って、第２画面表示データを表示し、第１画面表示データの表示を停止するよう構成される。
【００３１】
第２態様または第２態様の第１から第３の可能な実装方式のいずれか１つに関連して、第１０の可能な実装方式において、検出モジュールはさらに、タッチスクリーン上で実行される圧力操作の圧力持続期間を取得するよう構成され、処理モジュールはさらに、圧力持続期間が予め設定された最小持続期間閾値を超過したとき、第１圧力値と、圧力持続期間と、予め設定された第２表示属性対応関係とに従って、第２表示属性を決定するよう構成され、第２表示属性対応関係は、第１圧力値と、圧力持続期間と、表示属性との間の対応関係を含み、かつ、第１圧力値と、圧力持続期間と、予め設定された第２データ対応関係とに従って、第２画面表示データを決定するよう構成され、第２データ対応関係は、第１圧力値と、圧力持続期間と、画面表示データとの間の対応関係を含み、表示モジュールはさらに、表示画面の第１部分に、第２表示属性に従って、第２画面表示データを表示し、第１画面表示データの表示を停止するよう構成される。
【００３２】
第２態様または第２態様の第１から第３の可能な実装方式のいずれか１つに関連して、第１１の可能な実装方式において、検出モジュールはさらに、予め設定された期間内に、表示画面上で実行された第１操作を取得するよう構成され、処理モジュールはさらに、第１圧力値と、第１操作と、予め設定された第３表示属性対応関係とに従って、第２表示属性を決定するよう構成され、ここで、第３表示属性対応関係は、第１圧力値と、第１操作と、表示属性との間の対応関係を含み、表示モジュールはさらに、表示画面の第１部分に、第２表示属性に従って、第１画面表示データを表示するよう構成される。
【００３３】
第２態様または第２態様の第１から第３の可能な実装方式のいずれか１つに関連して、第１２の可能な実装方式において、検出モジュールはさらに、予め設定された期間内に、表示画面上で実行された第１操作を取得するよう構成され、処理モジュールはさらに、第１圧力値と、第１操作と、予め設定された第３データ対応関係とに従って、第２画面表示データを決定するよう構成され、ここで、第３データ対応関係は、第１圧力値と、第１操作と、画面表示データとの間の対応関係を含み、表示モジュールはさらに、表示画面の第１部分に、第１表示属性に従って、第２画面表示データを表示し、第１画面表示データの表示を停止するよう構成される。
【００３４】
第２態様または第２態様の第１から第３の可能な実装方式のいずれか１つに関連して、第１３の可能な実装方式において、検出モジュールはさらに、予め設定された期間内に、表示画面上で実行された第１操作を取得するよう構成され、処理モジュールはさらに、第１圧力値と、第１操作、予め設定された第３表示属性対応関係とに従って、第２表示属性を決定するよう構成され、第３表示属性対応関係は、第１圧力値と、第１操作と、表示属性との間の対応関係を含み、かつ、第１圧力値と、第１操作と、予め設定された第３データ対応関係とに従って、第２画面表示データを決定するよう構成され、第３データ対応関係は、第１圧力値と、第１操作と、画面表示データとの間の対応関係を含み、表示モジュールはさらに、表示画面の第１部分に、第２表示属性に従って、第２画面表示データを表示し、第１画面表示データの表示を停止するよう構成される。
【００３５】
第２態様の第１４の可能な実装態様において、検出モジュールはさらに、第１圧力値が予め設定された圧力操作閾値より大きい、またはそれに等しいとき、第１圧力値が予め設定された圧力操作閾値より大きい、またはそれに等しいときに対応する、圧力操作が実行されたタッチスクリーンの第１接触位置を取得するよう構成され、処理モジュールはさらに、第１接触位置に従って、第１接触位置に関連付けられる、第１部分の第１位置を決定し、第１部分の第１位置と、予め設定されたロック画面テーマインタフェースとに従って、第１画面表示データを決定するよう構成され、第１画面表示データは、第１部分の第１位置に対応する、ロック画面テーマインタフェース上の画面表示データであり、表示モジュールはさらに、表示画面の第１部分の第１位置に、第１画面表示データを表示するよう構成される。
【００３６】
第２態様の第１４の可能な実装態様に関連して、第１５の可能な実装方式において、検出モジュールはさらに、圧力操作がタッチスクリーン上で連続的に実行されるプロセスにおける接触が移動するとき、圧力操作の接触の移動が停止したときに対応する第２接触位置を取得するよう構成され、処理モジュールはさらに、第２接触位置に従って、第２接触位置に関連付けられる、第１部分の第２位置を決定し、第１部分の第２位置と、予め設定されたロック画面テーマインタフェースとに従って、第２画面表示データを決定するよう構成され、第２画面表示データは、第１部分の第２位置に対応する、ロック画面テーマインタフェース上の画面表示データであり、表示モジュールはさらに、表示画面の第１部分の第２位置に、第２画面表示データを表示するよう構成される。
【００３７】
第３態様によれば、本願発明の実施形態は、電子デバイスを提供し、該電子デバイスは、電子デバイスの表示画面が無効化状態にあるとき、電子デバイスのタッチスクリーン上で実行された圧力操作の第１圧力値を検出するよう構成されるタッチスクリーンであって、表示画面は、第１部分および第２部分を含む、タッチスクリーンと、第１圧力値が予め設定された圧力操作閾値より大きい、またはそれに等しいとき、表示画面の第１部分に、第１表示属性に従って、第１画面表示データを表示すると決定するよう構成されるプロセッサであって、前記第１表示属性は少なくとも、表示輝度を含む、プロセッサと、表示画面の第１部分に、第１表示属性に従って、第１画面表示データを表示するよう構成される表示画面であって、第２部分は、無効化状態のままである、または、黒色で表示される、表示画面とを備える。
【００３８】
第３態様の第１の可能な実装方式において、プロセッサはさらに、第１圧力値と予め設定された第１データ対応関係とに従って、第１画面表示データを決定するよう構成され、ここで、第１データ対応関係は、圧力値と画面表示データとの間の対応関係を含む。
【００３９】
第３態様または第３態様の第１の可能な実装方式に関連して、第２の可能な実装方式において、プロセッサはさらに、第１圧力値と予め設定された第１表示属性対応関係とに従って、第１表示属性を決定するよう構成され、ここで、第１表示属性対応関係は、圧力値と表示属性との間の対応関係を含む。
【００４０】
第３態様または第３態様の第１もしくは第２の可能な実装方式のいずれか１つに関連して、第３の可能な実装方式において、タッチスクリーンはさらに、第１圧力値が予め設定された圧力操作閾値より大きい、またはそれに等しいときに対応する、圧力操作が実行されたタッチスクリーンの第１接触位置を取得するよう構成され、プロセッサはさらに、第１接触位置に従って、第１接触位置に関連付けられる、第１部分の位置を決定するよう構成される。
【００４１】
第３態様または第３態様の第１から第３の可能な実装方式のいずれか１つに関連して、第４の可能な実装方式において、タッチスクリーンはさらに、タッチスクリーン上で実行された圧力操作の圧力持続期間を取得するよう構成され、プロセッサはさらに、圧力持続期間が予め設定された最小持続期間閾値を超過したとき、圧力操作の取得された第２圧力値と、第１表示属性対応関係とに従って、第２表示属性を決定するよう構成され、第１表示属性対応関係は、圧力値と表示属性との間の対応関係を含み、表示画面はさらに、表示画面の第１部分に、第２表示属性に従って、第１画面表示データを表示するよう構成される。
【００４２】
第３態様または第３態様の第１から第３の可能な実装方式のいずれか１つに関連して、第５の可能な実装方式において、タッチスクリーンはさらに、タッチスクリーン上で実行された圧力操作の圧力持続期間を取得するよう構成され、プロセッサはさらに、圧力持続期間が予め設定された最小持続期間閾値を超過したとき、圧力操作の取得された第２圧力値と、第１データ対応関係とに従って、第２画面表示データを決定するよう構成され、第１データ対応関係は、圧力値と画面表示データとの間の対応関係を含み、表示画面はさらに、表示画面の第１部分に、第１表示属性に従って、第２画面表示データを表示し、第１画面表示データの表示を停止するよう構成される。
【００４３】
第３態様または第３態様の第１から第３の可能な実装方式のいずれか１つに関連して、第６の可能な実装方式において、タッチスクリーンはさらに、タッチスクリーン上で実行された圧力操作の圧力持続期間を取得するよう構成され、プロセッサはさらに、圧力持続期間が予め設定された最小持続期間閾値を超過したとき、圧力操作の取得された第２圧力値と、第１表示属性対応関係とに従って、第２表示属性を決定するよう構成され、第１表示属性対応関係は、圧力値と表示属性との間の対応関係を含み、かつ、取得された第２圧力値と、第１データ対応関係とに従って、第２画面表示データを決定するよう構成され、第１データ対応関係は、圧力値と、画面表示データとの間の対応関係を含み、表示画面はさらに、表示画面の第１部分に、第２表示属性に従って、第２画面表示データを表示し、第１画面表示データの表示を停止するよう構成される。
【００４４】
第３態様の第６の可能な実装方式に関連して、第７の可能な実装方式において、プロセッサはさらに、第１圧力値が予め設定された圧力操作閾値より大きい、またはそれに等しいとき、表示画面の予め設定された第１部分に、予め設定された第１表示輝度に従って、予め設定された第１画面表示データを表示すると決定するよう構成され、第１表示属性対応関係は、圧力値と表示輝度との間の対応関係を含み、圧力値の増加は、表示輝度の増加に対応しており、第１データ対応関係は、圧力値と画面表示データとの間の対応関係を含み、圧力値の増加は、画面表示データの増加に対応しており、プロセッサはさらに、圧力操作の取得された第２圧力値と、第１表示属性対応関係とに従って、第２表示輝度を決定するよう構成され、表示画面はさらに、表示画面の第１部分に、第２表示輝度に従って、第２画面表示データを表示し、第１画面表示データの表示を停止するよう構成される。
【００４５】
第３態様または第３態様の第１から第３の可能な実装方式のいずれか１つに関連して、第８の可能な実装方式において、タッチスクリーンはさらに、タッチスクリーン上で実行された圧力操作の圧力持続期間を取得するよう構成され、プロセッサはさらに、圧力持続期間が予め設定された最小持続期間閾値を超過したとき、第１圧力値と、圧力持続期間と、予め設定された第２表示属性対応関係とに従って、第２表示属性を決定するよう構成され、第２表示属性対応関係は、第１圧力値と、圧力持続期間と、表示属性との間の対応関係を含み、表示画面はさらに、表示画面の第１部分に、第２表示属性に従って、第１画面表示データを表示するよう構成される。
【００４６】
第３態様または第３態様の第１から第３の可能な実装方式のいずれか１つに関連して、第９の可能な実装方式において、タッチスクリーンはさらに、タッチスクリーン上で実行された圧力操作の圧力持続期間を取得するよう構成され、プロセッサはさらに、圧力持続期間が予め設定された最小持続期間閾値を超過したとき、第１圧力値と、圧力持続期間と、予め設定された第２データ対応関係とに従って、第２画面表示データを決定するよう構成され、第２データ対応関係は、第１圧力値と、圧力持続期間と、画面表示データとの間の対応関係を含み、表示画面はさらに、表示画面の第１部分に、第１表示属性に従って、第２画面表示データを表示し、第１画面表示データの表示を停止するよう構成される。
【００４７】
第３態様または第３態様の第１から第３の可能な実装方式のいずれか１つに関連して、第１０の可能な実装方式において、タッチスクリーンはさらに、タッチスクリーン上で実行された圧力操作の圧力持続期間を取得するよう構成され、プロセッサはさらに、圧力持続期間が予め設定された最小持続期間閾値を超過したとき、第１圧力値と、圧力持続期間と、予め設定された第２表示属性対応関係とに従って、第２表示属性を決定するよう構成され、第２表示属性対応関係は、第１圧力値と、圧力持続期間と、表示属性との間の対応関係を含み、かつ、第１圧力値と、圧力持続期間と、予め設定された第２データ対応関係とに従って、第２画面表示データを決定するよう構成され、第２データ対応関係は、第１圧力値と、圧力持続期間と、画面表示データとの間の対応関係を含み、表示画面はさらに、表示画面の第１部分に、第２表示属性に従って、第２画面表示データを表示し、第１画面表示データの表示を停止するよう構成される。
【００４８】
第３態様または第３態様の第１から第３の可能な実装方式のいずれか１つに関連して、第１１の可能な実装方式において、タッチスクリーンはさらに、予め設定された期間内に、表示画面上で実行された第１操作を取得するよう構成され、プロセッサはさらに、第１圧力値と、第１操作と、予め設定された第３表示属性対応関係とに従って、第２表示属性を決定するよう構成され、第３表示属性対応関係は、第１圧力値と、第１操作と、表示属性との間の対応関係を含み、表示画面はさらに、表示画面の第１部分に、第２表示属性に従って、第１画面表示データを表示するよう構成される。
【００４９】
第３態様または第３態様の第１から第３の可能な実装方式のいずれか１つに関連して、第１２の可能な実装方式において、タッチスクリーンはさらに、予め設定された期間内に、表示画面上で実行された第１操作を取得するよう構成され、プロセッサはさらに、第１圧力値と、第１操作と、予め設定された第３データ対応関係とに従って、第２画面表示データを決定するよう構成され、第３データ対応関係は、第１圧力値と、第１操作と、画面表示データとの間の対応関係を含み、表示画面はさらに、表示画面の第１部分に、第１表示属性に従って、第２画面表示データを表示し、第１画面表示データの表示を停止するよう構成される。
【００５０】
第３態様または第３態様の第１から第３の可能な実装方式のいずれか１つに関連して、第１３の可能な実装方式において、タッチスクリーンはさらに、予め設定された期間内に、表示画面上で実行された第１操作を取得するよう構成され、プロセッサはさらに、第１圧力値と、第１操作と、予め設定された第３表示属性対応関係とに従って、第２表示属性を決定するよう構成され、第３表示属性対応関係は、第１圧力値と、第１操作と、表示属性との間の対応関係を含み、かつ、第１圧力値と、第１操作と、予め設定された第３データ対応関係とに従って、第２画面表示データを決定するよう構成され、第３データ対応関係は、第１圧力値と、第１操作と、画面表示データとの間の対応関係を含み、表示画面はさらに、表示画面の第１部分に、第２表示属性に従って、第２画面表示データを表示し、第１画面表示データの表示を停止するよう構成される。
【００５１】
第３態様の第１４の可能な実装態様において、タッチスクリーンはさらに、第１圧力値が予め設定された圧力操作閾値より大きい、またはそれに等しいとき、第１圧力値が予め設定された圧力操作閾値より大きい、またはそれに等しいときに対応する、圧力操作が実行されたタッチスクリーンの第１接触位置を取得するよう構成され、プロセッサはさらに、第１接触位置に従って、第１接触位置に関連付けられる、第１部分の第１位置を決定し、第１部分の第１位置と、予め設定されたロック画面テーマインタフェースとに従って、第１画面表示データを決定するよう構成され、第１画面表示データは、第１部分の第１位置に対応する、ロック画面テーマインタフェース上の画面表示データであり、表示画面はさらに、表示画面の第１部分の第１位置に、第１画面表示データを表示するよう構成される。
【００５２】
第３態様の第１４の可能な実装態様に関連して、第１５の可能な実装方式において、タッチスクリーンはさらに、圧力操作がタッチスクリーン上で連続的に実行されるプロセスにおける接触が移動する場合、圧力操作の接触の移動が停止したときに対応する第２接触位置を取得するよう構成され、プロセッサはさらに、第２接触位置に従って、第２接触位置に関連付けられる、第１部分の第２位置を決定し、第１部分の第２位置と、予め設定されたロック画面テーマインタフェースとに従って、第２画面表示データを決定するよう構成され、第２画面表示データは、第１部分の第２位置に対応する、ロック画面テーマインタフェース上の画面表示データであり、表示画面はさらに、表示画面の第１部分の第２位置に、第２画面表示データを表示するよう構成される。
【００５３】
本願発明の実施形態において、電子デバイスの表示画面が無効化状態にあるとき、タッチスクリーン上で実行された圧力操作の第１圧力値は、取得され、第１圧力値が予め設定された圧力操作閾値より大きい、またはそれに等しいとき、表示画面は、部分的に点灯して画面表示データを表示する。表示画面が部分的に点灯した後で、圧力操作がタッチスクリーン上で実行され続けた場合、圧力持続期間が延長され、もしくは圧力値が変化し、または、圧力操作が終了した後、予め設定された第１操作が、予め設定された期間内にタッチスクリーン上で実行される。この場合、画面表示データおよび／または表示属性は、変化した操作に従って、決定される。タッチスクリーンを押すことにより表示画面が部分的に点灯し、これにより、ユーザは、表示画面を完全に点灯させることなく、対象とする情報を見ることができ、それにより、全画面での表示に起因する消費電力を低減させる。タッチスクリーン上で実行された圧力操作が継続され、もしくは変化し、または、新たな操作が実行され、これにより、画面表示データおよび／または表示属性がそれに対応して変化し、それにより、ヒューマンマシンインタラクションのインテリジェンスを向上させる。
【図面の簡単な説明】
【００５４】
本願発明の実施形態または従来技術における技術的解決手段をより明確に説明するために、以下では、実施形態または従来技術を説明するために必要とされる添付図面を簡潔に説明する。明らかに、以下の説明における添付図面は単に、本願発明のいくつかの実施形態を示しており、当業者は、創造的努力なく、これらの添付図面から、他の図面をさらに導き出し得る。
【００５５】
【図１】本願発明の実施形態に係る電子デバイスの概略構造図である。
【００５６】
【図２】本願発明の実施形態に係る別の電子デバイスの画面の概略構造図である。
【００５７】
【図３】本願発明の実施形態に係る画面有効化方法の概略フローチャートである。
【００５８】
【図４Ａ】表示画面の第１部分において時間情報を表示する概略図である。
【００５９】
【図４Ｂ】第１表示輝度に従って表示画面上で画面表示データを表示する概略図である。
【００６０】
【図４Ｃ】表示画面の第１部分が第１接触位置に関連付けられる場合を示す概略図である。
【００６１】
【図４Ｄ】接触位置の移動に係る、表示画面上の異なる画面表示データを表示する概略図である。
【００６２】
【図５】本願発明の実施形態に係る別の画面有効化方法の概略フローチャートである。
【００６３】
【図６Ａ】図５における表示画面が部分的に点灯した後の表示変化の概略図である。
【００６４】
【図６Ｂ】図５における表示画面が部分的に点灯した後の別の表示変化の概略図である。
【００６５】
【図６Ｃ】図５における表示画面が部分的に点灯した後の別の表示変化の概略図である。
【００６６】
【図７】本願発明の実施形態に係る別の画面有効化方法の概略フローチャートである。
【００６７】
【図８】図７における表示画面が部分的に点灯した後の表示変化の概略図である。
【００６８】
【図９】本願発明の実施形態に係る別の画面有効化方法の概略フローチャートである。
【００６９】
【図１０】図９における表示画面が部分的に点灯した後の表示変化の概略図である。
【００７０】
【図１１】本願発明の実施形態に係る画面有効化装置の概略構造図である。
【発明を実施するための形態】
【００７１】
以下では、本願発明の実施形態における添付図面を参照して、本願発明の実施形態における技術的解決手段を明確に、かつ完全に説明する。明らかに、説明される実施形態は、本願発明のいくつかの実施形態に過ぎず、全てではない。当業者により本願発明の実施形態に基づいて創造的努力なく取得される他の全ての実施形態は、本願発明の保護範囲内に含まれるものとする。
【００７２】
図１は、本願発明の実施形態に係る電子デバイスの概略構造図である。電子デバイス１００は、無線周波数（Ｒａｄｉｏ  Ｆｒｅｑｕｅｎｃｙ、ＲＦ）回路１１１０、メモリ１１２０、入力ユニット１１３０、表示ユニット１１４０、センサ１１５０、可聴周波数回路１１６０、ワイヤレスフィディリティ（Ｗｉｒｅｌｅｓｓ  Ｆｉｄｅｌｉｔｙ、ＷｉＦｉ（登録商標））モジュール１１７０、プロセッサ１１８０、および電源１１９０などの構成要素を備える。これらの構成要素は、１つ又は複数の通信バスまたは信号ケーブルを用いることにより、通信を実行する。電子デバイス１００は、任意の電子デバイスであってよく、これらに限定されないが、ハンドヘルドコンピュータ、タブレットコンピュータ、携帯電話、メディアプレーヤ、もしくはパーソナルデジタルアシスタント（ＰＤＡ）を含み、または、これらのうち２つ又はそれより多いデバイスの組み合わせを含む。当業者は、図１に示されているデバイスの構造が、電子デバイスに対していかなる限定を構成せず、電子デバイスは、図面に示されている構成要素より多い、またはより少ない構成要素、またはいくつかの構成要素の組み合わせ、もしくは異なって配置される構成要素を含んでよいことを理解し得る。
【００７３】
以下では、図１を参照して、電子デバイス１００の各構成部分を詳細に説明する。
【００７４】
ＲＦ回路１１１０は、情報を受信および送信するプロセスまたは通話プロセスにおいて、信号を受信および送信するよう構成されてよく、特に、基地局のダウンリンク情報を受信した後で、処理のためにプロセッサ１１８０にダウンリンク情報を送信し、さらに、基地局にアップリンクデータを送信するよう構成されてよい。概して、ＲＦ回路は、これらに限定されないが、アンテナ、少なくとも１つの増幅器、送受信機、カプラ、低雑音増幅器（Ｌｏｗ  Ｎｏｉｓｅ  Ａｍｐｌｉｆｉｅｒ、ＬＮＡ）、およびデュプレクサを含む。加えて、ＲＦ回路１１１０はさらに、無線通信によって、ネットワークと別のデバイスと通信してよい。無線通信について、任意の通信規格またはプロトコルが用いられてよく、これらに限定されないが、グローバルシステムフォーモバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎ、ＧＳＭ（登録商標））、汎用パケット無線サービス（Ｇｅｎｅｒａｌ  Ｐａｃｋｅｔ  Ｒａｄｉｏ  Ｓｅｒｖｉｃｅ、ＧＰＲＳ）、符号分割多重接続（Ｃｏｄｅ  Ｄｉｖｉｓｉｏｎ  Ｍｕｌｔｉｐｌｅ  Ａｃｃｅｓｓ、ＣＤＭＡ）、広帯域符号分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））、ロングタームエボリューション（Ｌｏｎｇ  Ｔｅｒｍ  Ｅｖｏｌｕｔｉｏｎ、ＬＴＥ）、電子メール、およびショートメッセージサービス（ｓｈｏｒｔ  ｍｅｓｓａｇｅ ｓｅｒｖｉｃｅ、ＳＭＳ）を含む。
【００７５】
メモリ１１２０は、ソフトウェアプログラムおよびモジュールを記憶するよう構成されてよく、プロセッサ１１８０は、メモリ１１２０に記憶されているソフトウェアプログラムおよびモジュールを起動させることにより、電子デバイスの様々なアプリケーション機能、およびデータ処理を実行する。メモリ１１２０は、プログラム記憶部およびデータ記憶部を主に含んでよい。プログラム記憶部は、オペレーティングシステム、（音声再生機能および画像再生機能などの）少なくとも１つの機能に必要とされるアプリケーションプログラム、および同様のものを記憶してよく、データ記憶部は、電子デバイスの使用に応じて生成される（オーディオデータおよび電話帳などの）データ、および同様のものを記憶してよい。加えて、メモリ１１２０は、高速ランダムアクセスメモリを含んでよく、少なくとも１つの磁気ディスク記憶デバイス、フラッシュメモリデバイス、または別の不揮発性ソリッドステート記憶デバイスなどの不揮発性メモリをさらに含んでよい。
【００７６】
入力ユニット１１３０は、入力されたジェスチャ情報、数字情報、または文字情報を受信し、電子デバイス１００のユーザ設定および機能制御に関連するキー信号入力を生成するよう構成されてよい。具体的には、入力ユニット１１３０は、タッチスクリーン１１３１および別の入力デバイス１１３２を含んでよい。タッチスクリーン１１３１は、ユーザにより、タッチスクリーン１１３１上で、またはその近くで実行された（例えば、ユーザにより、指またはスタイラスなどの任意の適切な物またはアクセサリを用いることにより、タッチスクリーン１１３１上で、またはタッチスクリーン１１３１の近くで実行された操作のような）タッチ制御操作を収集し、予め設定されたプログラムに従って、対応する接続装置を駆動させてよい。具体的には、タッチ制御操作は、圧力操作、（スライド操作またはドラッグ操作などの）タッチ操作、タップ操作、マルチ接触操作、ボタン入力、タッチアンドホールド入力、または同様のもののうちの１つ又は複数の操作方式を含んでよい。任意で、タッチスクリーン１１３１は、タッチセンサ（Ｔｏｕｃｈ  Ｓｅｎｓｏｒ）および／または圧力センサ（ｐｒｅｓｓｕｒｅ ｓｅｎｓｏｒ）、または、類似機能を有する構成要素を含んでよく、ユーザのタッチ信号および／または圧力信号を検出し、タッチ信号を接触座標および他のタッチ情報に変換し、圧力信号を圧力値および他の圧力情報に変換し、先述の情報をプロセッサ１１８０に送信し、かつ、プロセッサ１１８０により送信されたコマンドを受信して該コマンドを実行するよう構成される。さらに、タッチスクリーン１１３１は、抵抗式、静電容量式、赤外線式、および表面弾性波式などの複数の種類を用いることにより実装されてよい。タッチスクリーン１１３１に加えて、入力ユニット１１３０は、別の入力デバイス１１３２を含んでよい。具体的には、該別の入力デバイス１１３２は、これらに限定されないが、物理キーボード、（音量制御キーまたはスイッチキーなどの）ファンクションキー、トラックボール、マウス、またはジョイスティックのうちの１つ又は複数を含んでよい。
【００７７】
表示ユニット１１４０は、ユーザにより入力される情報またはユーザのために提供される情報、および電子デバイスの様々なメニューを表示するよう構成されてよい。表示ユニット１１４０は、表示画面１１４１を含んでよい。任意で、表示画面１１４１は、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）等の形態で構成されてよい。さらに、タッチスクリーン１１３１は、表示画面１１４１を覆ってよい。タッチスクリーン１１３１上でまたはその近くでタッチ操作を検出した後、タッチスクリーン１１３１は、タッチ操作についての情報をプロセッサ１１８０に送信してタッチイベントの種類を決定し、次に、プロセッサ１１８０は、タッチイベントの種類に従って、表示画面１１４１上で対応する視覚出力を提供する。図１において、タッチスクリーン１１３１および表示画面１１４１は、電子デバイスの入出力機能を実装する２つの独立構成要素として用いられる。しかしながら、いくつかの実施形態において、タッチスクリーン１１３１および表示画面１１４１は、電子デバイスの入力および出力機能を実装するように統合されてよい。
【００７８】
電子デバイスはさらに、光センサ、モーションセンサ、または別のセンサなどの少なくとも１つのセンサ１１５０を含んでよい。光センサは、周辺光センサおよび近接センサを含んでよい。周辺光センサは、周辺の光の明るさに応じて表示画面１１４１の輝度を調整してよく、近接センサは、電子デバイスを耳に移動させたとき、表示画面１１４１および／またはバックライトを無効化にしてよい。モーションセンサの種類として、加速度センサは、方向（一般的には３つの軸）の加速度の値を検出してよく、静止状態において、重力の値および方向を検出してよく、電子デバイスの姿勢を識別する応用（例えば、ランドスケープモードおよびポートレートモード間の画面の切り換え、関連ゲーム、および磁力計姿勢較正）、振動識別関連機能（例えば、歩数計およびタッピング）等のために用いられてよい。ジャイロスコープ、気圧計、湿度計、温度計、および赤外線センサなどの、電子デバイス上で構成され得る他のセンサは、ここでは説明しない。
【００７９】
可聴周波数回路１１６０、ラウドスピーカ１１６１、およびマイク１１６２は、ユーザと電子デバイスとの間のオーディオインタフェースを提供し得る。可聴周波数回路１１６０は、受信されたオーディオデータの変換後に取得される電気信号を、ラウドスピーカ１１６１に送信してよく、ラウドスピーカ１１６１は、該電気信号を音声信号に変換して、該音声信号を出力する。
さらに、マイク１１６２は、収集された音声信号を電気信号に変換し、可聴周波数回路１１６０は、該電気信号を受信してオーディオデータに変換し、処理のために、該オーディオデータをプロセッサ１１８０に出力し、次に、処理されたオーディオデータは、ＲＦ回路１１１０を用いることにより、例えば、別の電子デバイスに送信され、または該オーディオデータは、さらなる処理のために、メモリ１１２０に出力される。
【００８０】
ＷｉＦｉ（登録商標）は短距離無線送信技術に属する。ＷｉＦｉ（登録商標）モジュール１１７０を用いることにより、電子デバイスは、ユーザの、電子メールの受信および送信、ウェブページの閲覧、ストリーミングメディアへのアクセス等に役立ち得る。ＷｉＦｉ（登録商標）モジュール１１７０は、ユーザに広帯域インターネットへの無線アクセスを提供する。図７はＷｉＦｉ（登録商標）モジュール１１７０を示しているが、ＷｉＦｉ（登録商標）モジュール１１７０は、電子デバイスの必須構成要素ではなく、本願発明の本質的な範囲を変化することなく、必要に応じて完全に省略されてよいことが理解され得る。
【００８１】
プロセッサ１１８０は、電子デバイスの制御センターであり、様々なインタフェースおよびラインを用いることにより、電子デバイス全体の全ての部分に接続され、メモリ１１２０に記憶されているソフトウェアプログラムおよび／またはモジュールを起動または実行させることにより、および、メモリ１１２０に記憶されているデータを呼び出すことにより、電子デバイスの様々な機能およびデータ処理を実行し、これにより、電子デバイスに対して全体的に監視を実行する。任意で、プロセッサ１１８０は、１つ又は複数の処理ユニットを含んでよい。好ましくは、アプリケーションプロセッサおよびモデムプロセッサは、プロセッサ１１８０に統合されてよい。アプリケーションプロセッサは主に、オペレーティングシステム、ユーザインタフェース、アプリケーションプログラム、および同様のものを処理する。モデムプロセッサは主に、無線通信を処理する。先述のモデムプロセッサは代替的に、プロセッサ１１８０に統合されない場合があることが、理解され得る。
【００８２】
電子デバイスはさらに、全ての構成要素に電力を供給する電源１１９０（例えば、電池）を含む。好ましくは、電源は、電力管理システムを用いることにより、プロセッサ１１８０に論理的に接続されてよく、これにより、充電および放電管理および消費電力管理などの機能が、電力管理システムを用いることにより、実行される。
【００８３】
示されていないが、電子デバイスはさらに、カメラ、ブルートゥース（登録商標）モジュール、ＧＰＳモジュール、および同様のものを含んでよく、その詳細は、ここでは説明しない。
【００８４】
例において、図２は、本願発明の実施形態に係る別の電子デバイスの画面の概略構造図である。電子デバイスのタッチスクリーンおよび表示画面は、画面の構造に統合される。画面２００は、カバープレート２０１と、表示画面２０２と、金属製ミドルフレーム２０３とを含み、表示画面２０２は、カバープレート２０１と金属製ミドルフレーム２０３との間に位置し、金属製ミドルフレーム２０３は、接地され、画面２００はさらに、導電層２０４を含み、導電層２０４は、表示画面２０２の下面２０２０に取り付けられる。
【００８５】
図２に示されているように、電子デバイスの上層から電子デバイスの底層への垂直方向において、表示画面の上面がカバープレートに取り付けられ、導電層が表示画面の下面に取り付けられることが、理解され得る。
【００８６】
従来技術と異なり、本願発明のこの実施形態において導電層に必要とされる材料は、該材料が導電性である限り、比較的に一般的である。従って、いくつかの既存の導体材料は、有効に利用され得て、専用の圧力材料が必要とされず、それにより、材料のコストを大いに低減させる。
【００８７】
さらに、導電層は、表示画面の下面に取り付けられる。
【００８８】
図２に示されているように、導電層２０４と、金属製ミドルフレーム２０３との間には、少なくとも１つのギャップ（図２に示されている導電層と金属製ミドルフレームとの間の空白の部分）が存在する。導電層２０４と、金属製ミドルフレーム２０３と、少なくとも１つのギャップとが、少なくとも１つのコンデンサを形成する。少なくとも１つのコンデンサの静電容量変化は、カバープレート２０１に加わる少なくとも１つの圧力値を反映する。
【００８９】
導電層、金属製ミドルフレーム、および少なくとも１つのギャップは、少なくとも１つのコンデンサを形成することが、理解され得る。導電層は、コンデンサの１つのプレートとみなされてよく、金属製ミドルフレームは、コンデンサの他方のプレートとみなされてよく、コンデンサは、圧力センサとして機能してよい。例えば、ユーザは、カバープレートを押下したとき、特定の力を生成し、その力の作用が導電層の変形をもたらす。結果として、コンデンサの２つのプレートの間の距離が変化し、コンデンサの静電容量が変化する。さらに、コンデンサの静電容量変化は、カバープレートに加わる圧力の値を反映し得る。例えば、圧力センサとして、この構造のコンデンサは、軽い押下から強い押下により生成される６万程度の圧力を検出し得て、それにより、異なる強さの圧力を認識する。
【００９０】
コンデンサの静電容量変化は圧力の値に正比例することが、理解され得る。例えば、コンデンサのより大きい静電容量変化は、カバープレートに加わるより大きい圧力を反映する、または、カバープレートに加わるより大きい圧力は、コンデンサのより大きい静電容量変化をもたらす。
【００９１】
本願発明の実施形態において提供される技術的解決手段の一応用シナリオは、以下の通りである。電子デバイスの表示画面が無効化状態にあるとき、電子デバイスのタッチスクリーンを押下することにより、表示画面の一部の部分が点灯して画面表示データを表示し、表示画面のその他の部分は、依然として無効化状態にある。
【００９２】
電子デバイスの先述のハードウェア構造に関連して、本願発明の実施形態における技術的解決手段は、コンピュータソフトウェアプログラムを用いることにより実装される。該技術的解決手段は、以下を含む。電子デバイスの表示画面が無効化状態にあるとき、タッチスクリーンは、ユーザにより電子デバイスのタッチスクリーンに対して実行された圧力操作を検出し、圧力操作の圧力値を取得し、プロセッサの圧力値を送信するよう構成される。
【００９３】
プロセッサは、圧力値を受信した後、まず、圧力値が予め設定された圧力操作閾値より大きい、またはそれに等しいかを決定し、圧力値が予め設定された圧力操作閾値より大きい、またはそれに等しい場合、表示画面の第１部分に、画面表示データを表示すると決定するよう構成される。
【００９４】
具体的には、プロセッサは、予め設定された表示属性（例えば、テキストのフォント、テキストの色、表示輝度、および表示アニメーション）に従って、予め設定された画面表示データを表示すると直接決定してよい。代替的に、プロセッサは、予め設定された対応関係（例えば、データ対応関係、または表示属性対応関係）と、異なる圧力操作とに従って、表示されるべき画面表示データおよび画面表示データの表示属性を決定してよい。例えば、タッチスクリーンは、圧力値および圧力操作の接触位置などの圧力操作の圧力情報を検出し、圧力操作の圧力値をプロセッサに送信する。プロセッサは、圧力値と、予め設定された対応関係とに従って、圧力値および／または圧力値に対応する表示属性に対応する表示されるべき画面表示データを決定する。
【００９５】
表示されるべき画面表示データおよび表示属性を決定した後、プロセッサは、表示命令を生成し、表示命令は、プロセッサにより決定された表示属性に従って、プロセッサにより決定された画面表示データを表示するよう表示画面に命令するために用いられる。表示命令を受信した後、表示画面は、表示命令に従って、画面表示データを表示する。
【００９６】
さらに、圧力操作が変化した（例えば、圧力値が変化した、または、圧力操作が表示画面上で連続的に実行された）、または、圧力操作が終了した後で、予め設定された期間内に新たな操作をタッチスクリーンが検出した場合、タッチスクリーンは、変化した操作情報を検出し続け、変化した操作情報をプロセッサに送信する。プロセッサは、変化した操作情報と、予め設定された対応関係（例えば、データ対応関係、または表示属性対応関係）とに従って、新たな表示されるべき画面表示データおよび画面表示データの表示属性を決定する。プロセッサは、新たな表示命令を生成し、表示画面に、新たな表示命令に従って新たな画面表示データを表示するよう命令する。
【００９７】
例えば、圧力操作の圧力値が増加し続けたとき、プロセッサは、予め設定されたデータ対応関係に従って、より多い画面表示データを表示すると決定し、表示画面は、プロセッサの命令に従って、画面表示データを表示する。ユーザに分かり得る効果は、ユーザによりタッチスクリーン上で実行された圧力操作の圧力値が増加すると、表示画面上で表示される画面表示データが増加することである。
【００９８】
下では、以下の実施形態における単語および用語を説明する。
【００９９】
本願発明の実施形態において言及される「第１」および「第２」などの序数は、文脈により実際にシーケンスが示されない限り、区別のためのものに過ぎないことが、理解されるべきである。例えば、「第１圧力値」および「第２圧力値」の両方とも圧力値を示すが、それぞれ異なる圧力値を示す。
【０１００】
本願発明のいくつかの実施形態において言及される「表示画面が無効化状態にある」は、電子デバイスが待機状態にあるが、その表示画面が黒い画面の状態（または、画面オフ状態と称される）にあることを示す。表示画面を完全に点灯させたとき、電子デバイスのロック画面インタフェースが表示され、電子デバイスは、待機状態からロック画面状態に入る。ロック画面状態とは、画面がロックされ、ロック解除インタフェースが、予め設定された特定のコンテンツを表示することにより、提供されることを示す。ロック画面状態を出てロック解除状態に入るために、ユーザは、特定のパスワードを入力する、または、インタフェース上で特定の操作／ジェスチャを実行することが必要である。ロック解除状態において、ユーザは通常、電子デバイスの様々な機能を使用できる。
【０１０１】
本願発明のいくつかの実施形態において言及される「圧力操作」は、ユーザにより、指、手のひら、または特定の圧力を有するスタイラスなどの任意の適切な物またはアクセサリを用いることによりタッチスクリーン上で実行される押下操作を指す。さらに、圧力操作は、タッチスクリーンが特定の硬度を有する物により押下されたときに起因して誤って行われるタップを回避するように、タッチスクリーンの静電容量値を変化させ得る押下操作を指す。圧力操作を実行するためのエンティティ、圧力操作の数量、圧力操作が実行されるタッチスクリーンの位置、および同様のものは、本願発明のいくつかの実施形態において限定されない。例えば、複数の圧力操作が同時にタッチスクリーン上で実行されたとき、全ての圧力操作は、同時に検出されてよく、または、いずれかの圧力操作が検出されてよい。タッチスクリーンは、タッチスクリーンの任意の位置において実行された圧力操作を検出してよく、または、タッチスクリーンの予め設定された位置において実行された圧力操作を検出してよい。圧力操作の持続期間は、可変である。言い換えれば、ユーザは、特定の圧力を用いてタッチスクリーン上で押下操作を実行してよく、次に、押下操作を停止し（すなわち、「短タップ」）、または、特定の圧力を用いてタッチスクリーン上で押下操作を連続的に実行（すなわち、「タッチアンドホールド」）してよい。
【０１０２】
本願発明のいくつかの実施形態において言及される「第１圧力値」は、表示画面が無効化状態にあるときのタッチスクリーン上で実行された圧力操作の圧力値を指し、該圧力操作は、表示画面が部分的に点灯した後、タッチスクリーン上でのその実行が停止され（すなわち、「短タップ」）、または、「第１圧力値」は、表示画面が無効化状態にあるときのタッチスクリーン上で実行された圧力操作の圧力値を指し、該圧力操作は、表示画面が部分的に点灯した後、タッチスクリーン上で実行され続ける（すなわち、「タッチアンドホールド」であり、圧力操作の接触は、常にタッチスクリーンと接触を保ち、タッチスクリーンの表面から離れない）。「タッチアンドホールド」圧力操作について、表示画面が部分的に点灯した後、圧力操作の圧力値は、本願発明のいくつかの実施形態において言及される「第２圧力値」である。すなわち、表示画面が無効化状態にあるとき、圧力操作が実行されて、表示画面が部分的に点灯した後で実行され続ける場合、表示画面が無効化状態にされた後、かつ、表示画面が部分的に点灯する前の圧力操作の圧力値が、第１圧力値であり、表示画面が部分的に点灯した後の圧力操作の圧力値が、第２圧力値である。さらに、圧力値は、圧力操作の特定の圧力値を指してよく、または、例えば、圧力値を反映する圧力レベルなど、圧力値に類似する意味を指してよい。それに対応して、予め設定された圧力操作閾値は、圧力値の特定の予め設定された閾値を指してよく、または、例えば、圧力レベルの予め設定された閾値などの、圧力値の予め設定された閾値に類似する意味を指してよい。
【０１０３】
本願発明のいくつかの実施形態において言及される「第１部分」は、表示画面の部分的な表示部を指す。本願発明のいくつかの実施形態において言及される「第２部分」は、第１部分と異なる、表示画面のその他の表示部を指す。表示画面は、一部の部分を点灯させる機能をサポートする表示画面であってよく、または、一部の部分を点灯させる機能をサポートしない表示画面であってよい。表示画面が一部の部分の点灯をサポートしない場合、黒色で表示されるよう第２部分に命令するための命令が、表示画面に送信され、これにより、表示画面は、第２部分の背景色を黒色表示に設定するよう制御し、無効化状態をシミュレートする。
【０１０４】
本願発明のいくつかの実施形態において言及される「画面表示データ」は、デバイスの１つ又は複数の機能および／またはユーザが関心を持ち得る機能情報に対応するユーザインタフェース対象物を指す。ユーザインタフェース対象物は、ユーザインタフェースアピアランスを構成する非インタラクティブな対象物、ユーザインタラクションのために提供され得るインタラクション対象物、またはこれらの組み合わせを含む。ユーザインタフェースアピアランスの非インタラクティブな対象物は、ユーザインタフェースアピアランスを構成する背景画像、背景アニメーション、および同様のものを含む。非インタラクティブな対象物は、ユーザにより設定されてよく、または、デバイスは、例えば、該電子デバイスにより現に用いられているテーマのロック画面インタフェース上の背景画像などの、デバイスに記憶されている対象物を自動的に選択してよい。ユーザインタラクションのために提供され得るインタラクション対象物は、ユーザインタラクション操作に応じてよく、アイコン、（撮影機能ボタン、または緊急通話ボタンなどの）仮想機能ボタン、ドロップダウンリスト、（ロック解除スライドモジュールなどの）スライドモジュール、および同様のものを含む。機能情報は、時間情報、日付情報、天気情報、システム情報（例えば、電力および操作者ネットワーク信号）、および通知情報を含むが、それらに限定されない。本願発明のいくつかの実施形態において言及される「第１画面表示データ」は、表示画面の第１部分が点灯したとき、最初に表示される画面表示データを指す。圧力操作が変化して、圧力操作がタッチスクリーン上で連続的に実行され、または、新たな操作が予め設定された期間内にタッチスクリーン上で実行されたとき、画面表示データが変化した場合、変化した画面表示データは、本願発明のいくつかの実施形態において、「第２画面表示データ」と定義される。
【０１０５】
本願発明のいくつかの実施形態において言及される「表示属性」は、データが表示されているときの画面表示データの表示属性および表示画面画素の表示属性を指し、少なくとも表示輝度を含む。具体的には、画面表示データがテキストを含むとき、表示属性は、例えば、アンドロイドシステムにおいて定義される（テキストコンテンツ、テキストのフォントサイズ、テキストの色、背景色、および同様のものを含む）ＴｅｘｔＶｉｅｗ属性のようなテキストの表示属性を含む。画面表示データが画像を含むとき、表示属性は、例えば、アンドロイドシステムにおいて定義される（画像アスペクト比、画像延伸比率、画像の演色、および同様のものを含む）ＩｍａｇｅＶｉｅｗ属性のような、画像の表示属性を含む。画面表示データが制御を含むとき、表示属性は、制御の表示属性、および同様のものを含む。表示画面の画素表示パラメータは、表示輝度および表示持続期間を含むが、それらに限定されない。本願発明のいくつかの実施形態において言及される「第１表示属性」は、第１画面表示データが表示されているときの表示属性を指し、「第２表示属性」は、第２画面表示データが表示されているときの表示属性を指す。
【０１０６】
本願発明のいくつかの実施形態において言及される「データ対応関係」は、画面表示データと、圧力操作についての情報または別の操作についての情報との間の対応関係を含む。画面表示データと、圧力操作についての異なる情報または別の操作についての情報との間の対応関係は、異なるデータ対応関係を形成する。例えば、圧力値と画面表示データとの間の対応関係は、第１データ対応関係であり、第１圧力値と圧力持続期間と画面表示データとの間の対応関係は、第２データ対応関係である。圧力操作についての情報を受信した後、プロセッサは、圧力操作についての情報と、予め設定されたデータ対応関係とに従って、圧力操作についての情報に対応する画面表示データを決定する。
【０１０７】
データ対応関係は、複数の具体的な記憶形態が存在し、データベースファイルおよび配置ファイルを含むが、それらに限定されない。本願発明のいくつかの実施形態において言及される異なるデータ対応関係は、論理分割を指し、具体的な記憶形態において、異なるデータ対応関係は、同じ物理ファイルに記憶されてよく、または、異なる物理ファイルにそれぞれ記憶されてよいことに注意すべきである。例えば、第１データ対応関係および第２データ対応関係は、同じデータベースファイルに記憶されてよく、または、異なるデータベースファイルにそれぞれ記憶されてよい。
【０１０８】
本願発明のいくつかの実施形態において言及される「表示属性対応関係」は、表示属性と、圧力操作についての情報または別の操作についての情報との間の対応関係を含む。異なる表示属性と、異なる圧力操作についての情報または別の操作についての情報との間の対応関係は、異なる表示属性対応関係を形成する。例えば、圧力値と表示属性との間の対応関係は、第１表示属性対応関係であり、圧力値と、圧力持続期間と、表示属性との間の対応関係は、第２表示属性対応関係である。圧力操作についての情報を受信した後、プロセッサは、圧力操作についての情報と、予め設定された表示属性対応関係とに従って、圧力操作についての情報に対応する画面表示データの表示属性を決定する。
【０１０９】
表示属性対応関係は、複数の具体的な記憶形態が存在し、データベースファイルおよび配置ファイルを含むが、それらに限定されない。本願発明のいくつかの実施形態において言及される異なる表示属性対応関係は、論理分割を指し、具体的な記憶形態において、異なる表示属性対応関係は、同じ物理ファイルに記憶されてよいことに注意すべきである。表示属性対応関係およびデータ対応関係は、同じ物理ファイルに記憶されてよく、または、異なる物理ファイルにそれぞれ記憶されてよい。例えば、第１表示属性対応関係および第２表示属性対応関係は、同じデータベースファイルに記憶されてよく、または、異なるデータベースファイルにそれぞれ記憶されてよい。
【０１１０】
以下では、具体的な実施形態を用いて、本願発明の技術的解決手段を詳細に説明する。以下のいくつかの具体的な実施形態は、相互に組み合わされ得て、同じまたは類似の概念またはプロセスは、いくつかの実施形態において再び説明されない場合がある。
【０１１１】
図３は、本願発明の実施形態に係る画面有効化方法の概略フローチャートである。図３に示されているように、図３は、電子デバイスの表示画面が、無効化状態から部分的に点灯する（すなわち、表示画面の第１部分が点灯してデータを表示し、第２部分は無効化状態のままである）状態に切り換わるプロセスを示す。プロセスは、即時、ほぼ即時、漸進的、または任意の適切な速度であってよい。プロセスの進捗は、電子デバイスにより自動的に制御されてよく、または、ユーザにより設定されてよい。プロセスの方法の段階は、連続的に、もしくは並行して実行されてよく、またはより多い、もしくはより少ない方法の段階を含んでよい。方法の手順は、以下の段階を含む。
【０１１２】
Ｓ１０１．電子デバイスの表示画面が無効化状態にあるとき、電子デバイスのタッチスクリーン上で実行された圧力操作の第１圧力値を検出する段階である。
【０１１３】
Ｓ１０２．第１圧力値が予め設定された圧力操作閾値より大きい、またはそれに等しいかを決定する段階であり、第１圧力値が予め設定された圧力操作閾値より大きい、またはそれに等しい場合、段階Ｓ１０３に進む。
【０１１４】
Ｓ１０３．表示画面の第１部分に、第１表示属性に従って、第１画面表示データを表示する段階であり、ここで、第２部分は、無効化状態のままである、または、黒色で表示される。
【０１１５】
電子デバイスの表示画面が無効化状態にある（この場合、電子デバイスは待機状態にある）とき、ユーザは、電子デバイスのタッチスクリーン上で圧力操作を実行する。電子デバイスの表示画面およびタッチスクリーンは、別個の構成要素であってよく、または、同じ構成要素に統合されてよい。
【０１１６】
タッチスクリーンは、タッチスクリーン上で実行された圧力操作の第１圧力値を検出し、第１圧力値は、電子デバイスの表示画面が無効化状態にあるときのタッチスクリーン上で実行された圧力操作の圧力値を指す。
【０１１７】
任意で、電子デバイスのタッチスクリーンの指紋部上で実行された圧力操作の第１圧力値が検出され、これにより、誤操作を低減させる。
【０１１８】
任意で、電子デバイスのタッチスクリーン上で実行された圧力操作の第１圧力値を検出する段階の前に、方法の手順は、電子デバイスのタッチスクリーン上で実行された圧力操作の指紋情報を取得する段階と、指紋情報を、予め記憶された許可済み指紋画像とマッチングする段階と、マッチングが成功した場合、電子デバイスのタッチスクリーン上で実行された圧力操作の第１圧力値を検出する段階とをさらに備える。このように、電子デバイスの未許可の使用が回避される。
【０１１９】
タッチスクリーンは、圧力操作の検出された第１圧力値をプロセッサに送信し、これにより、プロセッサは、第１圧力値が予め設定された圧力操作閾値より大きい、またはそれに等しいかを決定する。圧力操作閾値は、予め設定されて電子デバイスに記憶され、かつ、ユーザとは独立してよく、または、ユーザにより設定されてよい。
【０１２０】
第１圧力値が予め設定された圧力操作閾値より小さい場合、プロセッサは、処理を実行しない。表示画面の全ての部分が、無効化状態のままであり続ける。第１圧力値が予め設定された圧力操作閾値より大きい、またはそれに等しい場合、プロセッサは、無効化状態から部分的に点灯する状態に切り換わるよう表示画面に命令する。具体的には、プロセッサは、表示画面の第１部分に、第１表示属性に従って第１画面表示データを表示すると決定し、かつ、表示画面の第２部分が無効化状態のままであることを可能にし、または、第２部分の背景色を黒色に設定し、無効化状態をシミュレートする。従って、電子デバイスの消費電力が低減される。第１部分は、表示画面の部分的な表示部である。第１部分の具体的な位置は、ユーザにより設定されてよく、または、予め設定されて電子デバイスに記憶されてよい。例えば、第１部分は、円形の部分であると設定され、円のその中心が表示画面の中心であり、その半径がＲとする。第１画面表示データは、表示画面の第１部分が点灯したとき、最初に表示される画面表示データを指す。第１画面表示データのコンテンツは、ユーザにより設定されてよく、または、予め設定されて電子デバイスに記憶されてよい。例えば、第１画面表示データは、時間情報および日付であると設定される。第１表示属性は、第１画面表示データが表示されているときの表示属性である。第１表示属性は、ユーザにより設定されてよく、または、電子デバイスにおいて予め設定されてよい。例えば、第１表示属性は、表示輝度が１０％であり、表示持続期間が３秒であり、表示アニメーションが、フェードインおよびフェードアウトであると設定される。予め設定された表示持続期間が満了したとき、第１部分における第１画面表示データは消え、すなわち、表示画面が無効化される。
【０１２１】
さらに、第１画面表示データが第１部分において表示されたとき、ユーザが圧力操作の終了後、依然としてタッチスクリーンと接触していることをタッチスクリーンが検出した場合、第１画面表示データの表示持続期間が延長される。
【０１２２】
図４Ａから図４Ｄは、電子デバイスの表示画面が部分的に点灯したときを示す概略図である。
【０１２３】
例えば、図４Ａは、表示画面の第１部分における時間情報を表示する概略図である。図４Ａに示されているように、表示画面の第１部分において、背景画像がなく、時間情報のみが表示されている。
【０１２４】
例えば、図４Ｂは、第１表示輝度に従って、表示画面上の画面表示データを表示する概略図である。図４Ｂに示されているように、表示画面の第１部分において、時間情報および日付情報は、第１表示輝度に従って、背景画像と共に表示され、第１表示輝度が６０％である。
【０１２５】
任意で、第１部分の位置は、圧力操作の第１接触位置に関連付けられる。第１接触位置は、表示画面が無効化状態にある場合において、タッチスクリーン上で実行された圧力操作の第１圧力値が予め設定された圧力操作閾値より大きい、またはそれに等しいときに対応する、圧力操作の接触位置である。第１画面表示データを表示する段階の前に、方法は、第１圧力値が予め設定された圧力操作閾値より大きい、またはそれに等しいときに対応する、圧力操作が実行されたタッチスクリーンの第１接触位置を取得する段階と、第１接触位置に従って、第１接触位置に関連付けられる、第１部分の位置を決定する段階とをさらに備える。
【０１２６】
具体的には、第１部分の位置は、第１部分における画素の座標である。
【０１２７】
一例において、第１部分を決定するための方式は、以下の方式を含むが、これらに限定されない。
【０１２８】
１．圧力操作の第１接触位置が取得された後、第１部分における画素の座標は、タッチスクリーン上の第１接触位置Ａの対応する座標に従って、決定される。第１部分の一部の画素がＡと重なり、これにより、ユーザが位置を押下したとき、その位置が点灯する。
【０１２９】
図４Ｃは、表示画面の第１部分が第１接触位置と関連付けられるときを示す概略図である。ユーザは、指を用いてタッチスクリーンの第１接触位置Ａを押下する。タッチスクリーンは、第１接触位置がＡであると検出し、Ａの座標位置に従って、第１部分における画素の座標を決定する。すなわち、ユーザは、指を用いて位置Ａを押下し、次に、Ａの放射部が点灯する。
【０１３０】
２．電子デバイスにおいて、第１部分に対して少なくとも２つの位置が予め設定され、圧力操作の第１接触位置が取得された後、第１接触位置が予め設定された第１部分の位置のうちの１つと重なるかが決定され、第１接触位置が予め設定された第１部分の位置のうちの１つと重なる場合、他方の予め設定された位置が第１部分の位置として用いられると決定される。
【０１３１】
３．電子デバイスにおいて、第１部分に対して一位置が予め設定され、圧力操作の第１接触位置が取得された後、第１接触位置が予め設定された第１部分の位置と重なるかが決定され、第１接触位置が予め設定された第１部分の位置と重なる場合、予め設定された条件に従って、第１部分の位置が再び設定される。このように、ユーザの指が圧力操作を実行する位置は、第１画面表示データを表示するための第１部分を正確に覆うことが、回避される。
【０１３２】
４．圧力操作の第１接触位置が取得された後、第１部分の境界画素の座標は、タッチスクリーン上の第１接触位置Ａの対応する座標に従って、決定される。第１画面表示データは、圧力操作の接触の近くで表示され、これにより、ユーザは、位置を押下した後、その位置に近い部分が点灯し、それにより、ヒューマンマシンインタラクションのインテリジェンスを向上させる。
【０１３３】
任意で、Ａが位置する、タッチスクリーンの部分は、タッチスクリーン上の第１接触位置Ａの対応する座標に従って、決定される。例えば、Ａがタッチスクリーンの上フレーム、下フレーム、左フレーム、または右フレームに近いかが決定される。Ａがタッチスクリーンの上フレームに近い場合、第１部分は、Ａの下にある予め設定された大きさの表示部であると決定される。Ａがタッチスクリーンの下フレームに近い場合、第１部分はＡの上にある予め設定された大きさの表示部であると決定される。Ａがタッチスクリーンの左フレームに近い場合、第１部分は、Ａの右にある予め設定された大きさの表示部であると決定される。Ａがタッチスクリーンの右フレームに近い場合、第１部分は、Ａの左にある予め設定された大きさの表示部であると決定される。
【０１３４】
任意で、第１部分の面積は、第１圧力値と、第１表示部対応関係とに従って、決定される。第１部分対応関係は、圧力値と、第１部分の面積との間の対応関係を含む。すなわち、異なる第１圧力値は、異なる大きさの第１部分に対応している。任意で、より大きい第１圧力値は、より大きい面積の第１部分に対応する。
【０１３５】
具体的には、第１部分の面積は、第１部分における画素の数量を用いることにより表されてよい。
【０１３６】
例えば、第１表示部対応関係に含まれる第１圧力値が５Ｎ（ｎｅｗｔｏｎ、ニュートン）である場合、第１部分の面積が１平方センチメートルであり、第１圧力値が８Ｎであるとき、第１部分の面積が２平方センチメートルである。従って、圧力操作の第１圧力値が５Ｎであると検出されたとき、画面表示データは、面積が１平方センチメートルである第１部分において表示され、圧力操作の第１圧力値が８Ｎであると検出されたとき、画面表示データは、面積が２平方センチメートルである第１部分において表示される。
【０１３７】
本願発明のこの実施形態において、電子デバイスの表示画面が無効化状態にあるとき、タッチスクリーン上で実行された圧力操作の第１圧力値は、取得され、第１圧力値が予め設定された圧力操作閾値より大きい、またはそれに等しいとき、表示画面は、部分的に点灯して画面表示データを表示する。表示画面は、タッチスクリーンを押下することにより部分的に点灯し、これにより、ユーザは、表示画面を完全に点灯させることなく、対象とする情報を見ることができ、それにより、全画面での表示に起因する消費電力を低減させ、ヒューマンマシンインタラクションのインテリジェンスを向上させる。
【０１３８】
任意で、図３に示されている方法の手順に基づき、方法は、圧力操作の第１圧力値に従って、第１画面表示データおよび／または第１表示属性を決定する段階をさらに備える。電子デバイスの表示画面が無効化状態にあるとき、（圧力値が予め設定された圧力操作閾値以上である）異なる圧力をユーザがタッチスクリーンに加えた場合、表示画面を点灯させたとき、異なるコンテンツおよび／または異なる効果が表示される。方法の手順は、第１圧力値と予め設定された第１データ対応関係とに従って、第１画面表示データを決定する段階、および／または、第１圧力値と予め設定された第１表示属性対応関係とに従って第１表示属性を決定する段階をさらに備える。
【０１３９】
具体的には、第１データ対応関係および／または第１表示属性対応関係は、予め設定されて電子デバイスに記憶される。第１データ対応関係は、圧力値と画面表示データとの間の対応関係を含み、第１表示属性対応関係は、圧力値と表示属性との間の対応関係を含む。一例において、第１データ対応関係および第１表示属性対応関係はそれぞれ、以下の表１および表２に列挙される。第１データ対応関係に含まれる画面表示データは、表１において列挙されているコンテンツに限定されず、第１表示属性対応関係に含まれる表示属性フィールドは、表２において列挙されているコンテンツに限定されない。
【表１】
0006584025.tif 000002
【０１４０】
表１によれば、第１圧力値が５Ｎである（予め設定された圧力操作閾値が５Ｎである）とき、表示画面は部分的に点灯し、時間情報は、第１部分において表示され、第１圧力値が８Ｎであるとき、時間情報および日付情報は、第１部分において表示され、第１圧力値が１０Ｎであるとき、時間情報、日付情報、および天気情報は、第１部分において表示される。
【表２】
0006584025.tif 000003
【０１４１】
表２によれば、第１圧力値が５Ｎである（予め設定された圧力操作閾値が５Ｎである）とき、表示画面は、部分的に点灯し、第１部分における第１画面表示データは、表示輝度が１０％であり、表示持続期間が１秒であり、第１圧力値が８Ｎであるとき、第１部分における第１画面表示データは、表示輝度が３０％であり、表示持続期間が２秒であり、第１圧力値が１０Ｎであるとき、第１部分における第１画面表示データは、表示輝度が６０％であり、表示持続期間は３秒である。これらの３つの例において、全てのテキストの色が白色である。
【０１４２】
第１圧力値は、第１画面表示データおよび第１表示属性の両方と対応関係を有してよく、または、第１画面表示データもしくは第１表示属性のいずれかと対応関係を有してよい。言い換えれば、以下の通り、３つの例が列挙される。
【０１４３】
１．第１画面表示データ（すなわち、第１画面表示データは第１圧力値と関連しない）が予め設定され、第１表示属性は、第１圧力値と第１表示属性対応関係とに従って、決定され、予め設定された第１画面表示データは、決定された第１表示属性に従って、表示画面の第１部分において表示される。
【０１４４】
２．第１表示属性（すなわち、第１表示属性は第１圧力値と関連しない）が予め設定され、第１画面表示データは、第１圧力値と第１データ対応関係とに従って、決定され、決定された第１画面表示データは、予め設定された第１表示属性に従って、表示画面の第１部分において表示される。
【０１４５】
３．第１表示属性は、第１圧力値と第１表示属性対応関係とに従って、決定され、第１画面表示データは、第１圧力値と第１データ対応関係とに従って、決定され、決定された第１画面表示データは、決定された第１表示属性に従って、表示画面の第１部分において表示される。
【０１４６】
任意で、方法の手順において、図３に示されているように、圧力操作がタッチスクリーン上で連続的に実行され、圧力操作の接触が移動したとき、第１部分は、圧力操作の接触位置に従って移動する。図４Ｄは、接触位置の移動に従って、表示画面上の異なる画面表示データを表示する概略図である。図４Ｄに示されているように、電子デバイスの表示画面が無効化状態にあるとき、第１部分の位置は、接触位置に従って決定され、表示画面が点灯したとき、第１部分の位置に対応する、ロック画面テーマインタフェース上の画面表示データは、第１部分において表示される。方法の手順の段階Ｓ１０３は、第１圧力値が予め設定された圧力操作閾値より大きい、またはそれに等しいときに対応する、圧力操作が実行されたタッチスクリーンの第１接触位置を取得する段階と、第１接触位置に従って、第１接触位置に関連付けられる、第１部分の第１位置を決定する段階と、第１部分の第１位置と予め設定されたロック画面テーマインタフェースとに従って、第１画面表示データを決定する段階であって、第１画面表示データは、第１部分の第１位置に対応する、ロック画面テーマインタフェース上の画面表示データである、段階と、表示画面の第１部分の第１位置に、第１画面表示データを表示する段階とを含む。
【０１４７】
さらに、方法の手順は、圧力操作がタッチスクリーン上で連続的に実行されるプロセスにおける接触が移動する場合、圧力操作の接触の移動が停止したときに対応する第２接触位置を取得する段階と、第２接触位置に従って、第２接触位置に関連付けられる、第１部分の第２位置を決定する段階と、第１部分の第２位置と予め設定されたロック画面テーマインタフェースとに従って、第２画面表示データを決定する段階であって、第２画面表示データは、第１部分の第２位置に対応する、ロック画面テーマインタフェース上の画面表示データである、段階と、表示画面の第１部分の第２位置において、第２画面表示データを表示する段階とを備える。
【０１４８】
さらに、第２画面表示データが表示画面の第１部分の第２位置に表示されているとき、第１画面表示データは、その表示が停止されてよく、または、第１部分の第１位置に表示され続けてよい。
【０１４９】
さらに、ユーザが第１部分の境界上でドラッグ操作を実行したことをタッチスクリーンが検出した場合、第１部分は、ドラッグ操作の方向に従って、スケールアップまたはスケールダウンされる。例えば、第１部分が正方形の部分である場合、ユーザは、第１部分の下境界をタッチしてドラッグし、ドラッグ操作の方向に従って、第１部分の下境界は、ドラッグ操作が停止する接触位置にドラッグされる。
【０１５０】
本願発明のこの実施形態において、電子デバイスの表示画面が無効化状態にあるとき、タッチスクリーン上で実行された圧力操作の第１圧力値は、取得され、第１圧力値が予め設定された圧力操作閾値より大きい、またはそれに等しいとき、表示画面は、部分的に点灯して画面表示データを表示する。タッチスクリーンを押すことにより、表示画面が部分的に点灯し、これにより、ユーザは、表示画面を完全に点灯させることなく、対象とする情報を見て便利に操作することができ、それにより、全画面での表示に起因する消費電力を低減させる。
【０１５１】
図５は、本願発明の実施形態に係る別の画面有効化方法の概略フローチャートである。図５に示されているように、図５は、電子デバイスの表示画面を無効化状態から部分的に点灯する（すなわち、表示画面の第１部分は、点灯してデータを表示し、第２部分は、無効化状態のままである）状態に切り換えるプロセスを示す。方法の手順の先述の実施形態に基づき、図５における方法の手順は、表示画面が部分的に点灯した後、タッチスクリーン上で圧力操作を連続的に実行する（すなわち、タッチスクリーンをタッチアンドホールドする）段階と、圧力操作の第２圧力値に従って、画面表示データおよび／または表示属性を異なって表示する段階とをさらに備える。
【０１５２】
電子デバイスの表示画面が無効化状態にあるとき、ユーザは、電子デバイスのタッチスクリーン上で圧力操作を実行し、ここで、圧力操作の圧力値は、予め設定された圧力操作閾値より大きい。表示画面は、無効化状態から部分的に点灯する状態に切り換わり、第１画面表示データは、第１表示属性に従って、表示画面の第１部分に表示され、ここで、第２部分は、無効化状態のままである、または、黒色で表示される。
【０１５３】
表示画面が部分的に点灯した後、圧力操作がタッチスクリーン上で連続的に実行される（圧力操作において中断が発生しない）が、圧力値が変化した場合、表示画面上の画面表示データ、または画面表示データの表示属性は従って変化する。例えば、ユーザによりタッチスクリーン上で実行された圧力操作の圧力値が増加した場合、表示画面上で表示されるコンテンツも増加し、および／または、表示輝度も増加する。対照的に、ユーザによりタッチスクリーン上で実行された圧力操作の圧力値が減少した場合、表示画面上で表示されるコンテンツも減少し、および／または、表示輝度も減少する。
【０１５４】
図５における方法の段階は、連続的に、もしくは並行して実行されてよく、または、より多い、もしくはより少ない方法の段階を含んでよい。方法の手順は、以下の段階を含む。
【０１５５】
Ｓ２０１．電子デバイスの表示画面が無効化状態にあるとき、電子デバイスのタッチスクリーン上で実行された圧力操作の第１圧力値を検出する段階である。
【０１５６】
Ｓ２０２．第１圧力値が予め設定された圧力操作閾値より大きい、またはそれに等しいかを決定する段階であり、第１圧力値が予め設定された圧力操作閾値より大きい、またはそれに等しい場合、段階Ｓ２０３に進む。
【０１５７】
Ｓ２０３．表示画面の第１部分に、第１表示属性に従って、第１画面表示データを表示する段階であり、第２部分は、無効化状態のままである、または、黒色で表示される。
【０１５８】
Ｓ２０４．圧力操作の第２圧力値を取得する段階である。
【０１５９】
Ｓ２０５．タッチスクリーン上で実行された圧力操作の圧力持続期間を取得する段階である。
【０１６０】
Ｓ２０６．圧力持続期間が予め設定された最小持続期間閾値を超過したかを決定する段階であり、圧力持続期間が予め設定された最小持続期間閾値を超過した場合、段階Ｓ２０７に進む。
【０１６１】
Ｓ２０７．第２圧力値と第１表示属性対応関係とに従って、第２表示属性を決定する段階である。
【０１６２】
第１表示属性対応関係は、圧力値と表示属性との間の対応関係を含む。
【０１６３】
Ｓ２０８．第２圧力値と第１データ対応関係とに従って、第２画面表示データを決定する段階である。
【０１６４】
第１データ対応関係は、圧力値と画面表示データとの間の対応関係を含む。
【０１６５】
Ｓ２０９．第２表示属性に従って第２画面表示データを表示し、第１画面表示データの表示を停止する段階である。
【０１６６】
段階Ｓ２０１から段階Ｓ２０３までの方法の手順は基本的に、先述の実施形態における対応する段階の方法の手順と同じであり、詳細はここでは再び説明しない。
【０１６７】
表示画面が部分的に点灯した後、圧力操作がタッチスクリーン上で連続的に実行されたとき（すなわち、「タッチアンドホールド」）、圧力操作の第２圧力値が検出され、すなわち、圧力操作の、表示画面が部分的に点灯した後の時間に対応する圧力値が検出される。第２表示属性は、第２圧力値と、予め設定された第１表示属性対応関係とに従って、決定される。第２画面表示データは、第２圧力値と、予め設定された第１データ対応関係とに従って、決定される。
【０１６８】
例えば、図６Ａは、図５における表示画面が部分的に点灯した後の表示変化の概略図である。図６Ａに示されているように、表１および表２によれば、圧力操作の第１圧力値が５Ｎであるとき、第１画面表示データは、時間情報であり、第１表示属性は、表示輝度１０％である（説明の容易性のために、以下では、表示属性の典型的な属性として表示輝度のみを用いる。別の表示属性がさらに含まれることは分かり得て、その別の表示属性の変化の原則が、表示輝度の変化の原則と同じである）。第１部分が点灯した後、圧力操作は、タッチスクリーン上で実行され続ける。予め設定された期間内に、圧力操作の第２圧力値が８Ｎまで増加したことが検出されたとき。表１に表示されている第１データ対応関係によれば、第２圧力値に対応する第２画面表示データは、時間情報および日付情報であり、表２に表示されている第１表示属性対応関係によれば、第２圧力値に対応する第２表示属性は、表示輝度３０％である。圧力操作の第２圧力値が続けて１０Ｎまで増加したとき、表１に表示されている第１データ対応関係によれば、第２圧力値に対応する第２画面表示データは、時間情報、日付情報、および天気情報であり、表２に表示されている第１表示属性対応関係によれば、第２圧力値に対応する第２表示属性は、表示輝度６０％である。従って、タッチスクリーン上に加わった圧力の連続的な増加で、表示画面上で表示される情報が徐々に増加し、表示輝度が徐々に増加することが、ユーザは分かり得る。
【０１６９】
対照的に、圧力操作の第１圧力値が８Ｎであるとき、第１画面表示データは時間情報および日付情報であり、第１画面表示データの表示輝度は、３０％である。第１部分が点灯した後、圧力操作は、タッチスクリーン上で実行され続ける。予め設定された期間内に、圧力操作の第２圧力値が５Ｎまで減少したことを検出したとき、表示画面上で表示された第２画面表示データが時間情報であり、第２表示輝度が１０％である。
【０１７０】
表示画面が部分的に点灯した後、タッチスクリーン上で実行されている圧力操作が停止（すなわち、「短タップ」）した場合、第１画面表示データは、第１表示属性に従って表示画面上で表示されることに注意すべきである。
【０１７１】
さらに、圧力操作がタッチスクリーン上で連続的に実行された場合、圧力操作の第２圧力値は、通常の間隔で取得され、第２表示属性および／または第２画面表示データは、第２圧力値に従って、決定される。言い換えれば、表示画面が部分的に点灯した後、ユーザは、タッチスクリーン上で圧力操作を実行し続ける。圧力操作の第２圧力値が絶えずに変化する場合、第２圧力値が変化すると、異なる画面表示データが表示画面上で表示され、および／または、画面表示データの表示属性が調整される。
【０１７２】
例えば、ユーザによりタッチスクリーン上で実行された圧力操作の第１圧力値が５Ｎであるとき、表示画面は部分的に点灯し、表示される第１画面表示データは、時間情報であり、表示輝度は、１０％であり、第２圧力値が８Ｎまで増加したとき、表示画面上で表示される第２画面表示データは、時間情報および日付情報であり、表示輝度は、３０％であり、第２圧力値が５Ｎまで減少したとき、表示画面上で表示される第２画面表示データは、時間情報であり、表示輝度は１０％である。
【０１７３】
任意で、最大圧力閾値が予め設定される。圧力操作の第２圧力値が予め設定された最大圧力閾値まで増加したとき、表示画面は完全に点灯し、ロック画面インタフェースが表示される。
【０１７４】
任意で、第１部分の面積が、第２圧力値と予め設定された第１表示部対応関係とに従って、決定される。第１部分対応関係は、圧力値と、第１部分の面積との間の対応関係を含む。異なる圧力値は、第１部分の異なる面積に対応している。例えば、圧力値が増加したとき、第１部分の部分面積が増加する。対照的に、圧力値が減少したとき、第１部分の部分面積が減少する。
【０１７５】
任意で、図５の方法の手順において、段階Ｓ２０５または段階Ｓ２０６のみが、実行されてよい。
【０１７６】
図６Ｂは、図５における表示画面が部分的に点灯した後の別の表示変化の概略図である。図６Ｂに示されているように、段階Ｓ２０５のみが実行されたとき、第２表示属性は、第２圧力値および第１表示属性対応関係のみに従って決定される。段階Ｓ２０７は、第２表示属性に従って、第１画面表示データを表示する段階を含む。この場合、表示画面上の画面表示データは、その間ずっと第１画面表示データであるが、表示属性は、第１表示属性から第２表示属性に変化する。例えば、表２によれば、ユーザによりタッチスクリーン上で実行された圧力操作の圧力値が５Ｎから８Ｎまで増加したとき、画面表示データは、その間ずっと時間情報であるが、表示属性は、輝度１０％から輝度３０％に変化する。すなわち、ユーザによりタッチスクリーン上に加えられた圧力の連続的な増加で、表示画面上で表示される画面表示データは、変化しないままであるが、画面表示データの表示輝度は、徐々に増加する。
【０１７７】
図６Ｃは、図５における表示画面が部分的に点灯した後の別の表示変化の概略図である。図６Ｃに示されているように、段階Ｓ２０６のみが実行されたとき、第２画面表示データは、第２圧力値および第１データ対応関係のみに従って、決定される。段階Ｓ２０７は、第１表示属性に従って、第２画面表示データを表示する段階を含む。この場合、表示画面上の画面表示データの表示属性は、その間ずっと第１表示属性であるが、画面表示データは、第１画面表示データから第２画面表示データに変化する。例えば、表１によれば、ユーザによりタッチスクリーン上で実行された圧力操作の圧力値が５Ｎから８Ｎに増加したとき、画面表示データの表示属性は、その間ずっと輝度１０％であるが、画面表示データは、時間情報から、時間情報および日付情報に変化する。すなわち、ユーザによりタッチスクリーン上で加えられた圧力の連続的な増加で、表示画面上で表示される画面表示データが増加するが、画面表示データの表示属性は、変化しないままである。
【０１７８】
本願発明のこの実施形態において、電子デバイスの表示画面が無効化状態にあるとき、タッチスクリーン上で実行された圧力操作の第１圧力値が取得され、第１圧力値が予め設定された圧力操作閾値より大きい、またはそれに等しいとき、表示画面を部分的に点灯させ、画面表示データを表示する。表示画面が部分的に点灯した後、圧力操作がタッチスクリーン上で実行され続けた場合、画面表示データおよび／または表示属性は、圧力操作の第２圧力値に従って、決定される。タッチスクリーンを押すことにより表示画面が部分的に点灯し、これにより、ユーザは、表示画面を完全に点灯させることなく、対象とする情報を見ることができ、それにより、全画面での表示に起因する消費電力を低減させる。加えて、圧力操作がタッチスクリーン上で連続的に実行されたとき、画面表示データおよび／または画面表示データの表示属性は、圧力操作の圧力値と共に変動し、それにより、ヒューマンマシンインタラクションのインテリジェンスを向上させる。
【０１７９】
図７は、本願発明の実施形態に係る別の画面有効化方法の概略フローチャートである。図７に示されているように、図７は、電子デバイスの表示画面を無効化状態から部分的に点灯する状態（すなわち、表示画面の第１部分は点灯してデータを表示し、第２部分は無効化状態のままである）に切り換えるプロセスを示す。先述の方法の手順に基づき、図７における方法の手順は、表示画面が部分的に点灯した後、圧力操作をタッチスクリーン上で連続的に実行する（すなわち、タッチスクリーンをタッチアンドホールドする）段階と、圧力操作の持続期間に従って、画面表示データおよび／または表示属性の変化を決定する段階とをさらに備える。
【０１８０】
言い換えれば、電子デバイスの表示画面が無効化状態にあるとき、ユーザは電子デバイスのタッチスクリーン上で圧力操作を実行し、ここで、圧力操作の圧力値は、予め設定された圧力操作閾値より大きい。表示画面は、無効化状態から部分的に点灯する状態に切り換わり、第１画面表示データは、第１表示属性に従って、表示画面の第１部分に表示され、ここで、第２部分は無効化状態のままである、または、黒色で表示される。表示画面が部分的に点灯した後、タッチスクリーンがタッチアンドホールドされた場合、タッチスクリーン上で実行された圧力操作の圧力持続期間が増加すると、表示画面上の画面表示データまたは画面表示データの表示属性が従って変化する。例えば、ユーザによりタッチスクリーン上で実行された圧力操作の圧力持続期間が増加した場合、表示画面上の画面表示データが増加し、および／または、画面表示データの表示輝度が増加する。
【０１８１】
図７における方法の段階は、連続的にもしくは並行して実行されてよく、または、より多い、もしくはより少ない方法の段階を含んでよい。方法の手順は、以下の段階を含む。
【０１８２】
Ｓ３０１．電子デバイスの表示画面が無効化状態にあるとき、電子デバイスのタッチスクリーン上で実行された圧力操作の第１圧力値を検出する段階である。
【０１８３】
Ｓ３０２．第１圧力値が予め設定された圧力操作閾値より大きい、またはそれに等しいかを決定する段階であり、第１圧力値が予め設定された圧力操作閾値より大きい、またはそれに等しい場合、段階Ｓ３０３に進む。
【０１８４】
Ｓ３０３．表示画面の第１部分に、第１表示属性に従って、第１画面表示データを表示する段階であり、ここで、第２部分は、無効化状態のままである、または、黒色で表示される。
【０１８５】
Ｓ３０４．圧力操作の圧力持続期間を取得する段階である。
【０１８６】
圧力操作の第２圧力値は、変化してよく、または、変化しなくてよい。圧力操作の第２圧力値は、この実施形態において限定されない。
【０１８７】
Ｓ３０５．圧力持続期間が予め設定された最小持続期間閾値を超過したかを決定する段階であり、圧力持続期間が予め設定された最小持続期間閾値を超過した場合、段階Ｓ３０６に進み、そうでなければ、段階Ｓ３０３に戻る。
【０１８８】
Ｓ３０６．第１圧力値と、圧力持続期間と、第２データ対応関係とに従って、第２画面表示データを決定する段階である。
【０１８９】
Ｓ３０７．第１圧力値と、圧力持続期間と、第２表示属性対応関係とに従って、第２表示属性を決定する段階である。
【０１９０】
Ｓ３０８．表示画面の第１部分に、第２表示属性に従って、第２画面表示データを表示し、第１画面表示データの表示を停止する段階である。
【０１９１】
段階Ｓ３０１から段階Ｓ３０３までの方法の手順は基本的に、先述の実施形態における対応する段階の方法の手順と同じであり、詳細はここでは再び説明しない。
【０１９２】
具体的には、圧力操作の圧力持続期間が取得される。圧力持続期間が予め設定された最小持続期間閾値より小さいとき、表示画面が部分的に点灯した後、タッチスクリーン上で実行されている圧力操作を停止すると決定する。この場合、第１画面表示データは、第１表示属性に従って、表示画面の第１部分に表示される。圧力持続期間が予め設定された最小持続期間閾値より大きい、またはそれに等しいとき、表示画面が部分的に点灯した後、圧力操作は依然としてタッチスクリーン上で実行されると決定される。表示画面上の画面表示データおよび／または画面表示データの表示属性の変化は、圧力持続期間に従って、決定される。
【０１９３】
具体的には、第２データ対応関係および／または第２表示属性対応関係は、予め設定されて電子デバイスに記憶される。第２データ対応関係は、第１圧力値と、圧力持続期間と、画面表示データとの間の対応関係を含み、第２表示属性対応関係は、第１圧力値と圧力持続期間と、表示属性との間の対応関係を含む。一例において、第２データ対応関係および第２表示属性対応関係はそれぞれ、以下の表３および表４に列挙されている。第２データ対応関係に含まれる画面表示データは、表３において列挙されているコンテンツに限定されず、第２表示属性対応関係に含まれる表示属性フィールドは、表４において列挙されているコンテンツに限定されない。
【表３】
0006584025.tif 000004
【表４】
0006584025.tif 000005
【０１９４】
例えば、図８は、図７における表示画面が部分的に点灯した後の表示変化の概略図である。図８において示されているように、圧力操作の第１圧力値は５Ｎであり、第１画面表示データは時間情報および日付情報であり、第１表示属性は表示輝度１０％であると仮定する。第１部分が点灯した後、圧力操作は、タッチスクリーン上で実行され続ける。表３および表４によれば、圧力操作の圧力持続期間が２秒であると検出されたとき、画面表示データおよび画面表示データの表示属性は、変化せず、圧力操作の圧力持続期間が３秒であることを検出したとき、第２画面表示データは時間および日付であり、第２表示属性は表示輝度２０％であると決定し、圧力操作の圧力持続期間は４秒であることを検出したとき、第２画面表示データは時間情報、日付情報、および天気情報であり、第２表示属性は表示輝度３０％であると決定する。従って、ユーザは、圧力操作がタッチスクリーン上で連続的に実行されたとき、画面表示データが増加し、画面表示データの表示輝度が増加することが分かり得る。
【０１９５】
任意で、異なる第１圧力値に対して、より大きい第１圧力値の圧力操作がタッチスクリーン上で連続的に実行されたとき、対応する第２画面表示データはより高速に増加し、および／または、対応する第２表示属性はより高速に変化する。例えば、第１圧力値が５Ｎであるとき、第１圧力値に対応する、第１画面表示データの第１表示属性は、輝度１０％であり、圧力操作が３秒持続されたとき、第２表示属性は輝度２０％である。すなわち、３秒の圧力プロセスにおいて、画面表示データの輝度が１０％増加する。第１圧力値が８Ｎであるとき、第１圧力値に対応する、第１画面表示データの第１表示属性は、輝度３０％であり、圧力操作が３秒持続したとき、第２表示属性は、輝度５０％である。すなわち、３秒の圧力プロセスにおいて、画面表示データの輝度は、２０％増加する。ユーザは、より大きい力をタッチスクリーン上に連続的に加えたとき、画面表示データがより高速に変化することが分かり得て、これにより、ヒューマンマシンインタラクションのインテリジェンスを向上させる。
【０１９６】
任意で、最大持続期間閾値が、予め設定される。圧力操作の圧力持続期間が最大持続期間閾値まで増加したとき、表示画面は完全に点灯し、ロック画面インタフェースが表示される。
【０１９７】
任意で、第１部分の面積は、第１圧力値と、圧力持続期間と、予め設定された第２表示部対応関係とに従って、決定される。第２表示部対応関係は、第１圧力値と、圧力持続期間と、第１部分の面積との間の対応関係を含む。例えば、圧力持続期間の増加と共に、第１部分の面積が増加する。すなわち、ユーザがタッチスクリーン上で連続的に圧力操作を実行する場合、第１部分の面積は、持続期間が増加すると、徐々に増加する。
【０１９８】
任意で、図７における方法の手順において、段階Ｓ３０６または段階Ｓ３０７のみが実行されてよい。
【０１９９】
段階Ｓ３０６のみが実行されたとき、段階Ｓ３０８は、表示画面の第１部分に、第１表示属性に従って、第２画面表示データを表示する段階を含む。すなわち、ユーザは、圧力操作がタッチスクリーン上で連続的に実行されたとき、画面表示データが増加し、画面表示データの表示輝度が変化しないままであることが分かり得る。
【０２００】
段階Ｓ３０７のみが実行されたとき、段階Ｓ３０８は、表示画面の第１部分に、第２表示属性に従って第１画面表示データを表示する段階を含む。すなわち、圧力操作がタッチスクリーン上で連続的に実行されたとき、画面表示データは変化しないままであり、画面表示データの表示輝度が増加することが、ユーザは分かり得る。
【０２０１】
本願発明のこの実施形態において、電子デバイスの表示画面が無効化状態にあるとき、タッチスクリーン上で実行された圧力操作の第１圧力値は、取得され、第１圧力値が予め設定された圧力操作閾値より大きい、またはそれに等しいとき、表示画面は、部分的に点灯して画面表示データを表示する。表示画面が部分的に点灯した後、圧力操作がタッチスクリーン上で実行され続けた場合、画面表示データおよび／または表示属性は、圧力操作の圧力持続期間に従って、決定される。タッチスクリーンを押すことにより、表示画面は部分的に点灯し、これにより、ユーザは、表示画面を完全に点灯させることなく、対象とする情報を見ることができ、それにより、全画面での表示に起因する消費電力を低減させる。加えて、圧力操作がタッチスクリーン上で連続的に実行されたとき、圧力操作の持続期間が増加すると、画面表示データおよび／または画面表示データの表示属性は増加し、これにより、対象とするより多い情報がユーザに表示され、それにより、ヒューマンマシンインタラクションのインテリジェンスを向上させる。
【０２０２】
図９は、本願発明の実施形態に係る別の画面有効化方法の概略フローチャートである。図９に示されているように、先述の方法の手順に基づき、図９における方法の手順は、予め設定された期間内に表示画面が部分的に点灯した後、ユーザがタッチスクリーン上で第１操作を実行したことをタッチスクリーンが検出した場合、第１操作に従って、画面表示データおよび／または表示属性の変化を決定する段階をさらに備える。
【０２０３】
言い換えれば、電子デバイスの表示画面が無効化状態にあるとき、ユーザは、電子デバイスのタッチスクリーン上で圧力操作を実行し、ここで、圧力操作の圧力値は、予め設定された圧力操作閾値より大きい。表示画面が無効化状態から部分的に点灯する状態に切り換わり、第１画面表示データは、第１表示属性に従って、表示画面の第１部分に表示され、ここで、第２部分は、無効化状態のままである、または、黒色で表示される。表示画面が部分的に点灯した後、ユーザは、圧力操作を終了するが、予め設定された期間内にタッチスクリーン上で第１操作を実行する。この場合、表示画面上の画面表示データまたは画面表示データの表示属性は、第１操作に従って、それに対応して変化する。例えば、ユーザがタッチスクリーン上でスライドタッチ操作を実行した後、画面表示データが増加し、および／または、画面表示データの表示輝度が増加する。
【０２０４】
図９における方法の段階は、連続的にもしくは並行して実行されてよく、または、より多い、もしくはより少ない方法の段階を含んでよい。方法の手順は、以下の段階を含む。
【０２０５】
Ｓ４０１．電子デバイスの表示画面が無効化状態にあるとき、電子デバイスのタッチスクリーン上で実行された圧力操作の第１圧力値を検出する段階である。
【０２０６】
Ｓ４０２．第１圧力値が予め設定された圧力操作閾値より大きい、またはそれに等しいかを決定する段階であり、第１圧力値が予め設定された圧力操作閾値より大きい、またはそれに等しい場合、段階Ｓ４０３に進む。
【０２０７】
Ｓ４０３．表示画面の第１部分に、第１表示属性に従って、第１画面表示データを表示する段階であり、ここで、第２部分は、無効化状態のままである、または、黒色で表示される。
【０２０８】
段階Ｓ４０１から段階Ｓ４０３の方法の手順は基本的に、先述の実施形態における対応する段階の方法の手順と同じであり、詳細はここでは再び説明しない。
【０２０９】
Ｓ４０４．予め設定された期間内に、表示画面上で実行された第１操作を取得する段階である。
【０２１０】
第１操作は、圧力操作、スライド操作、ドラッグ操作、タップ操作、ダブルタップ操作、マルチ接触操作、ボタン入力、またはタッチアンドホールド入力といった操作のうちの１つ又は複数を含むが、それらに限定されない。
【０２１１】
予め設定された期間は、ユーザにより設定されてよく、または、電子デバイスにおいて予め設定されてユーザとは独立してよい。このことは、ここでは限定されない。
【０２１２】
Ｓ４０５．第１圧力値と、第１操作と、予め設定された第３データ対応関係とに従って、第２画面表示データを決定する段階である。
【０２１３】
Ｓ４０６．第１圧力値と、第１操作と、予め設定された第３表示属性対応関係とに従って、第２表示属性を決定する段階である。
【０２１４】
Ｓ４０７．表示画面の第１部分に、第２表示属性に従って、第２画面表示データを表示し、第１画面表示データの表示を停止する段階である。
【０２１５】
具体的には、ユーザがタッチスクリーン上で圧力操作を実行したことをタッチスクリーンが検出し、圧力操作の第１圧力値が予め設定された圧力操作閾値より大きい場合、電子デバイスの表示画面は、部分的に点灯し、第１画面表示データは、第１表示属性に従って、表示画面の第１部分に表示される。圧力操作の終了後、タッチスクリーンは、予め設定された期間内に第１操作を検出する。好ましくは、予め設定された期間は、第１表示属性における表示持続期間である。すなわち、第１画面表示データの表示が終了する前に、タッチスクリーンは、第１操作を検出する。
【０２１６】
第３表示属性対応関係および／または第３データ対応関係は、予め設定されて電子デバイスに記憶される。第３表示属性対応関係は、第１圧力値と、第１操作と、表示属性との間の対応関係を含む。第３データ対応関係は、第１圧力値と、第１操作と、画面表示データとの間の対応関係を含む。一例において、第３データ対応関係および第３表示属性対応関係はそれぞれ、以下の表５および表６において列挙される。第３データ対応関係に含まれる画面表示データは、表５において列挙されているコンテンツに限定されず、第３表示属性対応関係に含まれる表示属性フィールドは、表６において列挙されているコンテンツに限定されない。
【表５】
0006584025.tif 000006
【表６】
0006584025.tif 000007
【０２１７】
例えば、図１０は、図９における表示画面が部分的に点灯した後の表示変化の概略図である。図１０に示されているように、圧力操作の第１圧力値は８Ｎであり、第１画面表示データは時間情報および日付情報であり、第１表示属性は表示輝度３０％であると仮定する。第１部分が点灯した後、ユーザは、タッチスクリーン上で第１操作を実行する。表５および表６によれば、第１操作が上方へのスライド操作であることを検出したとき、画面表示データが減少して時間情報になり、すなわち、第２画面表示データは、時間情報であり、画面表示データの表示輝度は１０％まで減少し、すなわち、第２表示属性は表示輝度１０％であると決定する。第１操作が下方へのスライド操作であることを検出したとき、第２画面表示データは時間情報、日付情報、および天気情報であり、第２表示属性は、表示輝度６０％であると決定する。従って、ユーザは、タッチスクリーンが部分的に点灯した後、上方へのスライド操作がタッチスクリーン上で実行されたとき、画面表示データが減少し、画面表示データの表示輝度が減少することが分かり得る。対照的に、下方へのスライド操作がタッチスクリーン上で実行されたとき、画面表示データは増加し、画面表示データの表示輝度は増加する。
【０２１８】
任意で、全画面を点灯させる操作が予め設定される。第１操作が全画面を点灯させる予め設定された操作であるとき、表示画面は完全に点灯し、ロック画面インタフェースが表示される。例えば、ダブルタップ操作は、全画面を点灯させる操作であると予め設定される。タッチスクリーンが部分的に点灯した後、タッチスクリーンをダブルタップした場合、表示画面は、完全に点灯し、ロック画面インタフェースは、表示される。
【０２１９】
任意で、第１部分の面積は、第１圧力値と、第１操作と、予め設定された第３表示部分対応関係とに従って、決定される。第３表示部分対応関係は、第１圧力値と、第１操作と、第１部分の面積との間の対応関係を含む。例えば、第１圧力値が５Ｎである圧力操作をユーザがタッチスクリーン上で実行したとき、表示画面の第１部分が点灯する。第１部分の部分形状が正方形であり、部分面積が２平方センチメートルである。予め設定された期間内に、タップ操作が再びタッチスクリーン上で実行されたとき、第１部分は増加して、部分面積が４平方センチメートルである正方形になる。すなわち、ユーザが予め設定された期間内にタッチスクリーン上で第１操作を実行した後、第１部分の面積は、それに対応して変化する。第３表示部分対応関係の具体的な形態は、ここでは限定されない。
【０２２０】
任意で、図９における方法の手順において、段階Ｓ４０５または段階Ｓ４０６のみが実行されてよい。段階Ｓ４０５のみが実行されたとき、段階Ｓ４０７は、表示画面の第１部分に、第１表示属性に従って、第２画面表示データを表示する段階を含む。段階Ｓ４０６のみが実行されたとき、段階Ｓ４０７は、表示画面の第１部分に、第２表示属性に従って、第１画面表示データを表示する段階を含む。
【０２２１】
本願発明のこの実施形態において、電子デバイスの表示画面が無効化状態にあるとき、タッチスクリーン上で実行された圧力操作の第１圧力値は取得され、第１圧力値が予め設定された圧力操作閾値より大きい、またはそれに等しいとき、表示画面は、部分的に点灯し、画面表示データを表示する。表示画面が部分的に点灯した後、予め設定された第１操作が予め設定された期間内にタッチスクリーン上で実行された場合、画面表示データおよび／または表示属性は、第１操作に従って、決定される。タッチスクリーンを押すことにより表示画面が部分的に点灯し、これにより、ユーザは、表示画面を完全に点灯させることなく、対象とする情報を見ることができ、それにより、全画面での表示に起因する消費電力を低減させる。予め設定された第１操作は、予め設定された期間内にタッチスクリーン上で実行され、これにより、画面表示データおよび／または表示属性がそれに対応して変化し、それにより、ヒューマンマシンインタラクションのインテリジェンスを向上させる。
【０２２２】
図１１は、本願発明の実施形態に係る画面有効化装置の概略構造図である。装置は、ソフトウェアの形態においてインストールされてよく、電子デバイス上で作動してよい。図１１に示されているように、装置は、検出モジュール１１と、処理モジュール１２と、表示モジュール１３とを備える。
【０２２３】
検出モジュール１１は、電子デバイスの表示画面が無効化状態にあるとき、電子デバイスのタッチスクリーン上で実行された圧力操作の第１圧力値を検出するよう構成される。
【０２２４】
表示画面は、第１部分および第２部分を含む。
【０２２５】
処理モジュール１２は、第１圧力値が予め設定された圧力操作閾値より大きい、またはそれに等しいとき、表示画面の第１部分に、第１表示属性に従って、第１画面表示データを表示すると決定するよう構成される。
【０２２６】
第１表示属性は、少なくとも表示輝度を含む。
【０２２７】
表示モジュール１３は、表示画面の第１部分に、第１表示属性に従って第１画面表示データを表示するよう構成され、ここで、第２部分は、無効化状態のままである、または、黒色で表示される。
【０２２８】
処理モジュール１２は、検出モジュール１１および表示モジュール１３の両方と通信し、それらの両方に接続される。
【０２２９】
この実施形態における装置は、先述の方法の実施形態における対応する方法の段階を実行するよう構成される。装置の実装方式は、方法の実施形態の実装方式に類似し、詳細は、ここでは再び説明しない。
【０２３０】
任意で、処理モジュール１２はさらに、第１圧力値と予め設定された第１データ対応関係とに従って、第１画面表示データを決定するよう構成され、第１データ対応関係は、圧力値と画面表示データとの間の対応関係を含む。
【０２３１】
任意で、処理モジュール１２はさらに、第１圧力値と、予め設定された第１表示属性対応関係とに従って、第１表示属性を決定するよう構成され、ここで、第１表示属性対応関係は、圧力値と表示属性との間の対応関係を含む。
【０２３２】
任意で、検出モジュール１１はさらに、第１圧力値が予め設定された圧力操作閾値より大きい、またはそれに等しいときに対応する、圧力操作が実行されたタッチスクリーンの第１接触位置を取得するよう構成される。処理モジュール１２はさらに、第１接触位置に従って、第１接触位置に関連付けられる、第１部分の位置を決定するよう構成される。
【０２３３】
任意で、検出モジュール１１はさらに、タッチスクリーン上で実行された圧力操作の圧力持続期間を取得するよう構成される。処理モジュール１２はさらに、圧力持続期間が予め設定された最小持続期間閾値を超過したとき、圧力操作の取得された第２圧力値と、第１表示属性対応関係とに従って、第２表示属性を決定するよう構成され、ここで、第１表示属性対応関係は、圧力値と表示属性との間の対応関係を含む。表示モジュール１３はさらに、表示画面の第１部分に、第２表示属性に従って、第１画面表示データを表示するよう構成される。
【０２３４】
任意で、検出モジュール１１はさらに、タッチスクリーン上で実行された圧力操作の圧力持続期間を取得するよう構成される。
【０２３５】
処理モジュール１２はさらに、圧力持続期間が予め設定された最小持続期間閾値を超過したとき、圧力操作の取得された第２圧力値と第１データ対応関係とに従って、第２画面表示データを決定するよう構成され、ここで、第１データ対応関係は、圧力値と画面表示データとの間の対応関係を含む。
【０２３６】
表示モジュール１３はさらに、表示画面の第１部分に、第１表示属性に従って第２画面表示データを表示し、第１画面表示データの表示を停止するよう構成される。
【０２３７】
任意で、検出モジュール１１はさらに、タッチスクリーン上で実行された圧力操作の圧力持続期間を取得するよう構成される。
【０２３８】
処理モジュール１２はさらに、圧力持続期間が予め設定された最小持続期間閾値を超過したとき、圧力操作の取得された第２圧力値と、第１表示属性対応関係とに従って、第２表示属性を決定するよう構成され、第１表示属性対応関係は、圧力値と表示属性との間の対応関係を含み、かつ、取得された第２圧力値と第１データ対応関係とに従って、第２画面表示データを決定するよう構成され、第１データ対応関係は、圧力値と画面表示データとの間の対応関係を含む。
【０２３９】
表示モジュール１３はさらに、表示画面の第１部分に、第２表示属性に従って第２画面表示データを表示し、第１画面表示データの表示を停止するよう構成される。
【０２４０】
任意で、処理モジュール１２はさらに、第１圧力値が予め設定された圧力操作閾値より大きい、またはそれに等しいとき、表示画面の予め設定された第１部分，予め設定された第１表示輝度に従って、予め設定された第１画面表示データを表示すると決定するよう構成される。第１表示属性対応関係は、圧力値と表示輝度との間の対応関係を含み、圧力値の増加は、表示輝度の増加に対応しており、第１データ対応関係は、圧力値と画面表示データとの間の対応関係を含み、圧力値の増加は、画面表示データの増加に対応している。処理モジュール１２はさらに、圧力操作の取得された第２圧力値と、第１表示属性対応関係とに従って、第２表示輝度を決定するよう構成される。
【０２４１】
表示モジュール１３はさらに、表示画面の第１部分に、第２表示輝度に従って、第２画面表示データを表示し、第１画面表示データの表示を停止するよう構成される。
【０２４２】
任意で、検出モジュール１１はさらに、タッチスクリーン上で実行される圧力操作の圧力持続期間を取得するよう構成される。
【０２４３】
処理モジュール１２はさらに、圧力持続期間が予め設定された最小持続期間閾値を超過したとき、第１圧力値と、圧力持続期間と、予め設定された第２表示属性対応関係とに従って、第２表示属性を決定するよう構成され、ここで、第２表示属性対応関係は、第１圧力値と、圧力持続期間と、表示属性との間の対応関係を含む。
【０２４４】
表示モジュール１３はさらに、表示画面の第１部分に、第２表示属性に従って、第１画面表示データを表示するよう構成される。
【０２４５】
任意で、検出モジュール１１はさらに、タッチスクリーン上で実行された圧力操作の圧力持続期間を取得するよう構成される。処理モジュール１２はさらに、圧力持続期間が予め設定された最小持続期間閾値を超過したとき、第１圧力値と、圧力持続期間と、予め設定された第２データ対応関係とに従って、第２画面表示データを決定するよう構成され、ここで、第２データ対応関係は、第１圧力値と、圧力持続期間と、画面表示データとの間の対応関係を含む。
【０２４６】
表示モジュール１３はさらに、表示画面の第１部分に、第１表示属性に従って、第２画面表示データを表示し、第１画面表示データの表示を停止するよう構成される。
【０２４７】
任意で、検出モジュール１１はさらに、タッチスクリーン上で実行された圧力操作の圧力持続期間を取得するよう構成される。
【０２４８】
処理モジュール１２はさらに、圧力持続期間が予め設定された最小持続期間閾値を超過したとき、第１圧力値と、圧力持続期間と、予め設定された第２表示属性対応関係とに従って、第２表示属性を決定するよう構成され、第２表示属性対応関係は、第１圧力値と、圧力持続期間と、表示属性との間の対応関係を含み、かつ、第１圧力値と、圧力持続期間と、予め設定された第２データ対応関係とに従って、第２画面表示データを決定するよう構成され、第２データ対応関係は、第１圧力値と、圧力持続期間と、画面表示データとの間の対応関係を含む。
【０２４９】
表示モジュール１３はさらに、表示画面の第１部分に、第２表示属性に従って第２画面表示データを表示し、第１画面表示データの表示を停止するよう構成される。
【０２５０】
任意で、検出モジュール１１はさらに、予め設定された期間内に、表示画面上で実行された第１操作を取得するよう構成される。
【０２５１】
処理モジュール１２はさらに、第１圧力値と、第１操作と、予め設定された第３表示属性対応関係とに従って、第２表示属性を決定するよう構成され、ここで、第３表示属性対応関係は、第１圧力値と、第１操作と、表示属性との間の対応関係を含む。
【０２５２】
表示モジュール１３はさらに、表示画面の第１部分に、第２表示属性に従って、第１画面表示データを表示するよう構成される。
【０２５３】
任意で、検出モジュール１１はさらに、予め設定された期間内に、表示画面上で実行された第１操作を取得するよう構成される。
【０２５４】
処理モジュール１２はさらに、第１圧力値と、第１操作と、予め設定された第３データ対応関係とに従って、第２画面表示データを決定するよう構成され、ここで、第３データ対応関係は、第１圧力値と、第１操作と、画面表示データとの間の対応関係を含む。
【０２５５】
表示モジュール１３はさらに、表示画面の第１部分に、第１表示属性に従って第２画面表示データを表示し、第１画面表示データの表示を停止するよう構成される。
【０２５６】
任意で、検出モジュール１１はさらに、予め設定された期間内に、表示画面上で実行された第１操作を取得するよう構成される。
【０２５７】
処理モジュール１２はさらに、第１圧力値と、第１操作と、予め設定された第３表示属性対応関係とに従って、第２表示属性を決定するよう構成され、第３表示属性対応関係は、第１圧力値と、第１操作と、表示属性との間の対応関係を含み、かつ、第１圧力値と、第１操作と、予め設定された第３データ対応関係とに従って、第２画面表示データを決定するよう構成され、第３データ対応関係は、第１圧力値と、第１操作と、画面表示データとの間の対応関係を含む。
【０２５８】
表示モジュール１３はさらに、表示画面の第１部分に、第２表示属性に従って第２画面表示データを表示し、第１画面表示データの表示を停止するよう構成される。
【０２５９】
任意で、検出モジュール１１はさらに、第１圧力値が予め設定された圧力操作閾値より大き、またはそれに等しいとき、第１圧力値が予め設定された圧力操作閾値より大きい、またはそれに等しいときに対応する、圧力操作が実行されたタッチスクリーンの第１接触位置を取得するよう構成される。
【０２６０】
処理モジュール１２はさらに、第１接触位置に従って、第１接触位置に関連付けられる、第１部分の第１位置を決定し、第１部分の第１位置と、予め設定されたロック画面テーマインタフェースとに従って、第１画面表示データを決定するよう構成され、ここで、第１画面表示データは、第１部分の第１位置に対応する、ロック画面テーマインタフェース上の画面表示データである。
【０２６１】
表示モジュール１３はさらに、表示画面の第１部分の第１位置に、第１画面表示データを表示するよう構成される。
【０２６２】
任意で、検出モジュール１１はさらに、圧力操作がタッチスクリーン上で連続的に実行されるプロセスにおける接触が移動するとき、圧力操作の接触の移動が停止したときに対応する第２接触位置を取得するよう構成される。
【０２６３】
処理モジュール１２はさらに、第２接触位置に従って、第２接触位置に関連付けられる、第１部分の第２位置を決定し、第１部分の第２位置と、予め設定されたロック画面テーマインタフェースとに従って、第２画面表示データを決定するよう構成され、ここで、第２画面表示データは、第１部分の第２位置に対応する、ロック画面テーマインタフェース上の画面表示データである。
【０２６４】
表示モジュール１３はさらに、表示画面の第１部分の第２位置に、第２画面表示データを表示するよう構成される。
【０２６５】
この実施形態における装置は、先述の方法の実施形態における対応する方法の段階を実行するよう構成される。該装置の実装方式は、方法の実施形態に類似し、その詳細はここでは再び説明しない。
【０２６６】
本願発明のこの実施形態において、電子デバイスの表示画面が無効化状態にあるとき、タッチスクリーン上で実行された圧力操作の第１圧力値は取得され、第１圧力値が予め設定された圧力操作閾値より大きい、またはそれに等しいとき、表示画面が部分的に点灯し、画面表示データを表示する。表示画面が部分的に点灯した後で、圧力操作がタッチスクリーン上で実行され続けた場合、圧力持続期間が延長され、または、圧力値が変化し、もしくは、圧力操作の終了後、予め設定された第１操作が、予め設定された期間内にタッチスクリーン上で実行される。この場合、画面表示データおよび／または表示属性は、変化した操作に従って、決定される。タッチスクリーンを押すことにより、表示画面は部分的に点灯し、これにより、ユーザは、表示画面を完全に点灯させることなく、対象とする情報を見ることができ、それにより、全画面での表示に起因する消費電力を低減させる。タッチスクリーン上で実行された圧力操作が継続され、または変化し、もしくは新たな操作が実行され、これにより、画面表示データおよび／または表示属性はそれに対応して変化し、それにより、ヒューマンマシンインタラクションのインテリジェンスを向上させる。
【０２６７】
本願発明の実施形態は、電子デバイスを提供する。電子デバイスの構造は、図１または図２に示される。電子デバイスのタッチスクリーン、プロセッサ、および表示画面とが、先述の方法の実施形態における方法の手順を実行するよう別々に構成される。タッチスクリーンは、電子デバイスの表示画面が無効化状態にあるとき、電子デバイスのタッチスクリーン上で実行された圧力操作の第１圧力値を検出するよう構成され、ここで、表示画面は、第１部分および第２部分を含む。プロセッサは、第１圧力値が予め設定された圧力操作閾値より大きい、またはそれに等しいとき、表示画面の第１部分に、第１表示属性に従って第１画面表示データを表示すると決定するよう構成され、ここで、第１表示属性は少なくとも、表示輝度を含む。表示画面は、表示画面の第１部分に、第１表示属性に従って、第１画面表示データを表示するよう構成され、第２部分は、無効化状態のままである、または、黒色で表示される。
【０２６８】
任意で、タッチスクリーンはさらに、タッチスクリーン上で実行される圧力操作の圧力持続期間を取得するよう構成される。
【０２６９】
プロセッサはさらに、圧力持続期間が予め設定された最小持続期間閾値を超過したとき、圧力操作の取得された第２圧力値と、第１表示属性対応関係とに従って、第２表示属性を決定するよう構成され、前記第１表示属性対応関係は、圧力値と表示属性との間の対応関係を含み、かつ、取得された第２圧力値と第１データ対応関係とに従って、第２画面表示データを決定するよう構成され、第１データ対応関係は、圧力値と画面表示データとの間の対応関係を含む。
【０２７０】
表示画面はさらに、表示画面の第１部分に、第２表示属性に従って第２画面表示データを表示し、第１画面表示データの表示を停止するよう構成される。
【０２７１】
任意で、タッチスクリーンはさらに、タッチスクリーン上で実行された圧力操作の圧力持続期間を取得するよう構成される。
【０２７２】
プロセッサはさらに、圧力持続期間が予め設定された最小持続期間閾値を超過したとき、第１圧力値と、圧力持続期間と、予め設定された第２表示属性対応関係とに従って、第２表示属性を決定するよう構成され、第２表示属性対応関係は、第１圧力値と、圧力持続期間と、表示属性との間の対応関係を含み、かつ、第１圧力値と、圧力持続期間と、予め設定された第２データ対応関係とに従って、第２画面表示データを決定するよう構成され、第２データ対応関係は、第１圧力値と、圧力持続期間と、画面表示データとの間の対応関係を含む。
【０２７３】
表示画面はさらに、表示画面の第１部分に、第２表示属性に従って第２画面表示データを表示し、第１画面表示データの表示を停止するよう構成される。
【０２７４】
任意で、タッチスクリーンはさらに、予め設定された期間内に、表示画面上で実行された第１操作を取得するよう構成される。
【０２７５】
プロセッサはさらに、第１圧力値と、第１操作と、予め設定された第３表示属性対応関係とに従って、第２表示属性を決定するよう構成され、第３表示属性対応関係は、第１圧力値と、第１操作と、表示属性との間の対応関係を含み、かつ、第１圧力値と、第１操作と、予め設定された第３データ対応関係とに従って、第２画面表示データを決定するよう構成され、第３データ対応関係は、第１圧力値と、第１操作と、画面表示データとの間の対応関係を含む。
【０２７６】
表示画面はさらに、表示画面の第１部分に、第２表示属性に従って、第２画面表示データを表示し、第１画面表示データの表示を停止するよう構成される。
【０２７７】
この実施形態における電子デバイスは、先述の方法の実施形態における対応する方法の段階を実行するよう構成される。電子デバイスの実装方式は、方法の実施形態の実装方式に類似し、詳細はここでは再び説明しない。
【０２７８】
本願発明のこの実施形態において、電子デバイスの表示画面が無効化状態にあるとき、タッチスクリーン上で実行された圧力操作の第１圧力値は取得され、第１圧力値が予め設定された圧力操作閾値より大きい、またはそれに等しいとき、表示画面は部分的に点灯し、画面表示データを表示する。表示画面が部分的に点灯した後で、圧力操作がタッチスクリーン上で実行され続けた場合、圧力持続期間が延長され、または圧力値が変化し、もしくは、圧力操作の終了後、予め設定された第１操作が、予め設定された期間内にタッチスクリーン上で実行される。この場合、画面表示データおよび／または表示属性は、変化した操作に従って、決定される。タッチスクリーンを押すことにより、表示画面は部分的に点灯し、これにより、ユーザは、表示画面を完全に点灯させることなく、対象とする情報を見ることができ、それにより、全画面での表示に起因する消費電力を低減させる。タッチスクリーン上で実行された圧力操作が継続され、または変化し、もしくは新たな操作が実行され、これにより、画面表示データおよび／または表示属性はそれに対応して変化し、それにより、ヒューマンマシンインタラクションのインテリジェンスを向上させる。
【０２７９】
本願発明において提供されるいくつかの実施形態において、開示されている装置および方法は他の方式で実装され得ることが理解されるべきである。例えば、説明されている装置の実施形態は単に、例である。例えば、ユニット分割は単に、論理機能分割であり、実際の実装において他の分割であってよい。例えば、複数のユニットまたは構成要素は、組み合わされてよく、もしくは別のシステムに統合されてよく、または、いくつかの特徴が無視されてよく、もしくは実行されなくてよい。加えて、表示されている、または議論されている相互連結、または直接連結、もしくは通信接続は、いくつかのインタフェースを用いることにより、実装されてよい。装置間またはユニット間の間接的連結または通信接続は、電子的、機械的、または他の形態において実装されてよい。
【０２８０】
別個の部分として説明されているユニットは、物理的に離れてよく、またはそうでなくてもよく、ユニットとして表示されている部分は、物理ユニットであってよく、またはそうではなくてもよく、１つの場所に位置してよく、または複数のネットワークユニット上に分散されてよい。ユニットのいくつかまたは全ては、実施形態の解決手段の目的を達成するために、実際の必要に応じて選択されてよい。
【０２８１】
加えて、本願発明の実施形態における機能ユニットは、１つの処理ユニットに統合されてよく、またはユニットのそれぞれは、物理的に単独で存在してよく、または、２つ又はそれより多いユニットは１つのユニットに統合する。統合されたユニットは、ハードウェアの形態で実装されてよく、またはソフトウェア機能ユニットに加えて、ハードウェアの形態で実装されてよい。
【０２８２】
先述の統合されたユニットがソフトウェア機能ユニットの形態で実装されたとき、統合されたユニットは、コンピュータ可読記憶媒体において記憶されてよい。ソフトウェア機能ユニットは、記憶媒体において記憶され、（パーソナルコンピュータ、サーバ、ネットワークデバイス、または同様のものであり得る）コンピュータデバイスに、またはプロセッサ（ｐｒｏｃｅｓｓｏｒ）に、本願発明の実施形態において説明されている方法のいくつかの段階を実行するよう命令するためのいくつかの命令を含む。先述の記憶媒体は、ＵＳＢフラッシュＢドライブ、除去可能なハードディスク、リードオンリメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなどの、プログラムコードを記憶し得る任意の媒体を含む。
【０２８３】
説明の便宜上および簡潔さの目的のため、先述の機能モジュールの分割は、説明の例として用いることが、当業者により明確に理解されるであろう。実際の応用において、先述の機能は、異なる機能モジュールに割り当てて必要に応じて実装され得て、すなわち、装置の内部構造は、異なる機能モジュールに分割され、上で説明されている機能の全てまたはそのいくつかを実装する。先述の装置の詳細な作動プロセスについては、先述の方法の実施形態における対応プロセスを参照されたく、詳細は、ここでは再び説明しない。
【０２８４】
最後に、先述の実施形態は単に、本願発明の技術的解決手段を説明することを意図しており、本願発明を限定することを意図していないことに注意すべきである。本願発明は、先述の実施形態に関連して詳細に説明されているが、当業者は、彼らが本願発明の実施形態の技術的解決手段の範囲から逸脱することなく、先述の実施形態において説明されている技術的解決手段に対してさらに変更を行い得る、または、これらのいくつかの、もしくは全ての技術的特徴に対して同等の置換えを行い得ることを理解すべきである。
（項目１）
電子デバイスの表示画面が無効化状態にあるとき、上記電子デバイスのタッチスクリーン上で実行された圧力操作の第１圧力値を検出する段階であって、上記表示画面は、第１部分および第２部分を含む、段階と、
上記第１圧力値が予め設定された圧力操作閾値より大きい、またはそれに等しいとき、上記表示画面の上記第１部分に、第１表示属性に従って、第１画面表示データを表示する段階であって、上記第２部分は、無効化状態のままであり、または、黒色で表示され、上記第１表示属性は少なくとも、表示輝度を含む、段階とを備える画面有効化方法。
（項目２）
第１画面表示データを表示する上記段階の前に、上記方法は、
上記第１圧力値および予め設定された第１データ対応関係に従って、上記第１画面表示データを決定する段階であって、上記第１データ対応関係は、上記圧力値と上記画面表示データとの間の対応関係を含む、段階をさらに備える、項目１に記載の画面有効化方法。
（項目３）
第１画面表示データを表示する上記段階の前に、上記方法は、
上記第１圧力値と、予め設定された第１表示属性対応関係とに従って、上記第１表示属性を決定する段階であって、上記第１表示属性対応関係は、上記圧力値と上記表示属性との間の対応関係を含む、段階をさらに備える、項目１または２に記載の画面有効化方法。
（項目４）
第１画面表示データを表示する上記段階の前に、上記方法は、
上記第１圧力値が上記予め設定された圧力操作閾値より大きい、またはそれに等しいときに対応する、上記圧力操作が実行された上記タッチスクリーンの第１接触位置を取得する段階と、
上記第１接触位置に従って、上記第１接触位置に関連付けられる、上記第１部分の位置を決定する段階とをさらに備える、項目１、２または３に記載の画面有効化方法。
（項目５）
第１画面表示データを表示する上記段階の後で、上記方法は、
上記タッチスクリーン上で実行された上記圧力操作の圧力持続期間を取得する段階と、
上記圧力持続期間が予め設定された最小持続期間閾値を超過したとき、上記圧力操作の取得された第２圧力値と、上記第１表示属性対応関係とに従って、上記第２表示属性を決定する段階であって、上記第１表示属性対応関係は、上記圧力値と上記表示属性との間の対応関係を含む、段階と、
上記表示画面の上記第１部分に、上記第２表示属性に従って、上記第１画面表示データを表示する段階とをさらに備える、項目１から４のいずれか一項に記載の画面有効化方法。
（項目６）
第１画面表示データを表示する上記段階の後で、上記方法は、
上記タッチスクリーン上で実行された上記圧力操作の圧力持続期間を取得する段階と、
上記圧力持続期間が予め設定された最小持続期間閾値を超過したとき、上記圧力操作の取得された第２圧力値と、上記第１データ対応関係とに従って、上記第２画面表示データを決定する段階であって、上記第１データ対応関係は、上記圧力値と上記画面表示データとの間の対応関係を含む、段階と、
上記表示画面の上記第１部分に、上記第１表示属性に従って、上記第２画面表示データを表示し、上記第１画面表示データの表示を停止する段階とをさらに備える、項目１から４のいずれか一項に記載の画面有効化方法。
（項目７）
第１画面表示データを表示する上記段階の後で、上記方法は、
上記タッチスクリーン上で実行された上記圧力操作の圧力持続期間を取得する段階と、
上記圧力持続期間が予め設定された最小持続期間閾値を超過したとき、上記圧力操作の取得された第２圧力値と、上記第１表示属性対応関係とに従って、上記第２表示属性を決定する段階であって、上記第１表示属性対応関係は、上記圧力値と上記表示属性との間との対応関係を含む、段階と、
取得された上記第２圧力値と、上記第１データ対応関係とに従って、上記第２画面表示データを決定する段階であって、上記第１データ対応関係は、圧力値と画面表示データとの間の対応関係を含む、段階と、
上記表示画面の上記第１部分に、上記第２表示属性に従って、上記第２画面表示データを表示し、上記第１画面表示データの表示を停止する段階とをさらに備える、項目１から４のいずれか一項に記載の画面有効化方法。
（項目８）
上記表示画面の上記第１部分に、第１表示属性に従って、第１画面表示データを表示する上記段階は、
上記表示画面の予め設定された上記第１部分に、予め設定された上記第１表示輝度に従って、予め設定された上記第１画面表示データを表示する段階であって、上記第１表示属性対応関係は、上記圧力値と上記表示輝度との間の対応関係を含み、上記圧力値の増加は、上記表示輝度の増加に対応しており、上記第１データ対応関係は、圧力値と画面表示データとの間の対応関係を含み、上記圧力値の増加は、上記画面表示データの増加に対応している、段階を含み、
上記圧力操作の取得された第２圧力値と上記第１表示属性対応関係とに従って、上記第２表示属性を決定する上記段階は、
上記圧力操作の取得された上記第２圧力値と、上記第１表示属性対応関係とに従って、上記第２表示輝度を決定する段階を含み、
上記表示画面の上記第１部分に、上記第２表示属性に従って、上記第２画面表示データを表示し、上記第１画面表示データの表示を停止する上記段階は、
上記表示画面の上記第１部分に、上記第２表示輝度に従って、上記第２画面表示データを表示し、上記第１画面表示データの表示を停止する段階を含む、項目７に記載の画面有効化方法。
（項目９）
第１画面表示データを表示する上記段階の後で、上記方法は、
上記タッチスクリーン上で実行された上記圧力操作の圧力持続期間を取得する段階と、
上記圧力持続期間が予め設定された最小持続期間閾値を超過したとき、上記第１圧力値と、上記圧力持続期間と、予め設定された第２表示属性対応関係とに従って、上記第２表示属性を決定する段階であって、上記第２表示属性対応関係は、上記第１圧力値と、上記圧力持続期間と、上記表示属性との間の対応関係を含む、段階と、
上記表示画面の上記第１部分に、上記第２表示属性に従って、上記第１画面表示データを表示する段階とをさらに備える、項目１から４のいずれか一項に記載の画面有効化方法。
（項目１０）
第１画面表示データを表示する上記段階の後で、上記方法は、
上記タッチスクリーン上で実行された上記圧力操作の圧力持続期間を取得する段階と、
上記圧力持続期間が予め設定された最小持続期間閾値を超過したとき、上記第１圧力値と、上記圧力持続期間と、予め設定された第２データ対応関係とに従って、上記第２画面表示データを決定する段階であって、上記第２データ対応関係は、上記第１圧力値と、上記圧力持続期間と、上記画面表示データとの間の対応関係を含む、段階と、
上記表示画面の上記第１部分に、上記第１表示属性に従って、上記第２画面表示データを表示し、上記第１画面表示データの表示を停止する段階とをさらに備える、項目１から４のいずれか一項に記載の画面有効化方法。
（項目１１）
第１画面表示データを表示する上記段階の後で、上記方法は、
上記タッチスクリーン上で実行された上記圧力操作の圧力持続期間を取得する段階と、
上記圧力持続期間が予め設定された最小持続期間閾値を超過したとき、上記第１圧力値と、上記圧力持続期間と、予め設定された第２表示属性対応関係とに従って、上記第２表示属性を決定する段階であって、上記第２表示属性対応関係は、上記第１圧力値と、上記圧力持続期間と、上記表示属性との間の対応関係を含む、段階と、
上記第１圧力値と、上記圧力持続期間と、予め設定された第２データ対応関係に従って、上記第２画面表示データを決定する段階であって、上記第２データ対応関係は、上記第１圧力値と、上記圧力持続期間と、上記画面表示データとの間の対応関係を含む、段階と、
上記表示画面の上記第１部分に、上記第２表示属性に従って、上記第２画面表示データを表示し、上記第１画面表示データの表示を停止する段階とをさらに備える、項目１から４のいずれか一項に記載の画面有効化方法。
（項目１２）
第１画面表示データを表示する上記段階の後で、上記方法は、
予め設定された期間内に、上記表示画面上で実行された第１操作を取得する段階と、
上記第１圧力値と、上記第１操作と、予め設定された第３表示属性対応関係とに従って、上記第２表示属性を決定する段階であって、上記第３表示属性対応関係は、上記第１圧力値と、上記第１操作と、上記表示属性との間の対応関係を含む、段階と、
上記表示画面の上記第１部分において、上記第２表示属性に従って、上記第１画面表示データを表示する段階とをさらに備える、項目１から４のいずれか一項に記載の画面有効化方法。
（項目１３）
第１画面表示データを表示する上記段階の後で、上記方法は、
予め設定された期間内に、上記表示画面上で実行された第１操作を取得する段階と、
上記第１圧力値と、上記第１操作と、予め設定された第３データ対応関係とに従って、第２画面表示データを決定する段階であって、上記第３データ対応関係は、上記第１圧力値と、上記第１操作と、上記画面表示データとの間の対応関係を含む、段階と、
上記表示画面の上記第１部分に、上記第１表示属性に従って、上記第２画面表示データを表示し、上記第１画面表示データの表示を停止する段階とをさらに備える、項目１から４のいずれか一項に記載の画面有効化方法。
（項目１４）
第１画面表示データを表示する上記段階の後で、上記方法は、
予め設定された期間内に、上記表示画面上で実行された第１操作を取得する段階と、
上記第１圧力値と、上記第１操作と、予め設定された第３表示属性対応関係とに従って、第２表示属性を決定する段階であって、上記第３表示属性対応関係は、上記第１圧力値と、上記第１操作と、上記表示属性との間の対応関係を含む、段階と、
上記第１圧力値と、上記第１操作と、予め設定された第３データ対応関係とに従って、第２画面表示データを決定する段階であって、上記第３データ対応関係は、上記第１圧力値と、上記第１操作と、上記画面表示データとの間の対応関係を含む、段階と、
上記表示画面の上記第１部分に、上記第２表示属性に従って、上記第２画面表示データを表示し、上記第１画面表示データの表示を停止する段階とをさらに備える、項目１から４のいずれか一項に記載の画面有効化方法。
（項目１５）
上記第１圧力値が予め設定された圧力操作閾値より大きい、またはそれに等しいとき、上記表示画面の上記第１部分に、第１表示属性に従って、第１画面表示データを表示する上記段階は、
上記第１圧力値が上記予め設定された圧力操作閾値より大きい、またはそれに等しいとき、上記第１圧力値が上記予め設定された圧力操作閾値より大きい、またはそれに等しいときに対応する、上記圧力操作が実行された上記タッチスクリーンの第１接触位置を取得する段階と、
上記第１接触位置に従って、上記第１接触位置に関連付けられる、上記第１部分の第１位置を決定する段階と、
上記第１部分の上記第１位置と、予め設定されたロック画面テーマインタフェースとに従って、上記第１画面表示データを決定する段階であって、上記第１画面表示データは、上記第１部分の上記第１位置に対応する、上記ロック画面テーマインタフェース上の画面表示データである、段階と、
上記表示画面の上記第１部分の上記第１位置に、上記第１画面表示データを表示する段階とを含む、項目１に記載の画面有効化方法。
（項目１６）
第１画面表示データを表示する上記段階の後で、上記方法は、
上記圧力操作が上記タッチスクリーン上で連続的に実行されるプロセスにおける接触が移動する場合、上記圧力操作の上記接触の移動が停止したときに対応する第２接触位置を取得する段階と、
上記第２接触位置に従って、上記第２接触位置に関連付けられる、上記第１部分の第２位置を決定する段階と、
上記第１部分の上記第２位置と、予め設定された上記ロック画面テーマインタフェースとに従って、上記第２画面表示データを決定する段階であって、上記第２画面表示データは、上記第１部分の上記第２位置に対応する、上記ロック画面テーマインタフェース上の画面表示データである、段階と、
上記表示画面の上記第１部分の上記第２位置に、上記第２画面表示データを表示する段階とをさらに備える、項目１５に記載の画面有効化方法。
（項目１７）
電子デバイスの表示画面が無効化状態にあるとき、上記電子デバイスのタッチスクリーン上で実行された圧力操作の第１圧力値を検出するよう構成される検出モジュールであって、上記表示画面は、第１部分および第２部分を含む、検出モジュールと、
上記第１圧力値が予め設定された圧力操作閾値より大きい、またはそれに等しいとき、上記表示画面の上記第１部分に、第１表示属性に従って、第１画面表示データを表示すると決定するよう構成される処理モジュールであって、上記第１表示属性は少なくとも、表示輝度を含む、処理モジュールと、
上記表示画面の上記第１部分に、上記第１表示属性に従って、上記第１画面表示データを表示するよう構成される表示モジュールであって、上記第２部分は、無効化状態のままである、または、黒色で表示される、表示モジュールとを備える画面有効化装置。
（項目１８）
上記処理モジュールはさらに、
上記第１圧力値と、予め設定された第１データ対応関係とに従って、上記第１画面表示データを決定するよう構成され、上記第１データ対応関係は、上記圧力値と上記画面表示データとの間の対応関係を含む、項目１７に記載の画面有効化装置。
（項目１９）
上記処理モジュールはさらに、
上記第１圧力値と、予め設定された第１表示属性対応関係とに従って、上記第１表示属性を決定するよう構成され、上記第１表示属性対応関係は、上記圧力値と上記表示属性との間の対応関係を含む、項目１７または１８に記載の画面有効化装置。
（項目２０）
上記検出モジュールはさらに、
上記第１圧力値が上記予め設定された圧力操作閾値より大きい、またはそれに等しいときに対応する、上記圧力操作が実行された上記タッチスクリーンの第１接触位置を取得するよう構成され、
上記処理モジュールはさらに、
上記第１接触位置に従って、上記第１接触位置に関連付けられる、上記第１部分の位置を決定するよう構成される、項目１７、１８または１９に記載の画面有効化装置。
（項目２１）
上記検出モジュールはさらに、
上記タッチスクリーン上で実行された上記圧力操作の圧力持続期間を取得するよう構成され、
上記処理モジュールはさらに、
上記圧力持続期間が予め設定された最小持続期間閾値を超過したとき、上記圧力操作の取得された第２圧力値と、上記第１表示属性対応関係とに従って、上記第２表示属性を決定するよう構成され、上記第１表示属性対応関係は、上記圧力値と上記表示属性との間の対応関係を含み、
上記表示モジュールはさらに、
上記表示画面の上記第１部分に、上記第２表示属性に従って、上記第１画面表示データを表示するよう構成される、項目１７から２０のいずれか一項に記載の画面有効化装置。
（項目２２）
上記検出モジュールはさらに、
上記タッチスクリーン上で実行された上記圧力操作の圧力持続期間を取得するよう構成され、
上記処理モジュールはさらに、
上記圧力持続期間が予め設定された最小持続期間閾値を超過したとき、上記圧力操作の取得された第２圧力値と、上記第１データ対応関係とに従って、上記第２画面表示データを決定するよう構成され、上記第１データ対応関係は、上記圧力値と上記画面表示データとの間の対応関係を含み、
上記表示モジュールはさらに、
上記表示画面の上記第１部分に、上記第１表示属性に従って、上記第２画面表示データを表示し、上記第１画面表示データの表示を停止するよう構成される、項目１７から２０のいずれか一項に記載の画面有効化装置。
（項目２３）
上記検出モジュールはさらに、
上記タッチスクリーン上で実行された上記圧力操作の圧力持続期間を取得するよう構成され、
上記処理モジュールはさらに、
上記圧力持続期間が予め設定された最小持続期間閾値を超過したとき、上記圧力操作の取得された第２圧力値と、上記第１表示属性対応関係とに従って、上記第２表示属性を決定するよう構成され、上記第１表示属性対応関係は、上記圧力値と上記表示属性との間の対応関係を含み、かつ、取得された上記第２圧力値と、上記第１データ対応関係とに従って、上記第２画面表示データを決定するよう構成され、上記第１データ対応関係は、上記圧力値と上記画面表示データとの間の対応関係を含み、
上記表示モジュールはさらに、
上記表示画面の上記第１部分に、上記第２表示属性に従って、上記第２画面表示データを表示し、上記第１画面表示データの表示を停止するよう構成される、項目１７から２０のいずれか一項に記載の画面有効化装置。
（項目２４）
上記処理モジュールはさらに、
上記第１圧力値が上記予め設定された圧力操作閾値より大きい、またはそれに等しいとき、上記表示画面の予め設定された上記第１部分に、予め設定された上記第１表示輝度に従って、予め設定された上記第１画面表示データを表示すると決定するよう構成され、上記第１表示属性対応関係は、上記圧力値と上記表示輝度との間の対応関係を含み、上記圧力値の増加は、上記表示輝度の増加に対応しており、上記第１データ対応関係は、上記圧力値と上記画面表示データとの間の対応関係を含み、上記圧力値の増加は、上記画面表示データの増加に対応しており、
上記処理モジュールはさらに、
上記圧力操作の取得された上記第２圧力値と、上記第１表示属性対応関係とに従って、上記第２表示輝度を決定するよう構成され、
上記表示モジュールはさらに、
上記表示画面の上記第１部分に、上記第２表示輝度に従って、上記第２画面表示データを表示し、上記第１画面表示データの表示を停止するよう構成される、項目２３に記載の画面有効化装置。
（項目２５）
上記検出モジュールはさらに、
上記タッチスクリーン上で実行された上記圧力操作の圧力持続期間を取得するよう構成され、
上記処理モジュールはさらに、
上記圧力持続期間が予め設定された最小持続期間閾値を超過したとき、上記第１圧力値と、上記圧力持続期間と、予め設定された第２表示属性対応関係とに従って、上記第２表示属性を決定するよう構成され、上記第２表示属性対応関係は、上記第１圧力値と、上記圧力持続期間と、上記表示属性との間の対応関係を含み、
上記表示モジュールはさらに、
上記表示画面の上記第１部分に、上記第２表示属性に従って、上記第１画面表示データを表示するよう構成される、項目１７から２０のいずれか一項に記載の画面有効化装置。
（項目２６）
上記検出モジュールはさらに、
上記タッチスクリーン上で実行された上記圧力操作の圧力持続期間を取得するよう構成され、
上記処理モジュールはさらに、
上記圧力持続期間が予め設定された最小持続期間閾値を超過したとき、上記第１圧力値と、上記圧力持続期間と、予め設定された第２データ対応関係とに従って、上記第２画面表示データを決定するよう構成され、上記第２データ対応関係は、上記第１圧力値と、上記圧力持続期間と、上記画面表示データとの間の対応関係を含み、
上記表示モジュールはさらに、
上記表示画面の上記第１部分に、上記第１表示属性に従って、上記第２画面表示データを表示し、上記第１画面表示データの表示を停止するよう構成される、項目１７から２０のいずれか一項に記載の画面有効化装置。
（項目２７）
上記検出モジュールはさらに、
上記タッチスクリーン上で実行された上記圧力操作の圧力持続期間を取得するよう構成され、
上記処理モジュールはさらに、
上記圧力持続期間が予め設定された最小持続期間閾値を超過したとき、上記第１圧力値と、上記圧力持続期間と、予め設定された第２表示属性対応関係とに従って、上記第２表示属性を決定するよう構成され、上記第２表示属性対応関係は、上記第１圧力値と、上記圧力持続期間と、上記表示属性との間の対応関係を含み、かつ、上記第１圧力値と、上記圧力持続期間と、予め設定された第２データ対応関係とに従って、上記第２画面表示データを決定するよう構成され、上記第２データ対応関係は、上記第１圧力値と、上記圧力持続期間と、上記画面表示データとの間の対応関係を含み、
上記表示モジュールはさらに、
上記表示画面の上記第１部分に、上記第２表示属性に従って、上記第２画面表示データを表示し、上記第１画面表示データの表示を停止するよう構成される、項目１７から２０のいずれか一項に記載の画面有効化装置。
（項目２８）
上記検出モジュールはさらに、
予め設定された期間内に、上記表示画面上で実行された第１操作を取得するよう構成され、
上記処理モジュールはさらに、
上記第１圧力値と、上記第１操作と、予め設定された第３表示属性対応関係とに従って、上記第２表示属性を決定するよう構成され、上記第３表示属性対応関係は、上記第１圧力値と、上記第１操作と、上記表示属性との間の対応関係を含み、
上記表示モジュールはさらに、
上記表示画面の上記第１部分に、上記第２表示属性に従って、上記第１画面表示データを表示するよう構成される、項目１７から２０のいずれか一項に記載の画面有効化装置。
（項目２９）
上記検出モジュールはさらに、
予め設定された期間内に、上記表示画面上で実行された第１操作を取得するよう構成され、
上記処理モジュールはさらに、
上記第１圧力値と、上記第１操作と、予め設定された第３データ対応関係とに従って、第２画面表示データを決定するよう構成され、上記第３データ対応関係は、上記第１圧力値と、上記第１操作と、上記画面表示データとの間の対応関係を含み、
上記表示モジュールはさらに、
上記表示画面の上記第１部分に、上記第１表示属性に従って、上記第２画面表示データを表示し、上記第１画面表示データの表示を停止するよう構成される、項目１７から２０のいずれか一項に記載の画面有効化装置。
（項目３０）
上記検出モジュールはさらに、
予め設定された期間内に、上記表示画面上で実行された第１操作を取得するよう構成され、
上記処理モジュールはさらに、
上記第１圧力値と、上記第１操作と、予め設定された第３表示属性対応関係とに従って、第２表示属性を決定するよう構成され、上記第３表示属性対応関係は、上記第１圧力値と、上記第１操作と、上記表示属性との間の対応関係を含み、かつ、上記第１圧力値と、上記第１操作と、予め設定された第３データ対応関係とに従って、第２画面表示データを決定するよう構成され、上記第３データ対応関係は、上記第１圧力値と、上記第１操作と、上記画面表示データとの間の対応関係を含み、
上記表示モジュールはさらに、
上記表示画面の上記第１部分に、上記第２表示属性に従って、上記第２画面表示データを表示し、上記第１画面表示データの表示を停止するよう構成される、項目１７から２０のいずれか一項に記載の画面有効化装置。
（項目３１）
上記検出モジュールはさらに、
上記第１圧力値が上記予め設定された圧力操作閾値より大きい、またはそれに等しいとき、上記第１圧力値が上記予め設定された圧力操作閾値より大きい、またはそれに等しいときに対応する、上記圧力操作が実行された上記タッチスクリーンの第１接触位置を取得するよう構成され、
上記処理モジュールはさらに、
上記第１接触位置に従って、上記第１接触位置に関連付けられる、上記第１部分の第１位置を決定し、
上記第１部分の上記第１位置と、予め設定されたロック画面テーマインタフェースとに従って、上記第１画面表示データを決定するよう構成され、上記第１画面表示データは、上記第１部分の上記第１位置に対応する、上記ロック画面テーマインタフェース上の画面表示データであり、
上記表示モジュールはさらに、
上記表示画面の上記第１部分の上記第１位置に、上記第１画面表示データを表示するよう構成される、項目１７に記載の画面有効化装置。
（項目３２）
上記検出モジュールさらに、
上記圧力操作が上記タッチスクリーン上で連続的に実行されるプロセスにおける接触が移動する場合、上記圧力操作の上記接触の移動が停止したときに対応する第２接触位置を取得するよう構成され、
上記処理モジュールはさらに、
上記第２接触位置に従って、上記第２接触位置に関連付けられる、上記第１部分の第２位置を決定し、上記第１部分の上記第２位置と、予め設定された上記ロック画面テーマインタフェースとに従って、上記第２画面表示データを決定するよう構成され、上記第２画面表示データは、上記第１部分の上記第２位置に対応する、上記ロック画面テーマインタフェース上の画面表示データであり、
上記表示モジュールはさらに、
上記表示画面の上記第１部分の上記第２位置に、上記第２画面表示データを表示するよう構成される、項目３１に記載の画面有効化装置。
（項目３３）
タッチスクリーンであって、第１部分および第２部分を含む、電子デバイスの表示画面が無効化状態にあるとき、上記電子デバイスの上記タッチスクリーン上で実行された圧力操作の第１圧力値を検出するよう構成されるタッチスクリーンと、
上記第１圧力値が予め設定された圧力操作閾値より大きい、またはそれに等しいとき、上記表示画面の上記第１部分に、第１表示属性に従って、第１画面表示データを表示すると決定するよう構成されるプロセッサであって、上記第１表示属性は少なくとも、表示輝度を含む、プロセッサと、
上記表示画面の上記第１部分に、上記第１表示属性に従って、上記第１画面表示データを表示するよう構成される上記表示画面であって、上記第２部分は、無効化状態のままである、または黒色で表示される、表示画面とを備える電子デバイス。
（項目３４）
上記プロセッサはさらに、上記第１圧力値と、予め設定された第１データ対応関係とに従って、上記第１画面表示データを決定するよう構成され、上記第１データ対応関係は、上記圧力値と上記画面表示データとの間の対応関係を含む、項目３３に記載の電子デバイス。
（項目３５）
上記プロセッサはさらに、上記第１圧力値と、予め設定された第１表示属性対応関係とに従って、上記第１表示属性を決定するよう構成され、上記第１表示属性対応関係は、上記圧力値と上記表示属性との間の対応関係を含む、項目３３または３４に記載の電子デバイス。
（項目３６）
上記タッチスクリーンはさらに、上記第１圧力値が上記予め設定された圧力操作閾値より大きい、またはそれに等しいときに対応する、上記圧力操作が実行された上記タッチスクリーンの第１接触位置を取得するよう構成され、
上記プロセッサはさらに、上記第１接触位置に従って、上記第１接触位置に関連付けられる、上記第１部分の位置を決定するよう構成される、項目３３、３４または３５に記載の電子デバイス。
（項目３７）
上記タッチスクリーンはさらに、上記タッチスクリーン上で実行された上記圧力操作の圧力持続期間を取得するよう構成され、
上記プロセッサはさらに、上記圧力持続期間が予め設定された最小持続期間閾値を超過したとき、上記圧力操作の取得された第２圧力値と、上記第１表示属性対応関係とに従って、上記第２表示属性を決定するよう構成され、上記第１表示属性対応関係は、上記圧力値と上記表示属性との間の対応関係を含み、
上記表示画面はさらに、上記表示画面の上記第１部分に、上記第２表示属性に従って、上記第１画面表示データを表示するよう構成される、項目３３から３６のいずれか一項に記載の電子デバイス。
（項目３８）
上記タッチスクリーンはさらに、上記タッチスクリーン上で実行された上記圧力操作の圧力持続期間を取得するよう構成され、
上記プロセッサはさらに、上記圧力持続期間が予め設定された最小持続期間閾値を超過したとき、上記圧力操作の取得された第２圧力値と、上記第１データ対応関係とに従って、上記第２画面表示データを決定するよう構成され、上記第１データ対応関係は、上記圧力値と上記画面表示データとの間の対応関係を含み、
上記表示画面はさらに、上記表示画面の上記第１部分に、上記第１表示属性に従って、上記第２画面表示データを表示し、上記第１画面表示データの表示を停止するよう構成される、項目３３から３６のいずれか一項に記載の電子デバイス。
（項目３９）
上記タッチスクリーンはさらに、上記タッチスクリーン上で実行された上記圧力操作の圧力持続期間を取得するよう構成され、
上記プロセッサはさらに、上記圧力持続期間が予め設定された最小持続期間閾値を超過したとき、上記圧力操作の取得された第２圧力値と、上記第１表示属性対応関係とに従って、上記第２表示属性を決定するよう構成され、上記第１表示属性対応関係は、上記圧力値と上記表示属性との間の対応関係を含み、かつ、取得された上記第２圧力値と、上記第１データ対応関係とに従って、上記第２画面表示データを決定するよう構成され、上記第１データ対応関係は、上記圧力値と上記画面表示データとの間の対応関係を含み、
上記表示画面はさらに、上記表示画面の上記第１部分に、上記第２表示属性に従って、上記第２画面表示データを表示し、上記第１画面表示データの表示を停止するよう構成される、項目３３から３６のいずれか一項に記載の電子デバイス。
（項目４０）
上記プロセッサはさらに、上記第１圧力値が上記予め設定された圧力操作閾値より大きい、またはそれに等しいとき、上記表示画面の予め設定された上記第１部分に、予め設定された上記第１表示輝度に従って、予め設定された上記第１画面表示データを表示すると決定するよう構成され、上記第１表示属性対応関係は、上記圧力値と上記表示輝度との間の対応関係を含み、上記圧力値の増加は、上記表示輝度の増加に対応しており、上記第１データ対応関係は、上記圧力値と上記画面表示データとの間の対応関係を含み、上記圧力値の増加は、上記画面表示データの増加に対応しており、
上記プロセッサはさらに、上記圧力操作の取得された上記第２圧力値と、上記第１表示属性対応関係とに従って、上記第２表示輝度を決定するよう構成され、
上記表示画面はさらに、上記表示画面の上記第１部分に、上記第２表示輝度に従って、上記第２画面表示データを表示し、上記第１画面表示データの表示を停止するよう構成される、項目３９に記載の電子デバイス。
（項目４１）
上記タッチスクリーンはさらに、上記タッチスクリーン上で実行された上記圧力操作の圧力持続期間を取得するよう構成され、
上記プロセッサはさらに、上記圧力持続期間が予め設定された最小持続期間閾値を超過したとき、上記第１圧力値と、上記圧力持続期間と、予め設定された第２表示属性対応関係とに従って、上記第２表示属性を決定するよう構成され、上記第２表示属性対応関係は、上記第１圧力値と、上記圧力持続期間と、上記表示属性との間の対応関係を含み、
上記表示画面はさらに、上記表示画面の上記第１部分に、上記第２表示属性に従って、上記第１画面表示データを表示するよう構成される、項目３３から３６のいずれか一項に記載の電子デバイス。
（項目４２）
上記タッチスクリーンはさらに、上記タッチスクリーン上で実行された上記圧力操作の圧力持続期間を取得するよう構成され、
上記プロセッサはさらに、上記圧力持続期間が予め設定された最小持続期間閾値を超過したとき、上記第１圧力値と、上記圧力持続期間と、予め設定された第２データ対応関係とに従って、上記第２画面表示データを決定するよう構成され、上記第２データ対応関係は、上記第１圧力値と、上記圧力持続期間と、上記画面表示データとの間の対応関係を含み、
上記表示画面はさらに、上記表示画面の上記第１部分に、上記第１表示属性に従って、上記第２画面表示データを表示し、上記第１画面表示データの表示を停止するよう構成される、項目３３から３６のいずれか一項に記載の電子デバイス。
（項目４３）
上記タッチスクリーンはさらに、上記タッチスクリーン上で実行された上記圧力操作の圧力持続期間を取得するよう構成され、
上記プロセッサはさらに、上記圧力持続期間が予め設定された最小持続期間閾値を超過したとき、上記第１圧力値と、上記圧力持続期間と、予め設定された第２表示属性対応関係とに従って、上記第２表示属性を決定するよう構成され、上記第２表示属性対応関係は、上記第１圧力値と、上記圧力持続期間と、上記表示属性との間の対応関係を含み、かつ、上記第１圧力値と、上記圧力持続期間と、予め設定された第２データ対応関係とに従って、上記第２画面表示データを決定するよう構成され、上記第２データ対応関係は、上記第１圧力値と、上記圧力持続期間と、上記画面表示データとの間の対応関係を含み、
上記表示画面はさらに、上記表示画面の上記第１部分に、上記第２表示属性に従って、上記第２画面表示データを表示し、上記第１画面表示データの表示を停止するよう構成される、項目３３から３６のいずれか一項に記載の電子デバイス。
（項目４４）
上記タッチスクリーンはさらに、予め設定された期間内に、上記表示画面上で実行された第１操作を取得するよう構成され、
上記プロセッサはさらに、上記第１圧力値と、上記第１操作と、予め設定された第３表示属性対応関係とに従って、上記第２表示属性を決定するよう構成され、上記第３表示属性対応関係は、上記第１圧力値と、上記第１操作と、上記表示属性との間の対応関係を含み、
上記表示画面はさらに、上記表示画面の上記第１部分に、上記第２表示属性に従って、上記第１画面表示データを表示するよう構成される、項目３３から３６のいずれか一項に記載の電子デバイス。
（項目４５）
上記タッチスクリーンはさらに、予め設定された期間内に、上記表示画面上で実行された第１操作を取得するよう構成され、
上記プロセッサはさらに、上記第１圧力値と、上記第１操作と、予め設定された第３データ対応関係とに従って、第２画面表示データを決定するよう構成され、上記第３データ対応関係は、上記第１圧力値と、上記第１操作と、上記画面表示データとの間の対応関係を含み、
上記表示画面はさらに、上記表示画面の上記第１部分に、上記第１表示属性に従って、上記第２画面表示データを表示し、上記第１画面表示データの表示を停止するよう構成される、項目３３から３６のいずれか一項に記載の電子デバイス。
（項目４６）
上記タッチスクリーンはさらに、予め設定された期間内に、上記表示画面上で実行された第１操作を取得するよう構成され、
上記プロセッサはさらに、上記第１圧力値と、上記第１操作と、予め設定された第３表示属性対応関係とに従って、第２表示属性を決定するよう構成され、上記第３表示属性対応関係は、上記第１圧力値と、上記第１操作と、上記表示属性との間の対応関係を含み、かつ、上記第１圧力値と、上記第１操作と、予め設定された第３データ対応関係とに従って、第２画面表示データを決定するよう構成され、上記第３データ対応関係は、上記第１圧力値と、上記第１操作と、上記画面表示データとの間の対応関係を含み、
上記表示画面はさらに、上記表示画面の上記第１部分に、上記第２表示属性に従って、上記第２画面表示データを表示し、上記第１画面表示データの表示を停止するよう構成される、項目３３から３６のいずれか一項に記載の電子デバイス。
（項目４７）
上記タッチスクリーンはさらに、上記第１圧力値が上記予め設定された圧力操作閾値より大きい、またはそれに等しいとき、上記第１圧力値が上記予め設定された圧力操作閾値より大きい、またはそれに等しいときに対応する、上記圧力操作が実行された上記タッチスクリーンの第１接触位置を取得するよう構成され、
上記プロセッサはさらに、上記第１接触位置に従って、上記第１接触位置に関連付けられる、上記第１部分の第１位置を決定し、上記第１部分の上記第１位置と、予め設定されたロック画面テーマインタフェースとに従って、上記第１画面表示データを決定するよう構成され、上記第１画面表示データは、上記第１部分の上記第１位置に対応する、上記ロック画面テーマインタフェース上の画面表示データであり、
上記表示画面はさらに、上記表示画面の上記第１部分の上記第１位置に、上記第１画面表示データを表示するよう構成される、項目３３に記載の電子デバイス。
（項目４８）
上記タッチスクリーンはさらに、上記圧力操作が上記タッチスクリーン上で連続的に実行されるプロセスにおける接触が移動する場合、上記圧力操作の上記接触の移動が停止したときに対応する第２接触位置を取得するよう構成され、
上記プロセッサはさらに、上記第２接触位置に従って、上記第２接触位置に関連付けられる、上記第１部分の第２位置を決定し、上記第１部分の上記第２位置と、予め設定された上記ロック画面テーマインタフェースとに従って、第２画面表示データを決定するよう構成され、上記第２画面表示データは、上記第１部分の上記第２位置に対応する、上記ロック画面テーマインタフェース上の画面表示データであり、
上記表示画面はさらに、上記表示画面の上記第１部分の上記第２位置に、上記第２画面表示データを表示するよう構成される、項目４７に記載の電子デバイス。
【図１】
0006584025.tif 000008
【図２】
0006584025.tif 000009
【図３】
0006584025.tif 000010
【図４Ａ】
0006584025.tif 000011
【図４Ｂ】
0006584025.tif 000012
【図４Ｃ】
0006584025.tif 000013
【図４Ｄ】
0006584025.tif 000014
【図５】
0006584025.tif 000015
【図６Ａ】
0006584025.tif 000016
【図６Ｂ】
0006584025.tif 000017
【図６Ｃ】
0006584025.tif 000018
【図７】
0006584025.tif 000019
【図８】
0006584025.tif 000020
【図９】
0006584025.tif 000021
【図１０】
0006584025.tif 000022
【図１１】
0006584025.tif 000023